(57)【要約】  グループマルチキャスト技術が提供される。モバイルネットワークプラットフォームは、Ｍ２Ｍグループにおける、モバイルネットワークマルチキャスト通信方式をサポートするメンバデバイスに従って、デバイスグループを作成し、デバイスグループに対応する外部グループの識別子を生成し、外部グループの識別子、および、モバイルネットワークマルチキャスト通信方式をサポートするメンバデバイスの外部デバイス識別子に従って外部グループを作成するようにＳＣＥＦに要求する。モバイルネットワークプラットフォームは、Ｍ２Ｍグループのためのアクセス要求を受信したとき、Ｍ２Ｍグループにおけるデバイスグループを取得し、対応する外部グループを認識し、次に、マルチキャスト通信方式で、外部グループにおけるメンバデバイスにアクセスするようにＳＣＥＦに要求する。これにより、Ｍ２ＭプラットフォームとＭ２Ｍデバイスとの間のインタラクションに起因して生成される情報量が低減し、リソースオーバヘッドが低減し得る。従って、メンバデバイスはもはや、マルチキャスト中に能動的にグループに加入する必要が無くなり、これにより、モバイルネットワークプラットフォームによる集中型スケジューリングを実装する。
2019500792.tif 000002
【特許請求の範囲】
【請求項１】
グループマルチキャスト方法であって、
マシン間通信Ｍ２Ｍグループのためのアクセス要求を受信する段階であって、前記アクセス要求は、Ｍ２Ｍグループ識別子および要求内容を保持する、段階と、
前記Ｍ２Ｍグループ識別子に従って、デバイスグループの識別子を検索する段階であって、前記デバイスグループに含まれるメンバデバイスは、前記Ｍ２Ｍグループ識別子によって示されるグループにおける、モバイルネットワークマルチキャスト通信方式をサポートするメンバデバイスである、段階と、
前記デバイスグループに対応する外部グループの識別子を決定する段階であって、前記外部グループはモバイルネットワークサーバに記憶され、前記外部グループにおけるメンバデバイスは、前記デバイスグループにおける前記メンバデバイスである、段階と、
モバイルネットワークマルチキャスト要求を前記モバイルネットワークサーバへ送信する段階であって、前記モバイルネットワークマルチキャスト要求は、前記外部グループの前記識別子および前記要求内容を保持し、前記モバイルネットワークマルチキャスト要求は、前記モバイルネットワークマルチキャスト通信方式でアクセスコマンドを前記外部グループにおける前記メンバデバイスへ送信するように命令するために使用され、前記アクセスコマンドは前記要求内容を保持する、段階と
を備える方法。
【請求項２】
モバイルネットワークマルチキャスト要求を前記モバイルネットワークサーバへ送信する前記段階の前に、前記方法はさらに、応答アドレスを前記デバイスグループにおける前記メンバデバイスに割り当てる段階であって、前記応答アドレスは、前記アクセスコマンドに応じて、前記デバイスグループにおける前記メンバデバイスによって送信された応答を受信するために使用される、段階を備え、
前記モバイルネットワークマルチキャスト要求および前記アクセスコマンドはさらに、前記応答アドレスを保持し、
モバイルネットワークマルチキャスト要求を前記モバイルネットワークサーバへ送信する前記段階の後に、前記方法はさらに、前記デバイスグループにおける前記メンバデバイスによって前記応答アドレスへ送信された、前記要求内容についての応答情報を受信する段階を備える、
請求項１に記載の方法。
【請求項３】
前記デバイスグループに対応する外部グループの識別子を決定する前記段階の前に、前記方法はさらに、前記デバイスグループの前記識別子に従って、前記デバイスグループのデバイスサブグループを検索する段階を備え、
前記デバイスグループに対応する外部グループの識別子を決定する前記段階は、前記デバイスサブグループに対応する外部サブグループの識別子を決定する段階を含み、
前記モバイルネットワークマルチキャスト要求はさらに、前記デバイスサブグループの識別子を保持する、
請求項１または２に記載の方法。
【請求項４】
前記デバイスグループの前記識別子に従って、前記デバイスグループのデバイスサブグループを検索する前記段階の後に、前記方法はさらに、
前記デバイスサブグループのマルチキャスト型を決定する段階を備え、
前記デバイスグループにおける前記メンバデバイスに応答アドレスを割り当てる前記段階は、
前記デバイスサブグループの前記マルチキャスト型に従って、前記デバイスサブグループにおけるメンバデバイスに前記応答アドレスを割り当てる段階を含む、
請求項３に記載の方法。
【請求項５】
前記デバイスサブグループの前記マルチキャスト型は、セルブロードキャストサービスＣＢＳであり、前記方法はさらに、
前記デバイスサブグループのための要求リソースを作成し、要求アドレスを前記要求リソースに割り当てる段階であって、前記要求リソースは前記要求内容を記憶する、段階を備え、
前記モバイルネットワークマルチキャスト要求および前記アクセスコマンドはさらに、前記要求アドレスを保持する、
請求項４に記載の方法。
【請求項６】
前記デバイスグループにおける前記メンバデバイスによって前記応答アドレスへ送信された、前記要求内容についての応答情報を受信する前記段階の後に、前記方法はさらに、
応答情報を返していない、前記デバイスグループにおけるメンバデバイスを決定する段階と、
マルチキャスト型がトリガマルチキャストであるトリガデバイスグループを作成する段階であって、前記トリガデバイスグループにおけるメンバデバイスは、応答情報を返していない、前記デバイスグループにおける前記メンバデバイスである、段階と、
トリガ外部グループ作成要求を前記モバイルネットワークサーバへ送信する段階であって、前記トリガ外部グループ作成要求は、前記トリガデバイスグループに対応するトリガ外部グループを作成するように命令するために使用され、前記トリガ外部グループ作成要求は、前記トリガ外部グループの識別子と、前記トリガデバイスグループにおける前記メンバデバイスの外部デバイス識別子とを含む、段階と
を備える、請求項２から５のいずれか一項に記載の方法。
【請求項７】
グループ作成方法であって、
グループ作成要求を受信する段階であって、前記グループ作成要求は、マシン間通信Ｍ２Ｍグループ識別子と、作成予定のＭ２Ｍグループにおけるメンバデバイスのデバイス識別子とを保持する、段階と、
前記メンバデバイスの前記デバイス識別子に従って、モバイルネットワークマルチキャスト通信方式をサポートするメンバデバイスを決定する段階と、
前記グループ作成要求に従って、前記Ｍ２Ｍグループ識別子によって示されるＭ２Ｍグループを作成する段階であって、前記Ｍ２Ｍグループはデバイスグループ識別子を含み、前記デバイスグループ識別子は、モバイルネットワークマルチキャストがサポートされることを示す情報を含む、段階と、
前記モバイルネットワークマルチキャスト通信方式をサポートする前記メンバデバイスのためのデバイスグループを作成する段階と、
モバイルネットワークマルチキャストがサポートされることを示す前記情報に従って、前記デバイスグループに対応する作成予定の外部グループの外部グループ識別子を生成する段階と、
外部グループ作成要求をモバイルネットワークサーバへ送信する段階であって、前記外部グループ作成要求は、前記外部グループ識別子と、前記モバイルネットワークマルチキャスト通信方式をサポートする前記メンバデバイスの外部デバイス識別子とを含み、前記外部グループ作成要求は、外部グループを作成するように命令するために使用され、前記外部グループは、識別子が前記外部グループ識別子であり、前記モバイルネットワークマルチキャスト通信方式をサポートする前記メンバデバイスの前記外部デバイス識別子を含む、段階と
を備える方法。
【請求項８】
前記メンバデバイスの前記デバイス識別子に従って、モバイルネットワークマルチキャスト通信方式をサポートするメンバデバイスを決定する前記段階は、
前記メンバデバイスの前記デバイス識別子に従って、前記メンバデバイスの登録情報を取得する段階と、
前記外部デバイス識別子を含む登録情報を有するメンバデバイスが、前記モバイルネットワークマルチキャスト通信方式をサポートする前記メンバデバイスであると決定する段階と
を備える、請求項７に記載の方法。
【請求項９】
前記モバイルネットワークマルチキャスト通信方式をサポートする前記メンバデバイスのためのデバイスグループを作成する前記段階の前に、前記方法はさらに、
前記モバイルネットワークマルチキャスト通信方式をサポートする前記メンバデバイスの特性情報を取得する段階であって、前記特性情報は、前記モバイルネットワークマルチキャスト通信方式をサポートする前記メンバデバイスの履歴位置情報、および／または、前記モバイルネットワークマルチキャスト通信方式をサポートする前記メンバデバイスがマルチメディアブロードキャストマルチキャストサービスＭＢＭＳをサポートすることを示す情報を含む、段階と、
前記モバイルネットワークマルチキャスト通信方式をサポートする前記メンバデバイスの前記履歴位置情報、および／または、前記モバイルネットワークマルチキャスト通信方式をサポートする前記メンバデバイスが前記ＭＢＭＳをサポートすることを示す前記情報に従って、前記モバイルネットワークマルチキャスト通信方式をサポートする前記メンバデバイスのマルチキャスト型を決定する段階と
を備え、
前記モバイルネットワークマルチキャスト通信方式をサポートする前記メンバデバイスのためのデバイスグループを作成する前記段階は、前記モバイルネットワークマルチキャスト通信方式をサポートする前記メンバデバイスの前記マルチキャスト型に従って、前記モバイルネットワークマルチキャスト通信方式をサポートする前記メンバデバイスのための前記デバイスグループのデバイスサブグループを作成する段階を含み、
モバイルネットワークマルチキャストがサポートされることを示す前記情報に従って、前記デバイスグループに対応する作成予定の外部グループの外部グループ識別子を生成する前記段階は、モバイルネットワークマルチキャストがサポートされることを示す前記情報に従って、前記デバイスグループの前記デバイスサブグループに対応する作成予定の外部サブグループの識別子を生成する段階を含む、
請求項８に記載の方法。
【請求項１０】
前記モバイルネットワークマルチキャスト通信方式をサポートする前記メンバデバイスの前記履歴位置情報、および／または、前記ＭＢＭＳをサポートする前記モバイルネットワークマルチキャスト通信方式をサポートする前記メンバデバイスを示す前記情報に従って、前記モバイルネットワークマルチキャスト通信方式をサポートする前記メンバデバイスのマルチキャスト型を決定する前記段階は、
前記特性情報が、前記ＭＢＭＳがサポートされることを示す前記情報を含むとき、前記モバイルネットワークマルチキャスト通信方式をサポートする前記メンバデバイスの前記マルチキャスト型がＭＢＭＳであると決定する、または、
前記特性情報が前記履歴位置情報を含むが、前記ＭＢＭＳがサポートされることを示す前記情報を含まないとき、前記履歴位置情報に従って、前記モバイルネットワークマルチキャスト通信方式をサポートする前記メンバデバイスによって、予め設定された時間範囲内にアクセスされる基地局を決定する段階と、
前記モバイルネットワークマルチキャスト通信方式をサポートする前記メンバデバイスによって前記予め設定された時間範囲内にアクセスされる前記基地局が同一の基地局であるかどうかを決定する段階と、
前記モバイルネットワークマルチキャスト通信方式をサポートする前記メンバデバイスによって前記予め設定された時間範囲内にアクセスされる前記基地局が同一の基地局であるとき、前記モバイルネットワークマルチキャスト通信方式をサポートする前記メンバデバイスの前記マルチキャスト型がＣＢＳであると決定する、または、
前記モバイルネットワークマルチキャスト通信方式をサポートする前記メンバデバイスによって前記予め設定された時間範囲内にアクセスされる前記基地局が異なる基地局であるとき、前記モバイルネットワークマルチキャスト通信方式をサポートする前記メンバデバイスの前記マルチキャスト型がＰＤＮであると決定する段階と
を備える、請求項９に記載の方法。
【請求項１１】
グループマルチキャスト方法であって、
デバイスグループのためのグループアクセス要求を受信する段階であって、前記デバイスグループに含まれるメンバデバイスが、モバイルネットワークマルチキャスト通信方式をサポートするメンバデバイスである、段階と、
前記デバイスグループに対応する外部グループの識別子を決定する段階であって、前記外部グループは、モバイルネットワークサーバに記憶され、前記外部グループにおけるメンバデバイスは、前記デバイスグループにおける前記メンバデバイスである、段階と、
モバイルネットワークマルチキャスト要求を前記モバイルネットワークサーバへ送信する段階であって、前記モバイルネットワークマルチキャスト要求は、前記外部グループの前記識別子および要求内容を保持し、前記モバイルネットワークマルチキャスト要求は、前記モバイルネットワークマルチキャスト通信方式で、前記外部グループにおける前記メンバデバイスへアクセスコマンドを送信するように命令するために使用され、前記アクセスコマンドは、前記要求内容を保持する、段階と
を備える方法。
【請求項１２】
グループマルチキャスト方法であって、
モバイルネットワークマルチキャスト通信方式で、モバイルネットワークサーバによって送信されたアクセスコマンドを受信する段階であって、前記アクセスコマンドは、要求内容と、モバイルネットワークプラットフォームによってメンバデバイスに割り当てられた応答アドレスとを保持し、前記応答アドレスは、前記モバイルネットワークプラットフォームの識別子を含む、段階と、
前記応答アドレスに従って、前記モバイルネットワークプラットフォームの前記識別子によって示される前記モバイルネットワークプラットフォームへ、前記要求内容についての応答情報を送信する段階と
を備える方法。
【請求項１３】
グループ作成方法であって、
グループ作成要求を受信する段階であって、前記グループ作成要求は、マシン間通信Ｍ２Ｍグループ識別子と、作成予定のＭ２Ｍグループにおけるメンバデバイスのデバイス識別子とを保持する、段階と、
前記メンバデバイスの前記デバイス識別子に従って、モバイルネットワークマルチキャスト通信方式をサポートするメンバデバイスを決定する段階と、
前記グループ作成要求に従って、前記Ｍ２Ｍグループ識別子によって示されるＭ２Ｍグループを作成する段階であって、前記Ｍ２Ｍグループは、デバイスグループ識別子を含み、前記デバイスグループ識別子は、モバイルネットワークマルチキャストがサポートされることを示す情報を含む、段階と、
デバイスグループ作成要求をモバイルネットワークプラットフォームへ送信する段階であって、前記デバイスグループ作成要求は、前記デバイスグループ識別子と、前記モバイルネットワークマルチキャスト通信方式をサポートする、決定された前記メンバデバイスについての情報とを保持し、前記モバイルネットワークマルチキャストがサポートされることを示す前記情報は、外部グループ識別子を生成するように、および、モバイルネットワークサーバにおいて、前記モバイルネットワークマルチキャスト通信方式をサポートする前記メンバデバイスについての前記情報を含む外部グループを作成するように命令するために使用される、段階と、
を備える方法。
【請求項１４】
グループ作成方法であって、
デバイスグループ作成要求を受信する段階であって、前記デバイスグループ作成要求は、デバイスグループ識別子と、モバイルネットワークマルチキャスト通信方式をサポートするメンバデバイスについての情報とを含み、前記デバイスグループ識別子は、モバイルネットワークマルチキャストがサポートされることを示す情報を含む、段階と、
前記デバイスグループ識別子、および、前記モバイルネットワークマルチキャスト通信方式をサポートする前記メンバデバイスの識別子に従って、デバイスグループを作成する段階であって、前記デバイスグループは、前記モバイルネットワークマルチキャスト通信方式をサポートする前記メンバデバイスの前記識別子を含む、段階と、
モバイルネットワークマルチキャストがサポートされることを示す前記情報に従って、前記デバイスグループに対応する作成予定の外部グループの外部グループ識別子を生成する段階と、
外部グループ作成要求をモバイルネットワークサーバへ送信する段階であって、前記外部グループ作成要求は、前記外部グループ識別子と、前記モバイルネットワークマルチキャスト通信方式をサポートする前記メンバデバイスの外部デバイス識別子とを含み、前記外部グループ作成要求は、外部グループを作成するように命令するために使用され、外部グループは、識別子が前記外部グループ識別子であり、前記モバイルネットワークマルチキャスト通信方式をサポートする前記メンバデバイスの前記外部デバイス識別子を含む、段階とを備える
方法。
【請求項１５】
マシン間通信Ｍ２Ｍグループのためのアクセス要求を受信するように構成されている受信器であって、前記アクセス要求は、Ｍ２Ｍグループ識別子および要求内容を保持する、受信器と、
前記Ｍ２Ｍグループ識別子に従って、デバイスグループの識別子を検索するように構成されているプロセッサであって、前記デバイスグループに含まれるメンバデバイスは、前記Ｍ２Ｍグループ識別子によって示されるグループにおける、モバイルネットワークマルチキャスト通信方式をサポートするメンバデバイスであり、前記プロセッサはさらに、前記デバイスグループに対応する外部グループの識別子を決定するように構成され、前記外部グループは、モバイルネットワークサーバに記憶され、前記外部グループにおけるメンバデバイスは、前記デバイスグループにおける前記メンバデバイスである、プロセッサと、
モバイルネットワークマルチキャスト要求を前記モバイルネットワークサーバへ送信するように構成されている送信器であって、前記モバイルネットワークマルチキャスト要求は、前記外部グループの前記識別子および前記要求内容を保持し、前記モバイルネットワークマルチキャスト要求は、前記モバイルネットワークマルチキャスト通信方式で、アクセスコマンドを前記外部グループにおける前記メンバデバイスへ送信するように命令するために使用され、前記アクセスコマンドは、前記要求内容を保持する、送信器と
を備えるモバイルネットワークプラットフォーム。
【請求項１６】
前記送信器が前記モバイルネットワークマルチキャスト要求を前記モバイルネットワークサーバへ送信する前に、前記プロセッサはさらに、
応答アドレスを前記デバイスグループにおける前記メンバデバイスに割り当てる手順であって、前記応答アドレスは、前記アクセスコマンドに応じて前記デバイスグループにおける前記メンバデバイスによって送信された応答を受信するために使用され、前記モバイルネットワークマルチキャスト要求および前記アクセスコマンドはさらに、前記応答アドレスを保持する、手順を実行するように構成され、
前記送信器が前記モバイルネットワークマルチキャスト要求を前記モバイルネットワークサーバへ送信した後に、前記送信器はさらに、前記デバイスグループにおける前記メンバデバイスによって前記応答アドレスへ送信された、前記要求内容についての応答情報を受信する手順を実行するように構成されている、請求項１５に記載のモバイルネットワークプラットフォーム。
【請求項１７】
前記デバイスグループに対応する前記外部グループの前記識別子を決定する前に、前記プロセッサはさらに、前記デバイスグループの前記識別子に従って、前記デバイスグループのデバイスサブグループを検索する手順を実行するように構成され、
前記デバイスグループに対応する前記外部グループの前記識別子を決定するとき、前記プロセッサは、具体的には、前記デバイスサブグループに対応する外部サブグループの識別子を決定する手順であって、前記モバイルネットワークマルチキャスト要求はさらに、前記デバイスサブグループの識別子を保持する、手順を実行するように構成されている、
請求項１５または１６に記載のモバイルネットワークプラットフォーム。
【請求項１８】
前記デバイスグループの前記識別子に従って、前記デバイスグループの前記デバイスサブグループを検索した後に、前記プロセッサはさらに、前記デバイスサブグループのマルチキャスト型を決定する手順を実行するように構成され、
前記デバイスグループにおける前記メンバデバイスに前記応答アドレスを割り当てるとき、前記プロセッサは、具体的には、前記デバイスサブグループの前記マルチキャスト型に従って、前記デバイスサブグループにおけるメンバデバイスに前記応答アドレスを割り当てる手順を実行するように構成されている、
請求項１７に記載のモバイルネットワークプラットフォーム。
【請求項１９】
前記デバイスサブグループの前記マルチキャスト型はセルブロードキャストサービスＣＢＳであり、前記プロセッサはさらに、
前記デバイスサブグループのための要求リソースを作成し、要求アドレスを前記要求リソースに割り当てる手順であって、前記要求リソースは、前記要求内容を記憶する、手順を実行するように構成され、
前記モバイルネットワークマルチキャスト要求および前記アクセスコマンドはさらに、前記要求アドレスを保持する、請求項１８に記載のモバイルネットワークプラットフォーム。
【請求項２０】
前記送信器が、前記デバイスグループにおける前記メンバデバイスによって前記応答アドレスへ送信された、前記要求内容についての前記応答情報を受信した後に、前記プロセッサはさらに、
応答情報を返していない、前記デバイスグループにおけるメンバデバイスを決定する手順と、
マルチキャスト型がトリガマルチキャストであるトリガデバイスグループを作成する手順であって、前記トリガデバイスグループにおけるメンバデバイスは、前記グループデバイスにおける前記メンバデバイスによって返された応答情報を受信していない、前記デバイスグループにおける前記メンバデバイスである、手順と
を実行するように構成され、
前記送信器はさらに、トリガ外部グループ作成要求を前記モバイルネットワークサーバへ送信するように構成され、前記トリガ外部グループ作成要求は、前記トリガデバイスグループに対応するトリガ外部グループを作成するように命令するために使用され、前記トリガ外部グループ作成要求は、前記トリガ外部グループの識別子と、前記トリガデバイスグループにおける前記メンバデバイスの外部デバイス識別子とを含む、
請求項１５から１９のいずれか一項に記載のモバイルネットワークプラットフォーム。
【請求項２１】
マシン間通信Ｍ２Ｍグループのためのアクセス要求を受信するように構成されている受信ユニットであって、前記アクセス要求は、Ｍ２Ｍグループ識別子および要求内容を保持する、受信ユニットと、
前記受信ユニットによって受信された前記Ｍ２Ｍグループ識別子に従って、デバイスグループの識別子を検索するように構成されている検索ユニットであって、前記デバイスグループに含まれるメンバデバイスは、前記Ｍ２Ｍグループ識別子によって示されるグループにおける、モバイルネットワークマルチキャスト通信方式をサポートするメンバデバイスである、検索ユニットと、
前記検索ユニットによって発見された前記デバイスグループに対応する外部グループの識別子を決定するように構成されている決定ユニットであって、前記外部グループは、モバイルネットワークサーバに記憶され、前記外部グループにおけるメンバデバイスは、前記デバイスグループにおける前記メンバデバイスである、決定ユニットと、
モバイルネットワークマルチキャスト要求を前記モバイルネットワークサーバへ送信するように構成されている送信ユニットであって、前記モバイルネットワークマルチキャスト要求は、前記外部グループの前記識別子と、前記要求内容とを保持し、前記モバイルネットワークマルチキャスト要求は、前記モバイルネットワークマルチキャスト通信方式で、アクセスコマンドを前記外部グループにおける前記メンバデバイスへ送信するように命令するために使用され、前記アクセスコマンドは、前記要求内容を保持する、送信ユニットと
を備えるモバイルネットワークプラットフォーム。
【請求項２２】
前記モバイルネットワークプラットフォームはさらに、
応答アドレスを前記デバイスグループにおける前記メンバデバイスに割り当てるように構成されている割り当てユニットであって、前記応答アドレスは、前記アクセスコマンドに応じて前記デバイスグループにおける前記メンバデバイスによって送信された応答を受信するために使用される、割り当てユニットを備え、
前記モバイルネットワークマルチキャスト要求および前記アクセスコマンドはさらに、前記応答アドレスを保持し、
前記受信ユニットはさらに、前記デバイスグループにおける前記メンバデバイスによって前記応答アドレスへ送信された、前記要求内容についての応答情報を受信するように構成されている、
請求項２１に記載のモバイルネットワークプラットフォーム。
【請求項２３】
前記検索ユニットはさらに、前記デバイスグループの前記識別子に従って、前記デバイスグループのデバイスサブグループを検索するように構成され、
前記決定ユニットは、具体的には、前記デバイスサブグループに対応する外部サブグループの識別子を決定するように構成され、
前記モバイルネットワークマルチキャスト要求はさらに、前記デバイスサブグループの識別子を保持する、
請求項２１または２２に記載のモバイルネットワークプラットフォーム。
【請求項２４】
前記決定ユニットはさらに、前記デバイスサブグループのマルチキャスト型を決定するように構成され、前記割り当てユニットは、具体的には、前記デバイスサブグループの前記マルチキャスト型に従って、前記応答アドレスを前記デバイスサブグループにおけるメンバデバイスに割り当てるように構成されている、請求項２３に記載のモバイルネットワークプラットフォーム。
【請求項２５】
前記デバイスサブグループの前記マルチキャスト型は、セルブロードキャストサービスＣＢＳであり、前記モバイルネットワークプラットフォームはさらに、
前記デバイスサブグループのための要求リソースを作成し、要求アドレスを前記要求リソースに割り当てるように構成されている作成ユニットであって、前記要求リソースは前記要求内容を記憶する、作成ユニットを備え、
前記モバイルネットワークマルチキャスト要求および前記アクセスコマンドはさらに、前記要求アドレスを保持する、
請求項２４に記載のモバイルネットワークプラットフォーム。
【請求項２６】
前記決定ユニットはさらに、応答情報を返していない、前記デバイスグループにおけるメンバデバイスを決定するように構成され、
前記作成ユニットはさらに、マルチキャスト型がトリガマルチキャストであるトリガデバイスグループを作成するように構成され、前記トリガデバイスグループにおけるメンバデバイスは、前記グループデバイスにおける前記メンバデバイスによって返された応答情報を受信していない、前記デバイスグループにおける前記メンバデバイスであり、
前記送信ユニットはさらに、トリガ外部グループ作成要求を前記モバイルネットワークサーバへ送信するように構成され、前記トリガ外部グループ作成要求は、前記トリガデバイスグループに対応するトリガ外部グループを作成するように命令するために使用され、前記トリガ外部グループ作成要求は、前記トリガ外部グループの識別子と、前記トリガデバイスグループにおける前記メンバデバイスの外部デバイス識別子とを含む、
請求項２２から２５のいずれか一項に記載のモバイルネットワークプラットフォーム。
【請求項２７】
グループ作成要求を受信するように構成されている受信器であって、前記グループ作成要求は、マシン間通信Ｍ２Ｍグループ識別子と、作成予定のＭ２Ｍグループにおけるメンバデバイスのデバイス識別子とを保持する、受信器と、
前記メンバデバイスの前記デバイス識別子に従って、モバイルネットワークマルチキャスト通信方式をサポートするメンバデバイスを決定するように構成されているプロセッサであって、前記プロセッサはさらに、前記グループ作成要求に従って、前記Ｍ２Ｍグループ識別子によって示されるＭ２Ｍグループを作成するように構成され、前記Ｍ２Ｍグループは、デバイスグループ識別子を含み、前記デバイスグループ識別子は、モバイルネットワークマルチキャストがサポートされることを示す情報を含み、前記プロセッサはさらに、前記モバイルネットワークマルチキャスト通信方式をサポートする前記メンバデバイスのためのデバイスグループを作成するように構成され、前記プロセッサはさらに、モバイルネットワークマルチキャストがサポートされることを示す前記情報に従って、前記デバイスグループに対応する作成予定の外部グループの外部グループ識別子を生成するように構成されている、プロセッサと、
外部グループ作成要求をモバイルネットワークサーバへ送信するように構成されている送信器であって、前記外部グループ作成要求は、前記外部グループ識別子と、前記モバイルネットワークマルチキャスト通信方式をサポートする前記メンバデバイスの外部デバイス識別子とを含み、前記外部グループ作成要求は、ある外部グループを作成するように命令するために使用され、前記外部グループは、識別子が前記外部グループ識別子であり、前記モバイルネットワークマルチキャスト通信方式をサポートする前記メンバデバイスの前記外部デバイス識別子を含む、送信器と
を備えるモバイルネットワークプラットフォーム。
【請求項２８】
前記メンバデバイスの前記デバイス識別子に従って、前記モバイルネットワークマルチキャスト通信方式をサポートする前記メンバデバイスを決定するとき、前記プロセッサは、具体的には、
前記メンバデバイスの前記デバイス識別子に従って、前記メンバデバイスの登録情報を取得する手順と、
前記外部デバイス識別子を含む登録情報を有するメンバデバイスが、前記モバイルネットワークマルチキャスト通信方式をサポートする前記メンバデバイスであると決定する手順と
を実行するように構成されている、請求項２７に記載のモバイルネットワークプラットフォーム。
【請求項２９】
前記モバイルネットワークマルチキャスト通信方式をサポートする前記メンバデバイスのための前記デバイスグループを作成する前に、前記プロセッサはさらに、
前記モバイルネットワークマルチキャスト通信方式をサポートする前記メンバデバイスの特性情報を取得する手順であって、前記特性情報は、前記モバイルネットワークマルチキャスト通信方式をサポートする前記メンバデバイスの履歴位置情報、および／または、前記モバイルネットワークマルチキャスト通信方式をサポートする前記メンバデバイスがマルチメディアブロードキャストマルチキャストサービスＭＢＭＳをサポートすることを示す情報を含む、手順と、
前記モバイルネットワークマルチキャスト通信方式をサポートする前記メンバデバイスの前記履歴位置情報、および／または、前記モバイルネットワークマルチキャスト通信方式をサポートする前記メンバデバイスが前記ＭＢＭＳをサポートすることを示す前記情報に従って、前記モバイルネットワークマルチキャスト通信方式をサポートする前記メンバデバイスのマルチキャスト型を決定する手順と
を実行し、
前記モバイルネットワークマルチキャスト通信方式をサポートする前記メンバデバイスのための前記デバイスグループを作成するとき、前記プロセッサは、具体的には、
前記モバイルネットワークマルチキャスト通信方式をサポートする前記メンバデバイスの前記マルチキャスト型に従って、前記モバイルネットワークマルチキャスト通信方式をサポートする前記メンバデバイスのための前記デバイスグループのデバイスサブグループを作成する手順を実行するように構成され、
モバイルネットワークマルチキャストがサポートされることを示す前記情報に従って、前記デバイスグループに対応する前記作成予定の外部グループの識別子を生成するとき、前記プロセッサは、具体的には、
モバイルネットワークマルチキャストがサポートされることを示す前記情報に従って、前記デバイスグループの前記デバイスサブグループに対応する作成予定の外部サブグループの識別子を生成する手順を実行するように構成されている、
請求項２８に記載のモバイルネットワークプラットフォーム。
【請求項３０】
前記モバイルネットワークマルチキャスト通信方式をサポートする前記メンバデバイスの前記履歴位置情報、および／または、前記モバイルネットワークマルチキャスト通信方式をサポートする前記メンバデバイスが前記ＭＢＭＳをサポートすることを示す前記情報に従って、前記モバイルネットワークマルチキャスト通信方式をサポートする前記メンバデバイスの前記マルチキャスト型を決定するとき、前記プロセッサは具体的には、
前記特性情報が、前記ＭＢＭＳがサポートされることを示す前記情報を含むとき、前記モバイルネットワークマルチキャスト通信方式をサポートする前記メンバデバイスの前記マルチキャスト型がＭＢＭＳであると決定する、または、
前記特性情報が前記履歴位置情報を含むが、前記ＭＢＭＳがサポートされることを示す前記情報を含まないとき、前記履歴位置情報に従って、前記モバイルネットワークマルチキャスト通信方式をサポートする前記メンバデバイスによって、予め設定された時間範囲内にアクセスされる基地局を決定する手順と、
前記モバイルネットワークマルチキャスト通信方式をサポートする前記メンバデバイスによって前記予め設定された時間範囲内にアクセスされる前記基地局が同一の基地局であるかどうかを決定する手順と、
前記モバイルネットワークマルチキャスト通信方式をサポートする前記メンバデバイスによって前記予め設定された時間範囲内にアクセスされる前記基地局が同一の基地局であるとき、前記モバイルネットワークマルチキャスト通信方式をサポートする前記メンバデバイスの前記マルチキャスト型がＣＢＳであると決定する、または、
前記モバイルネットワークマルチキャスト通信方式をサポートする前記メンバデバイスによって前記予め設定された時間範囲内にアクセスされる前記基地局が異なる基地局であるとき、前記モバイルネットワークマルチキャスト通信方式をサポートする前記メンバデバイスの前記マルチキャスト型がＰＤＮであると決定する手順と
を実行するように構成されている、請求項２９に記載のモバイルネットワークプラットフォーム。
【請求項３１】
グループ作成要求を受信するように構成されている受信ユニットであって、前記グループ作成要求は、マシン間通信Ｍ２Ｍグループ識別子と、作成予定のＭ２Ｍグループにおけるメンバデバイスのデバイス識別子とを保持する、受信ユニットと、
前記受信ユニットによって受信された、前記メンバデバイスの前記デバイス識別子に従って、モバイルネットワークマルチキャスト通信方式をサポートするメンバデバイスを決定するように構成されている第１決定ユニットと、
前記受信ユニットによって受信された前記グループ作成要求に従って、前記Ｍ２Ｍグループ識別子によって示されるＭ２Ｍグループを作成するように構成されている作成ユニットであって、前記Ｍ２Ｍグループはデバイスグループ識別子を含み、前記デバイスグループ識別子は、モバイルネットワークマルチキャストがサポートされることを示す情報を含み、前記作成ユニットはさらに、前記モバイルネットワークマルチキャスト通信方式をサポートする、前記決定ユニットによって決定される前記メンバデバイスのためのデバイスグループを作成するように構成されている、作成ユニットと、
モバイルネットワークマルチキャストがサポートされることを示す前記情報に従って、前記デバイスグループに対応する作成予定の外部グループの外部グループ識別子を生成するように構成されている生成ユニットと、
外部グループ作成要求をモバイルネットワークサーバへ送信するように構成されている送信ユニットであって、前記外部グループ作成要求は、前記外部グループ識別子と、前記モバイルネットワークマルチキャスト通信方式をサポートする前記メンバデバイスの外部デバイス識別子とを含み、前記外部グループ作成要求は、外部グループを作成するように命令するために使用され、前記外部グループは、識別子が前記外部グループ識別子であり、前記モバイルネットワークマルチキャスト通信方式をサポートする前記メンバデバイスの前記外部デバイス識別子を含む、送信ユニットと
を備えるモバイルネットワークプラットフォーム。
【請求項３２】
前記第１決定ユニットは、具体的には、
前記メンバデバイスの前記デバイス識別子に従って、前記メンバデバイスの登録情報を取得し、
前記外部デバイス識別子を含む登録情報を有するメンバデバイスが、前記モバイルネットワークマルチキャスト通信方式をサポートする前記メンバデバイスを含むと決定する
ように構成されている、請求項３１に記載のモバイルネットワークプラットフォーム。
【請求項３３】
前記モバイルネットワークプラットフォームはさらに、
前記モバイルネットワークマルチキャスト通信方式をサポートする前記メンバデバイスの特性情報を取得するように構成されている取得ユニットであって、前記特性情報は、前記モバイルネットワークマルチキャスト通信方式をサポートする前記メンバデバイスの履歴位置情報、および／または、前記モバイルネットワークマルチキャスト通信方式をサポートする前記メンバデバイスがマルチメディアブロードキャストマルチキャストサービスＭＢＭＳをサポートすることを示す情報を含む、取得ユニットと、
前記モバイルネットワークマルチキャスト通信方式をサポートする前記メンバデバイスの前記履歴位置情報、および／または、前記モバイルネットワークマルチキャスト通信方式をサポートする前記メンバデバイスが前記ＭＢＭＳをサポートすることを示す前記情報に従って、前記モバイルネットワークマルチキャスト通信方式をサポートする前記メンバデバイスのマルチキャスト型を決定するように構成されている第２決定ユニットとを備え、
前記作成ユニットは、具体的には、前記モバイルネットワークマルチキャスト通信方式をサポートする前記メンバデバイスの前記マルチキャスト型に従って、前記モバイルネットワークマルチキャスト通信方式をサポートする前記メンバデバイスのための前記デバイスグループのデバイスサブグループを作成するように構成され、
前記生成ユニットは、具体的には、モバイルネットワークマルチキャストがサポートされることを示す前記情報に従って、前記デバイスグループの前記デバイスサブグループに対応する作成予定の外部サブグループの識別子を生成するように構成されている、
請求項３２に記載のモバイルネットワークプラットフォーム。
【請求項３４】
前記第２決定ユニットは、具体的には、
前記特性情報が、前記ＭＢＭＳがサポートされることを示す前記情報を含むとき、前記モバイルネットワークマルチキャスト通信方式をサポートする前記メンバデバイスの前記マルチキャスト型がＭＢＭＳであると決定する、または、
前記特性情報が前記履歴位置情報を含むが、前記ＭＢＭＳがサポートされることを示す前記情報を含まないとき、前記履歴位置情報に従って、前記モバイルネットワークマルチキャスト通信方式をサポートする前記メンバデバイスによって、予め設定された時間範囲内にアクセスされる基地局を決定することと、
前記モバイルネットワークマルチキャスト通信方式をサポートする前記メンバデバイスによって前記予め設定された時間範囲内にアクセスされる前記基地局が同一の基地局であるかどうかを決定することと、
前記モバイルネットワークマルチキャスト通信方式をサポートする前記メンバデバイスによって前記予め設定された時間範囲内にアクセスされる前記基地局が前記同一の基地局であるとき、前記モバイルネットワークマルチキャスト通信方式をサポートする前記メンバデバイスの前記マルチキャスト型がＣＢＳであると決定する、または、
前記モバイルネットワークマルチキャスト通信方式をサポートする前記メンバデバイスによって前記予め設定された時間範囲内にアクセスされる前記基地局が異なる基地局であるとき、前記モバイルネットワークマルチキャスト通信方式をサポートする前記メンバデバイスの前記マルチキャスト型がＰＤＮであると決定することと
を行うように構成されている、請求項３３に記載のモバイルネットワークプラットフォーム。
【発明の詳細な説明】
【技術分野】
【０００１】
本出願は、２０１５年１２月１５日に中華人民共和国国家知識産権局に出願された、「グループマルチキャスト方法、グループ作成方法およびモバイルネットワークプラットフォーム」と題された中国特許出願第２０１５１０９３４０５９．２号の優先権を主張するものであり、その全体を参照によって本明細書に組み込むものとする。
【０００２】
本発明は、無線通信技術の分野、特に、グループマルチキャスト方法、グループ作成方法およびモバイルネットワークプラットフォームに関連する。
【背景技術】
【０００３】
Ｍ２Ｍ通信（Ｍａｃｈｉｎｅ−ｔｏ−Ｍａｃｈｉｎｅ  Ｃｏｍｍｕｎｉｃａｔｉｏｎｓ、マシン間通信）は、インテリジェント交通、農業用灌漑、スマートハウス、送電網、検針などのモノのインターネット分野に幅広く適用され、様々な業界において工業化および情報化の統合を実装する。
【０００４】
現代のＭ２Ｍ技術に比較的広く適用されている仕様であるｏｎｅＭ２Ｍは、ＣＳＥ（Ｃｏｍｍｏｎ  Ｓｅｒｖｉｃｅ  Ｅｎｔｉｔｙ、共通サービスエンティティ）、Ｍ２Ｍプラットフォーム、Ｍ２Ｍゲートウェイ、Ｍ２Ｍデバイス、および、それらの間のインタラクションのプロトコルを定義する。アプリケーションサーバは、ＣＳＥを使用することによってＭ２ＭプラットフォームおよびＭ２Ｍゲートウェイに接続され得て、さらに、Ｍ２Ｍデバイスのサービス層グループ機能は、下層ネットワークを使用することによってトリガされ、これにより、複数のＭ２Ｍデバイスへコマンドを送信し、それらから応答を収集する。例えば、電力供給会社の検針アプリケーションサーバは、サービス層グループ機能を使用することによって、都市における様々な場所に位置する同一グループの電気メータからの電気エネルギーデータを要求および収集し得る。
【０００５】
既存のＭ２Ｍ技術に基づくグループマルチキャスト技術は、ＵＤＰ（Ｕｓｅｒ  Ｄａｔａｇｒａｍ  Ｐｒｏｔｏｃｏｌ、ユーザデータグラムプロトコル）ネットワークを使用することによって実装される。ＵＤＰは、サーバとデバイスとの間のデータ伝送を要求するネットワークアプリケーションのためのサポートを提供するために使用される。ＵＤＰネットワークを使用することによってグループマルチキャストを実行するプロセスは以下の通りである。アプリケーションサーバがＵＤＰグループ作成要求をＭ２Ｍプラットフォームへ送信する。Ｍ２ＭプラットフォームがＵＤＰグループ加入通知を複数の指定Ｍ２Ｍデバイスへ送信し、その結果、加入通知を受信した、指定Ｍ２ＭデバイスがＵＤＰグループに別個に加入する。最後に、Ｍ２Ｍプラットフォームが、アプリケーションサーバによって送信されたグループアクセス要求に従って、グループマルチキャスト通信方式で、ＵＤＰグループにおける指定Ｍ２Ｍデバイスにアクセスする。
【０００６】
すなわち、従来技術において、加入通知を受信する各Ｍ２Ｍデバイスは、グループ加入動作を能動的に開始する必要がある。この場合、比較的多数の指定Ｍ２Ｍデバイスがある場合、Ｍ２ＭプラットフォームとＭ２Ｍデバイスとの間のインタラクションのプロセスにおいて、大量の情報が生成され、その結果、非常に多くのリソースオーバヘッドが生じる。加えて、Ｍ２Ｍデバイスがグループに加入するまでＭ２Ｍプラットフォームが待機するプロセスも時間の浪費であり、グループマルチキャストの効率が低減する。
【発明の概要】
【０００７】
本発明の実施形態は、グループマルチキャスト方法、グループ作成方法およびモバイルネットワークプラットフォームを提供し、これにより、モバイルネットワークマルチキャスト通信方式をサポートするメンバデバイスはもはや、マルチキャスト中にＭ２Ｍマルチキャストグループに能動的に加入する必要が無く、その代わりに、マルチキャスト通信方式でマルチキャストアクセスコマンドを受信する。これにより、メンバデバイスが要求を用いて能動的にマルチキャストグループに加入する必要があるという理由でモバイルネットワークプラットフォームとメンバデバイスとの間で生成される情報量が低減し、リソースオーバヘッドが低減する。
【０００８】
第１態様によれば、本発明はグループマルチキャスト方法を提供する。モバイルネットワークプラットフォームは、モバイルネットワークマルチキャスト通信方式をサポートする、グループ内のメンバデバイスのデバイスグループ識別子と、モバイルネットワークサーバに記憶された、デバイスグループに対応する外部グループの識別子とを記憶する。モバイルネットワークプラットフォームは、グループアクセス要求をアプリケーションサーバから受信したとき、モバイルネットワークマルチキャスト通信方式をサポートするメンバデバイスを含むデバイスグループを取得し、次に、モバイルネットワークサーバに記憶された、デバイスグループに対応する外部グループの識別子を決定する。最後に、モバイルネットワークプラットフォームは、モバイルネットワークサーバを使用することによってアクセスコマンドを外部グループへ送信し、これにより、モバイルネットワークサーバは、モバイルネットワークマルチキャスト通信方式で、外部グループにおけるメンバデバイスへアクセスコマンドを送信し得る。外部グループにおける各メンバデバイスは、モバイルネットワークマルチキャストをサポートする。従って、外部グループにおけるメンバデバイスは、モバイルネットワークマルチキャスト通信方式でマルチキャストされたアクセスコマンドを受信し得て、各メンバデバイスは、要求を能動的に送信することによってマルチキャストグループに加入する必要が無い。これにより、モバイルネットワークプラットフォームとメンバデバイスとの間で生成される情報量が低減し得て、オーバヘッドが低減する。
【０００９】
第２態様によれば、本発明はグループマルチキャスト方法を提供する。サービス層装置は、グループアクセス要求を受信し、グループにおけるデバイスグループ識別子を認識する。次に、サービス層装置は、デバイスグループのためのアクセス要求をモバイルネットワークプラットフォームへ送信する。モバイルネットワークプラットフォームは、デバイスグループのためのアクセス要求を受信した後、デバイスグループに対応する外部グループの識別子を決定し、モバイルネットワークマルチキャスト要求をモバイルネットワークサーバへ送信し、図６Ａおよび図６Ｂ、ならびに、図７Ａおよび図７Ｂにおけるモバイルネットワークプラットフォームによって実装される関連する手順を実行する。このデバイスにおいて、サービス層装置およびモバイルネットワークプラットフォームは、別個のものとして設計されている。サービス層装置は、グループアクセス要求を送信するアプリケーションサーバとインタラクトすること、デバイスグループ識別子を決定すること、および、デバイスグループのためのアクセス要求をモバイルネットワークプラットフォームへ送信することを担当する。これにより、ネットワークレイアウトの柔軟性が増加し、モバイルネットワークプラットフォームとアプリケーションサーバとの間のインタラクションの圧力が低減し、また、モバイルネットワークプラットフォームとメンバデバイスとの間で生成される情報量が低減し、オーバヘッドが低減し得る。
【００１０】
上述の２つの態様に関連する可能な設計において、モバイルネットワークプラットフォームは、応答アドレスをデバイスグループにおけるメンバデバイスに割り当て得て、その結果、デバイスグループにおけるメンバデバイスは、応答アドレスを取得し、要求内容についての応答情報をモバイルネットワークプラットフォームへ送信する。このようにして、モバイルネットワークプラットフォームは、メンバデバイスがアクセス要求の受信に成功したかどうかを明確に決定し、複数の異なる状況に対処するための条件を提供し得る。
【００１１】
上述の２つの態様に関連する可能な設計において、モバイルネットワークマルチキャストをサポートするメンバデバイスは、複数の異なるタイプのマルチキャスト通信方式をサポートし得る。モバイルネットワークプラットフォームに記憶されたデバイスグループは、複数の異なるメンバデバイスを含むデバイスサブグループを含み得る。従って、モバイルネットワークプラットフォームは、デバイスグループ識別子に従って、デバイスグループのデバイスサブグループを検索し、マルチキャスト要求において、アクセスコマンドを受信するデバイスサブグループの識別子を指定し、その結果、モバイルネットワークサーバは、デバイスサブグループの識別子に対応するグループにおけるメンバデバイスのみに対してマルチキャストを実行し得て、これにより、マルチキャスト効率および成功率を改善する。
【００１２】
可能な設計において、モバイルネットワークプラットフォームは、デバイスグループ識別子に従って、デバイスグループのデバイスサブグループを検索した後に、デバイスサブグループのマルチキャスト型を決定し得て、さらに、デバイスサブグループのマルチキャスト型に従って、デバイスサブグループにおけるメンバデバイスに応答アドレスを割り当て得て、その結果、モバイルネットワークプラットフォームは、異なるデバイスサブグループに対して異なる管理を実行し得て、これにより、管理の精度および正確度を改善する。
【００１３】
可能な設計において、モバイルネットワークプラットフォームは、マルチキャスト型がセルブロードキャストサービスＣＢＳである、デバイスサブグループのための要求リソースを作成し、要求リソースに要求内容を記憶し、要求アドレスを要求リソースに割り当てる。マルチキャスト型がＣＢＳであるメンバデバイスは、要求アドレスを使用することによって、要求リソースから要求内容を取得し得る。マルチキャスト型がＣＢＳであるメンバデバイスがマルチキャスト通信方式でメッセージを受信するとき、生成されるデータの量は限られている。従って、モバイルネットワークプラットフォームによって要求リソースを作成することは、マルチキャストプロセスの改善に役立ち、その結果、マルチキャスト型がＣＢＳであるメンバデバイスはまた、マルチキャストインタラクションプロセスに参加できる。
【００１４】
可能な設計において、モバイルネットワークプラットフォームは、デバイスグループにおけるメンバデバイスによって応答アドレスへ送信された、要求内容についての応答情報を受信した後に、返された応答情報を受信していないメンバデバイスに従って、マルチキャスト型がトリガマルチキャストであるトリガデバイスグループを作成し得て、最後に、トリガデバイスグループに対応するトリガ外部グループを作成するようにモバイルネットワークサーバに命令し得て、その結果、メンバデバイスのマルチキャスト型を適時に変更でき、これにより、マルチキャスト成功率を保証する。
【００１５】
第３態様によれば、本発明はグループマルチキャスト方法を提供する。メンバデバイスは、モバイルネットワークサーバによってモバイルネットワークマルチキャスト通信方式で送信されたアクセスコマンドを受信し、アクセスコマンドから、要求内容、および、モバイルネットワークプラットフォームによって割り当てられた応答アドレスを取得する。次に、メンバデバイスは、応答アドレスに従って、要求内容についての応答情報をモバイルネットワークプラットフォームへ送信する。従って、各メンバデバイスは、能動的に要求を送信してマルチキャストグループに加入する必要がない。これにより、モバイルネットワークプラットフォームとメンバデバイスとの間に生成される情報量が低減し、オーバヘッドが低減し得る。
【００１６】
第４態様によれば、本発明はグループ作成方法を提供する。モバイルネットワークプラットフォームは、グループ作成要求をアプリケーションサーバから受信した後に、グループ作成要求に従って、グループ識別子と、グループにおけるメンバデバイスのデバイス識別子とを取得し、メンバデバイスのデバイス識別子を使用することによって、グループにおける、モバイルネットワークマルチキャスト通信方式をサポートするメンバデバイスを決定し、グループ識別子によって示されるグループと、モバイルネットワークマルチキャスト通信方式をサポートするメンバデバイスを含むデバイスグループとを作成し、最後に、モバイルネットワークサーバに記憶される、デバイスグループに対応する外部グループの識別子を生成し、これにより、モバイルネットワークサーバに対し、デバイスグループに対応する外部グループを作成するように要求する。外部グループにおける各メンバデバイスは、モバイルネットワークマルチキャストをサポートする。従って、モバイルネットワークサーバが外部グループを作成した後に、モバイルネットワークプラットフォームは、外部グループのためのアクセス要求をモバイルネットワークサーバへ送信でき、外部グループにおけるメンバデバイスは、モバイルネットワークマルチキャスト通信方式でマルチキャストされるアクセスコマンドを受信し得る。各メンバデバイスは、能動的に要求を送信してマルチキャストグループに加入する必要はない。これにより、モバイルネットワークプラットフォームとメンバデバイスとの間に生成される情報量が低減し、オーバヘッドが低減し得る。
【００１７】
第５態様によれば、本発明はグループ作成方法を提供する。サービス層装置は、アプリケーションサーバによって送信されたグループ作成要求を受信し、グループ作成要求を使用することによって、グループ識別子と、グループにおけるメンバデバイスのデバイス識別子とを取得し、メンバデバイスのデバイス識別子に従って、グループにおける、モバイルネットワークマルチキャスト通信方式をサポートするメンバデバイスを決定し、図８Ａおよび図８Ｂにおけるモバイルネットワークプラットフォームによって実装される関連する手順を実行し、次に、モバイルネットワークプラットフォームに対し、モバイルネットワークマルチキャスト通信方式をサポートするメンバデバイスの識別子を含むデバイスグループを作成するように要求する。このデバイスにおいて、サービス層装置およびモバイルネットワークプラットフォームは、別個のものとして設計されている。サービス層装置は、グループ作成要求を送信するアプリケーションサーバとインタラクトすること、モバイルネットワークマルチキャスト通信方式をサポートするメンバデバイスを決定すること、および、デバイスグループのための作成要求をモバイルネットワークプラットフォームへ送信することを担当する。これにより、ネットワークレイアウトの柔軟性が増加し、モバイルネットワークプラットフォームとアプリケーションサーバとの間のインタラクションの圧力が低減し、また、モバイルネットワークプラットフォームとメンバデバイスとの間で生成される情報量が低減し、オーバヘッドが低減し得る。
【００１８】
上述の２つの可能な設計において、サービス層装置は、メンバデバイスのデバイス識別子に従って、メンバデバイスの登録情報をモバイルネットワークプラットフォームから取得し、外部デバイス識別子を含む登録情報を有するメンバデバイスが、モバイルネットワークマルチキャスト通信方式をサポートするメンバデバイスであると決定する。サービス層装置は、モバイルネットワークプラットフォームに記憶されているメンバデバイスの登録情報を使用することによって、モバイルネットワークマルチキャスト通信方式をサポートするメンバデバイスを決定でき、これにより、複数の異なる状況に対処するための条件を提供する。
【００１９】
可能な設計において、モバイルネットワークマルチキャストをサポートするメンバデバイスは、複数の異なるタイプのマルチキャスト通信方式をサポートし得る。モバイルネットワークプラットフォームは、メンバデバイスの履歴位置情報、および／または、マルチメディアブロードキャストマルチキャストサービスＭＢＭＳをサポートするメンバデバイスを示す情報を取得してメンバデバイスのマルチキャスト型を決定し、メンバデバイスのマルチキャスト型に従って、デバイスグループのデバイスサブグループを作成する。このようにして、モバイルネットワークサーバは、マルチキャスト中に、デバイスサブグループ識別子に対応するグループにおけるメンバデバイスのみに対してマルチキャストを実行し得て、これにより、マルチキャスト効率および成功率が改善する。
【００２０】
可能な設計において、モバイルネットワークプラットフォームは、メンバデバイスがＭＢＭＳをサポートすることを示す取得された情報に従って、メンバデバイスのマルチキャスト型がＭＢＭＳであると決定する、または、メンバデバイスによって、予め設定された時間範囲内にアクセスされる基地局が同一の基地局であるかどうかに従って、メンバデバイスのマルチキャスト型がＣＢＳもしくはＰＤＮであると決定し得る。これにより、マルチキャスト型を決定する具体的な方式を限定し、異なるマルチキャスト型のために異なるマルチキャスト通信方式を実装することを便利にし、多様なマルチキャスト通信方式を実装し、マルチキャスト成功率を改善する。
【００２１】
第６態様によれば、本発明はモバイルネットワークプラットフォームを提供する。モバイルネットワークプラットフォームは、上述の方法の設計で、モバイルネットワークプラットフォームの挙動を実装する機能を有する。当該機能は、ハードウェアを使用することによって、または、対応するソフトウェアを実行するハードウェアを使用することによって実装され得る。ハードウェアまたはソフトウェアは、上述の機能に対応する１または複数のモジュールを含む。モジュールは、ソフトウェアおよび／またはハードウェアであり得る。モバイルネットワークプラットフォームは、受信ユニット、検索ユニット、決定ユニットおよび送信ユニットを含み、これらは、第１態様において提供されるグループマルチキャスト方法の関連する段階を実行するために使用される。
【００２２】
受信ユニットは、マシン間通信Ｍ２Ｍグループのためのアクセス要求を受信するように構成され、アクセス要求は、Ｍ２Ｍグループ識別子および要求内容を保持する。検索ユニットは、受信ユニットによって受信されたＭ２Ｍグループ識別子に従って、デバイスグループの識別子を検索するように構成され、デバイスグループに含まれるメンバデバイスは、Ｍ２Ｍグループ識別子によって示されるグループにおける、モバイルネットワークマルチキャスト通信方式をサポートするメンバデバイスである。決定ユニットは、検索ユニットによって発見されたデバイスグループに対応する外部グループの識別子を決定するように構成され、外部グループは、モバイルネットワークサーバに記憶され、外部グループにおけるメンバデバイスは、デバイスグループにおけるメンバデバイスである。送信ユニットは、モバイルネットワークマルチキャスト要求をモバイルネットワークサーバへ送信するように構成され、モバイルネットワークマルチキャスト要求は、外部グループの識別子および要求内容を保持し、モバイルネットワークマルチキャスト要求は、アクセスコマンドを外部グループにおけるメンバデバイスへモバイルネットワークマルチキャスト通信方式で送信するように命令するために使用され、アクセスコマンドは、要求内容を保持する。
【００２３】
第７態様によれば、本発明は、モバイルネットワークプラットフォームを提供する。モバイルネットワークプラットフォームは、受信ユニット、第１決定ユニット、作成ユニット、生成ユニットおよび送信ユニットを備え、これらは、第４態様において提供されるグループ作成方法の関連する段階を実行するために使用される。
【００２４】
受信ユニットは、グループ作成要求を受信するように構成され、グループ作成要求は、マシン間通信Ｍ２Ｍグループ識別子、および、作成予定のＭ２Ｍグループにおけるメンバデバイスのデバイス識別子を保持する。第１決定ユニットは、受信ユニットによって受信された、メンバデバイスのデバイス識別子に従って、モバイルネットワークマルチキャスト通信方式をサポートするメンバデバイスを決定するように構成されている。作成ユニットは、受信ユニットによって受信されたグループ作成要求に従って、Ｍ２Ｍグループ識別子によって示されるＭ２Ｍグループを作成するように構成され、Ｍ２Ｍグループは、デバイスグループ識別子、および、モバイルネットワークマルチキャストがサポートされることを示す情報を含むデバイスグループ識別子を含む。作成ユニットはさらに、決定ユニットによって決定された、モバイルネットワークマルチキャスト通信方式をサポートするメンバデバイスのためのデバイスグループを作成するように構成されている。生成ユニットは、モバイルネットワークマルチキャストがサポートされることを示す情報に従って、デバイスグループに対応する作成予定の外部グループの外部グループ識別子を生成するように構成されている。送信ユニットは、外部グループ作成要求をモバイルネットワークサーバへ送信するように構成され、外部グループ作成要求は、外部グループ識別子、および、モバイルネットワークマルチキャスト通信方式をサポートするメンバデバイスの外部デバイス識別子を含み、外部グループ作成要求は、外部グループを作成するように命令するために使用され、外部グループは、識別子が外部グループ識別子であり、モバイルネットワークマルチキャスト通信方式をサポートするメンバデバイスの外部デバイス識別子を含む。
【００２５】
可能な設計において、モバイルネットワークプラットフォームの構造は、受信器、送信器およびプロセッサを含む。プロセッサは、上述の方法における対応する機能をモバイルネットワークプラットフォームに実行させるように構成されている。送信器は、モバイルネットワークプラットフォームとモバイルネットワークサーバとの間の通信をサポートするように構成されている。モバイルネットワークプラットフォームはさらに、メモリを含み得る。メモリは、プロセッサに連結され、モバイルネットワークプラットフォームの必要なプログラム命令およびデータを記憶するように構成されている。モバイルネットワークプラットフォームはさらに、別のデバイスまたは通信ネットワークと通信するためにモバイルネットワークプラットフォームによって使用される通信インタフェースを備え得る。
【００２６】
可能な設計において、プロセッサはモバイルネットワークプラットフォーム内に配置される。一態様において、メモリに記憶されたコードは、本発明において提供されるグループマルチキャスト方法を実行し得て、例えば、モバイルネットワークマルチキャスト通信方式をサポートするメンバデバイスを含むデバイスグループを取得し、次に、モバイルネットワークサーバに記憶されている、デバイスグループに対応する外部グループの識別子を決定する。別の態様において、メモリに記憶されたコードはさらに、本発明において提供されるグループ作成方法を実行し、例えば、グループ作成要求に従って、グループ識別子、および、グループにおけるメンバデバイスのデバイス識別子を取得し、メンバデバイスのデバイス識別子を使用することによって、グループにおける、モバイルネットワークマルチキャスト通信方式をサポートするメンバデバイスを決定し、グループ識別子によって示されるグループ、および、モバイルネットワークマルチキャスト通信方式をサポートするメンバデバイスを含むデバイスグループを作成し、最後に、モバイルネットワークサーバに記憶されている、デバイスグループに対応する外部グループの識別子を生成し得る。
【００２７】
可能な設計において、サービス層装置の構造は、受信器、送信器およびプロセッサを含む。プロセッサは、上述の方法における対応する機能をサービス層装置に実行させるように構成されている。送信器は、サービス層装置とモバイルネットワークプラットフォームとの間の通信をサポートするように構成されている。サービス層装置はさらに、メモリを含み得る。メモリは、プロセッサに連結され、モバイルネットワークプラットフォームの必要なプログラム命令およびデータを記憶するように構成されている。サービス層装置はさらに、別のデバイスまたは通信ネットワークと通信するためにサービス層装置によって使用される通信インタフェースを備え得る。
【００２８】
可能な設計において、プロセッサは、サービス層装置内に配置される。一態様において、メモリに記憶されるコードは、本発明において提供されるグループマルチキャスト方法を実行し得て、例えば、グループにおけるデバイスグループ識別子を認識し、次に、デバイスグループのためのアクセス要求をモバイルネットワークプラットフォームへ送信し得る。デバイスグループのためのアクセス要求を受信した後、モバイルネットワークプラットフォームは、デバイスグループに対応する外部グループの識別子を決定し、モバイルネットワークマルチキャスト要求をモバイルネットワークサーバへ送信し、図６Ａおよび図６Ｂ、ならびに、図７Ａおよび図７Ｂにおけるモバイルネットワークプラットフォームによって実装される関連する手順を実行する。別の態様において、メモリに記憶されたコードはさらに、本発明において提供されるグループ作成方法を実行し得て、例えば、グループ作成要求を使用することによって、グループ識別子、および、グループにおけるメンバデバイスのデバイス識別子を取得すること、メンバデバイスのデバイス識別子に従って、グループにおける、モバイルネットワークマルチキャスト通信方式をサポートするメンバデバイスを決定して、図８Ａおよび図８Ｂにおけるモバイルネットワークプラットフォームによって実装される関連する手順を実行すること、および、次に、モバイルネットワークマルチキャスト通信方式をサポートするメンバデバイスの識別子を含むデバイスグループを作成するようにモバイルネットワークプラットフォームに要求することを行う。
【００２９】
可能な設計において、メンバデバイスの構造は、受信器、送信器およびプロセッサを含む。プロセッサは、上述の方法における対応する機能をメンバデバイスに実行させるように構成されている。送信器は、メンバデバイスとモバイルネットワークプラットフォームとの間、および、メンバデバイスとモバイルネットワークサーバとの間の通信をサポートするように構成されている。メンバデバイスはさらに、メモリを備え得る。メモリは、プロセッサに連結され、メンバデバイスの必要なプログラム命令およびデータを記憶するように構成されている。メンバデバイスはさらに、別のデバイスまたは通信ネットワークと通信するためにメンバデバイスによって使用される通信インタフェースを備え得る。
【００３０】
可能な設計において、プロセッサは、メンバデバイスに配置される。メモリに記憶されるコードは、本発明において提供されるグループマルチキャスト方法を実行し得て、例えば、モバイルネットワークサーバによって送信されたアクセスコマンドから、要求内容、および、モバイルネットワークプラットフォームによって割り当てられた応答アドレスを取得する。次に、メンバデバイスは、応答アドレスに従って、要求内容についての応答情報をモバイルネットワークプラットフォームへ送信する。
【００３１】
第８態様によれば、本発明は、上述のモバイルネットワークプラットフォームによって使用されるコンピュータソフトウェア命令を記憶するように構成されているコンピュータ記憶媒体を提供し、コンピュータソフトウェア命令は、上述の態様において設計されるプログラムを実行するために使用される。
【００３２】
第９態様によれば、本発明は、上述のサービス層装置によって使用されるコンピュータソフトウェア命令を記憶するように構成されているコンピュータ記憶媒体を提供し、コンピュータソフトウェア命令は、上述の態様において設計されるプログラムを実行するために使用される。
【００３３】
第１０態様によれば、本発明は、上述のメンバデバイスによって使用されるコンピュータソフトウェア命令を記憶するように構成されているコンピュータ記憶媒体を提供し、コンピュータソフトウェア命令は、上述の態様において設計されるプログラムを実行するために使用される。
【００３４】
従来技術と比較すると、本発明において提供される解決法においては、マルチキャスト、ブロードキャストおよびマルチキャストなどのネットワークデータ伝送モードをサポートすることにより、モバイルネットワークプラットフォームとメンバデバイスとの間に生成される情報量を低減し、リソースオーバヘッドを低減し、モバイルネットワークプラットフォームによる集中型スケジューリングを実装することができる。
【００３５】
本発明のこれらの態様または他の態様は、以下の実施形態の記述から、より明確になり、より分かり易くなるであろう。
【図面の簡単な説明】
【００３６】
本発明の実施形態をより明確に説明するべく、以下では、実施形態を説明するために必要な添付図面を簡潔に説明する。以下の説明における添付図面は、本発明の一部の実施形態を示しているに過ぎず、当業者ならば、創造的努力なく、これらの添付図面から他の図面をさらに導き出し得ることは明らかである。
【００３７】
【図１Ａ】本発明に係るｏｎｅＭ２Ｍアーキテクチャの概略図である。
【００３８】
【図１Ｂ】本発明に係る別のｏｎｅＭ２Ｍアーキテクチャの概略図である。
【００３９】
【図２】本発明の実施形態に係るシステムアーキテクチャの実施形態の概略図である。
【００４０】
【図３】本発明の実施形態に係るシステムアーキテクチャの別の実施形態の概略図である。
【００４１】
【図４】本発明の実施形態に係るシステムアーキテクチャの別の実施形態の概略図である。
【００４２】
【図５】本発明の実施形態に係るコンピュータデバイスの概略図である。
【００４３】
【図６Ａ】本発明の第１実施形態に係るグループマルチキャスト方法の概略的フローチャートである。
【図６Ｂ】本発明の第１実施形態に係るグループマルチキャスト方法の概略的フローチャートである。
【００４４】
【図７Ａ】本発明の第１実施形態に係る別のグループマルチキャスト方法の概略的フローチャートである。
【図７Ｂ】本発明の第１実施形態に係る別のグループマルチキャスト方法の概略的フローチャートである。
【００４５】
【図８Ａ】本発明の第２実施形態に係るグループ作成方法の概略的フローチャートである。
【図８Ｂ】本発明の第２実施形態に係るグループ作成方法の概略的フローチャートである。
【００４６】
【図９】本発明の第２実施形態に係る別のグループ作成方法の概略的フローチャートである。
【００４７】
【図１０】本発明の第３実施形態に係るモバイルネットワークプラットフォームの概略構造図である。
【００４８】
【図１１】本発明の第３実施形態に係る別のモバイルネットワークプラットフォームの概略構造図である。
【００４９】
【図１２】本発明の第４実施形態に係るサービス層装置の概略構造図である。
【００５０】
【図１３】本発明の第５実施形態に係るメンバデバイスの概略構造図である。
【発明を実施するための形態】
【００５１】
以下、本発明の実施形態における添付図面に関連して、本発明の実施形態における技術的解決法を明確に説明する。説明される実施形態は、本発明の実施形態のいくつかに過ぎず、すべてではないことは明らかである。当業者によって、創造的努力なく、本発明の実施形態に基づいて取得されるすべての他の実施形態は、本発明の保護範囲に属するものとする。
【００５２】
本発明を理解し易くするべく、以下では第１に、本発明に関連する、ｏｎｅＭ２Ｍおよび３ＧＰＰ（ｔｈｅ  ３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）における技術的内容を説明する。
【００５３】
［（１）ｏｎｅＭ２Ｍアーキテクチャおよびサービス層グループ機能］
【００５４】
ｏｎｅＭ２Ｍは、ＣＳＥ（Ｃｏｍｍｏｎ  Ｓｅｒｖｉｃｅ  Ｅｎｔｉｔｙ、共通サービスエンティティ）、Ｍ２Ｍプラットフォーム、Ｍ２Ｍゲートウェイ、Ｍ２Ｍデバイス、および、それらの間のインタラクションのプロトコルを定義する。ｏｎｅＭ２Ｍアーキテクチャは、図１Ａおよび図１Ｂに示される。図１Ａにおいて、Ｍ２ＭプラットフォームはＩＮ（Ｉｎｆｒａｓｔｒｕｃｔｕｒｅ  Ｎｏｄｅ、インフラストラクチャノード）であり、Ｍ２ＭゲートウェイはＭＮ（Ｍｉｄｄｌｅ  Ｎｏｄｅ、中間ノード）であり、Ｍ２ＭデバイスはＡＳＮ（Ａｐｐｌｉｃａｔｉｏｎ  Ｓｅｒｖｉｃｅ  Ｎｏｄｅ、アプリケーションサービスノード）およびＡＤＮ（Ａｐｐｌｉｃａｔｉｏｎ  Ｄｅｄｉｃａｔｅｄ  Ｎｏｄｅ、アプリケーション専用ノード）である。加えて、ＣＳＥ（Ｃｏｍｍｏｎ  Ｓｅｒｖｉｃｅ  Ｅｎｔｉｔｙ、共通サービスエンティティ）は、ｏｎｅＭ２Ｍによって定義された共通機能コンポーネントであり、共通機能を実装できる。ＣＳＥは、Ｍｃａを使用することによって、ＡＥ（Ａｐｐｌｉｃａｔｉｏｎ  Ｅｎｔｉｔｙ、アプリケーションエンティティ）が、ＣＳＥによって公開されている共通機能にアクセスすることを可能にし、Ｍｃｃ参照点を使用することによってＣＳＥの間の通信を実装し、Ｍｃｎ参照点を使用することによって下層ネットワーク機能の呼び出しを実装する。
【００５５】
さらに、ＣＳＥの共通機能には、サービス層グループ機能が含まれる。ＡＥは、ｏｎｅＭ２Ｍのサービスグループ機能を使用することによって、グループ（Ｇｒｏｕｐ）方式で、複数のＭ２Ｍデバイスへコマンドを送信し、それらから応答を収集し得る。例えば、電力供給会社の検針アプリケーションサーバは、サービス層グループ機能を使用することによって、都市における様々な場所に位置する同一グループの電気メータからの電気エネルギーデータを要求および収集し得る。具体的な実装において、グループデバイスにおけるＣＳＥは、サービス層グループリソースを記憶し、メンバデバイスにおけるＣＳＥは、サービス層メンバリソースを記憶する。ＡＥがグループアクセス要求を送信するとき、グループデバイスにおけるＣＳＥは、サービス層グループリソースに従って、要求が配信されることになっているメンバリソースを決定し得て、サービス層メンバリソースに従って、各メンバデバイスのアドレスを決定し、さらに、要求をメンバデバイスへ１つ１つ配信し、各メンバデバイスからフィードバックを収集し、集約されたフィードバックをＡＥへ返し得る。
【００５６】
［（２）３ＧＰＰアーキテクチャおよび外部グループ機能］
【００５７】
３ＧＰＰネットワークは、コアネットワークおよびアクセスネットワークを含む。ＵＥ（Ｕｓｅｒ  Ｅｑｕｉｐｍｅｎｔ、ユーザ機器）は、アクセスネットワークおよびコアネットワークを使用することによって、互いに接続される。一般的に、ＳＩＭ（Ｓｕｂｓｃｒｉｂｅｒ  Ｉｄｅｎｔｉｔｙ  Ｍｏｄｕｌｅ、加入者識別モジュール）カードがＵＥに内蔵され、移動体通信事業者との加入契約についての情報を記憶するために使用される。加入デバイスは、３ＧＰＰネットワークにアクセスし得て、これにより、デバイスのネットワークへのアクセス、通話、ＳＭＳ、位置などの機能を実装する。対応して、事業者はＵＥの加入契約情報をＨＳＳ（Ｈｏｍｅ  Ｓｕｂｓｃｒｉｂｅｒ  Ｓｅｒｖｅｒ、ＨＳＳ、ホーム加入者サーバ）に記憶し、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ、国際移動体加入者識別情報）をＭＮＯ（Ｍｏｂｉｌｅ  Ｎｅｔｗｏｒｋ  Ｏｐｅｒａｔｏｒ、移動体通信事業者）におけるＵＥの加入契約ＩＤとして使用する。ＩＭＳＩは、ＵＥを一意に識別し得る。
【００５８】
さらに、３ＧＰＰプロトコルは、３ＧＰＰグループ機能（Ｇｒｏｕｐ  Ｅｎｈａｎｃｅｍｅｎｔ）を定義する。さらに、外部グループについての情報は、ＨＳＳに記憶され、グループ識別子（Ｇｒｏｕｐ  ＩＤ）およびＩＭＳＩを含む。Ｇｒｏｕｐ  ＩＤは、ネットワーク上の外部グループの固有識別子であり、外部グループは、ＩＭＳＩを使用して、グループにおけるすべてのメンバＵＥを識別する。従来技術において、モバイルネットワークプラットフォームは、ＨＳＳに直接アクセスできず、モバイルネットワークサーバによって公開されているオープン型の３ＧＰＰネットワーク機能（例えば、ＳＣＥＦ（Ｓｅｒｖｉｃｅ  Ｃａｐａｂｉｌｉｔｙ  Ｅｘｐｏｓｕｒｅ  Ｆｕｎｃｔｉｏｎ、サービス機能公開機能））を使用することのみによってＨＳＳにアクセスでき、３ＧＰＰネットワークによって提供される外部グループ機能を呼び出して、グループ（Ｇｒｏｕｐ）方式で、図１Ｂにおける複数のＵＥに対するマルチキャストを実装する。図１Ｂにおける複数のＵＥは、３ＧＰＰ通信機能を有するユーザ機器である。
【００５９】
既存のｏｎｅＭ２Ｍアーキテクチャにおいては、グループデバイスにおけるＣＳＥ（例えば、ＩＮ−ＣＳＥ）は、各メンバデバイスへ要求を配信する必要があるので、グループデバイスとメンバデバイスとの間のインタラクションのプロセスが増加し、リソースオーバヘッドが増加する。従って、本発明の実施形態は、ｏｎｅＭ２Ｍが外部ネットワーク（３ＧＰＰネットワークまたはＢＢＦネットワークなど）と組み合わされる解決法を提供する。モバイルネットワークサーバを使用することによって外部グループを確立し、外部グループのマルチキャスト機能を使用して、グループデバイスとメンバとの間で交換される情報量を低減し、リソースオーバヘッドを低減する。
【００６０】
具体的には、例えば、ｏｎｅＭ２Ｍにおいて定義されるネットワークは、３ＧＰＰネットワークと組み合わされる。グループ機能を実装するＣＳＥは、モバイルネットワークのＳＣＳ（Ｓｅｒｖｉｃｅ  Ｃａｐａｂｉｌｉｔｙ  Ｓｅｒｖｅｒ、サービス機能サーバ）またはＡＳ（Ａｐｐｌｉｃａｔｉｏｎ  Ｓｅｒｖｅｒ、アプリケーションサーバ）として使用され得る。モバイルネットワークによって提供されるグループマルチキャスト機能は、モバイルネットワークサーバ（例えば、ＳＣＥＦ）を使用することによって呼び出され、その結果、グループデバイスのＣＳＥは、モバイルネットワークを使用することによって少なくとも１つのＭ２Ｍデバイスと通信し得る。Ｍ２ＭデバイスはＵＥであり、Ｍ２Ｍデバイスは無線ネットワーク事業者ＭＮＯによって提供されるモバイルネットワークを使用することによって通信を実行する。
【００６１】
本発明におけるモバイルネットワークプラットフォームは、グループにおける、モバイルネットワークマルチキャスト通信方式をサポートするメンバデバイスのためのデバイスグループを作成し、デバイスグループに対応する外部グループの識別子を生成し、外部グループの識別子、および、モバイルネットワークマルチキャスト通信方式をサポートするメンバデバイスの外部デバイス識別子に従って外部グループを作成するようにＳＣＥＦに要求する。モバイルネットワークプラットフォームは、グループアクセス要求を受信したとき、グループにおけるデバイスグループを取得し、対応する外部グループを認識し、それに応じて、マルチキャスト通信方式で外部グループにおけるメンバデバイスにアクセスするようにＳＣＥＦに要求する。
【００６２】
図２は、本発明の実施形態に係るシステムアーキテクチャの実施形態の概略図である。以下の図６Ａおよび図６Ｂから図９における方法手順は、このシステムアーキテクチャに基づいて実装される。図２に示されるシステムアーキテクチャは、アプリケーションサーバ１０、サービス層装置２１、モバイルネットワークプラットフォーム２０およびモバイルネットワークサーバ３０を備える。図２において、サービス層装置２１は、モバイルネットワークプラットフォーム２０に統合された装置であり、アプリケーションサーバ１０は、モバイルネットワークプラットフォーム２０と直接通信し得る。任意で、モバイルネットワークが３ＧＰＰネットワークであり得るシナリオにおいて、モバイルネットワークサーバ３０は、下層ネットワーク機能公開サーバ（例えば、ＳＣＥＦ）であり得る。具体的には以下の通りである。
【００６３】
アプリケーションサーバ１０は、アプリケーションを保持するサーバ（例えばＡＥ）、または、電力供給会社の検針アプリケーションを保持するサーバである。本発明におけるアプリケーションサーバ１０は、グループアクセス要求を送信し得て、これにより、モバイルネットワークプラットフォーム２０によって収集される、モバイルネットワークマルチキャスト通信方式をサポートする各メンバデバイスの応答を受信し、モバイルネットワークマルチキャスト通信方式をサポートしない各メンバデバイスの応答を受信し得る。本発明におけるアプリケーションサーバ１０はまた、グループ作成要求を送信し得て、その結果、モバイルネットワークプラットフォーム２０は、デバイスグループを作成し、モバイルネットワークサーバ３０に対し、外部グループを作成するように要求する。最後に、アプリケーションサーバ１０は、モバイルネットワークプラットフォームによって送信されたグループ作成成功応答を受信する。
【００６４】
モバイルネットワークプラットフォーム２０は、ＩＮ−ＣＳＥであり得る。サービス層装置２１がモバイルネットワークプラットフォーム２０に統合されているとき、モバイルネットワークプラットフォーム２０は、アプリケーションサーバ１０およびＳＣＥＦと通信し得て、グループアクセス要求およびグループ作成要求を受信し、デバイスグループを作成し、ＳＣＥＦに対し、外部グループを作成するように要求し、ＳＣＥＦによって転送される、モバイルネットワークマルチキャスト通信方式をサポートするメンバデバイスの応答を受信するように構成されている。
【００６５】
モバイルネットワークサーバ３０はＳＣＥＦであり得て、下層ネットワーク機能を呼び出すためのインタフェースをモバイルネットワークプラットフォーム２０に提供し、マルチキャスト要求をモバイルネットワークプラットフォーム２０から受信し、モバイルネットワークマルチキャスト通信方式をサポートする各メンバデバイスの応答を受信し、モバイルネットワークプラットフォーム２０によって送信された外部グループ作成要求を受信し、これにより、外部グループを作成し得る。
【００６６】
図３は、本発明の実施形態に係るシステムアーキテクチャの別の実施形態の概略図である。以下の図６Ａおよび図６Ｂから図９における方法手順は、このシステムアーキテクチャに基づいて実装される。図３に示されるシステムアーキテクチャは、アプリケーションサーバ１０、サービス層装置２１、モバイルネットワークプラットフォーム２０およびモバイルネットワークサーバ３０を備える。図３において提供されるシステムアーキテクチャにおいて、サービス層装置２１は、モバイルネットワークプラットフォーム２０から独立した装置であり、アプリケーションサーバ１０およびモバイルネットワークプラットフォーム２０と通信するように構成されている。具体的には以下の通りである。
【００６７】
アプリケーションサーバ１０は、グループアクセス要求をサービス層装置２１へ送信して、これにより、モバイルネットワークプラットフォーム２０によって収集されサービス層装置２１によって転送された、モバイルネットワークマルチキャスト通信方式をサポートする各メンバデバイスの応答を受信し、サービス層装置２１によって転送された、モバイルネットワークマルチキャスト通信方式をサポートしない各メンバデバイスの応答を受信するように構成されている。アプリケーションサーバ１０はさらに、グループ作成要求をサービス層装置２１へ送信し、サービス層装置２１によって転送されたグループ作成成功応答を受信するように構成されている。
【００６８】
サービス層装置２１は、Ｍ２Ｍネットワーク上にある、グループ機能を実装し得る装置であり得て、例えば、グループ機能を有するＣＳＥが属する装置（ＣＳＥが提供されているゲートウェイ、または、ＣＳＥが提供されている中間ノードもしくはプラットフォーム）などである。サービス層装置２１がモバイルネットワークプラットフォーム２０から独立しているとき、サービス層装置２１は、アプリケーションサーバ１０によって送信されたグループアクセス要求を受信し、グループにおけるデバイスグループを取得し、デバイスグループの識別子、および、グループアクセス要求の要求内容を含む、デバイスグループのためのアクセス要求をモバイルネットワークプラットフォーム２０へ送信し得る。さらに、サービス層装置２１は、アプリケーションサーバ１０によって送信されたグループ作成要求を受信し、モバイルネットワークマルチキャスト通信方式をサポートするメンバデバイスを識別し、モバイルネットワークプラットフォーム２０に対し、デバイスグループを作成するように要求し得る。サービス層装置２１はさらに、モバイルネットワークプラットフォーム２０からの作成成功応答、および、メンバデバイスのアクセス応答をアプリケーションサーバ１０へ転送し得る。
【００６９】
モバイルネットワークプラットフォーム２０は、サービス層装置２１およびＳＣＥＦと通信し、サービス層装置２１によって送信される、デバイスグループのためのアクセス要求を受信し、デバイスグループのためのアクセス要求に従って、対応する外部グループを検索し、外部グループにおけるデバイスへのアクセスをＳＣＥＦに要求するように構成されている。モバイルネットワークプラットフォーム２０はさらに、サービス層装置２１によって送信されたデバイスグループ作成要求を受信し、モバイルネットワークマルチキャスト通信方式をサポートするメンバデバイスを認識し、モバイルネットワークマルチキャスト通信方式をサポートするメンバデバイスに従って、デバイスグループを作成し、ＳＣＥＦに対し、対応する外部グループを作成するように要求するように構成されている。
【００７０】
モバイルネットワークサーバ３０によって実装される機能の詳細については、図２の説明を参照されたい。ここでは詳細を再度説明しない。
【００７１】
図４は、本発明の実施形態に係るシステムアーキテクチャの別の実施形態の概略図である。以下の図６Ａおよび図６Ｂから図９における方法手順は、このシステムアーキテクチャに基づいて実装される。図４に示されるシステムアーキテクチャは、アプリケーションサーバ１０、サービス層装置２１、モバイルネットワークプラットフォーム２０、モバイルネットワークサーバ３０、および、メンバデバイス１からメンバデバイス１０を含む。サービス層装置２１は、図２または図３に記載されているサービス層装置２１であり得る。図４において、サービス層装置２１と、メンバデバイス４およびメンバデバイス５の各々とを接続している破線は、サービス層装置２１がメンバデバイス４およびメンバデバイス５の各々とのユニキャスト通信を直接実行することを示す。モバイルネットワークサーバ３０と、メンバデバイス１からメンバデバイス３およびメンバデバイス６からメンバデバイス１０の各々とを接続している破線は、モバイルネットワークサーバ３０が、モバイルネットワークマルチキャスト通信方式で、メンバデバイス１からメンバデバイス３およびメンバデバイス６からメンバデバイス１０の各々へアクセスコマンドを送信することを示す。モバイルネットワークプラットフォーム２０と、メンバデバイス１からメンバデバイス３およびメンバデバイス６からメンバデバイス１０の各々とを接続する実線は、モバイルネットワークサーバ３０によって送信されたアクセスコマンドを受信した後に、メンバデバイス１からメンバデバイス３、および、メンバデバイス６からメンバデバイス１０の各々がモバイルネットワークプラットフォーム２０へ応答情報を直接送信することを示す。具体的には以下の通りである。
【００７２】
メンバデバイスは、ｏｎｅＭ２ＭにおけるＡＳＮ、ＡＤＮ、ＭＮ、または同様のものであり得て、グループデバイスとしてサービスを提供するモバイルネットワークプラットフォーム２０またはサービス層装置２１と直接通信し得るか、または、下層ネットワーク上のモバイルネットワークサーバ３０（ＳＣＥＦによって保持されるネットワーク）を使用することによってサービス層と通信し得る。具体的には、メンバデバイス１、メンバデバイス２、メンバデバイス３、メンバデバイス６、メンバデバイス７、メンバデバイス８、メンバデバイス９およびメンバデバイス１０は、モバイルネットワークマルチキャスト通信方式をサポートし、モバイルネットワークサービスプロバイダとの間に加入関係を有し、従って、モバイルネットワークサーバ３０を使用することによってモバイルネットワークプラットフォーム２０と通信し得る。しかしながら、メンバデバイス４およびメンバデバイス５には、無線ネットワーク機能が無く、下層ネットワークサービスプロバイダとの間に加入関係が無く、従って、ＩＰプロトコルスタックに基づくネットワークなどの、別のネットワークを使用することのみによって、グループデバイスとしてサービスを提供するサービス層装置２１と通信できる。サービス層装置２１およびモバイルネットワークプラットフォーム２０が統合されているとき、メンバデバイス４およびメンバデバイス５は、モバイルネットワークプラットフォーム２０と直接通信する。本発明において、モバイルネットワークマルチキャスト通信方式をサポートするメンバデバイスは、ＳＣＥＦによってマルチキャスト通信方式で送信されるアクセス要求を受信し、応答を行うことができる。モバイルネットワークマルチキャスト通信方式をサポートしないメンバデバイスは、別のネットワークを使用することによって、サービス層装置２１またはモバイルネットワークプラットフォーム２０によって送信されたアクセス要求を受信する。
【００７３】
アプリケーションサーバ１０、サービス層装置２１、モバイルネットワークプラットフォーム２０およびモバイルネットワークサーバ３０の対応する機能の詳細については、図２または図３の説明を参照されたい。ここでは詳細を再度説明しない。
【００７４】
本発明のこの実施形態におけるモバイルネットワークは、３ＧＰＰネットワークに限定されず、または、ＬＴＥ（Ｌｏｎｇ  Ｔｅｒｍ  Ｅｖｏｌｕｔｉｏｎ、ロングタームエボリューション）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ユニバーサル移動体通信システム）、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、マイクロ波アクセスのためのワールドワイドインターオペラビリティ）ネットワークまたは同様のものであり得る。
【００７５】
本発明のこの実施形態は、電力供給会社の検針サービスに適用できるだけでなく、スマートハウス、車内システムまたは都市監視などのサービスシナリオにも適用され得る。スマートハウスの場合、アプリケーションサーバは、携帯電話などのスマート端末にサービスを提供し得て、モバイルネットワークマルチキャスト機能を使用することによって、同一の家庭環境内に分散している、同一の外部グループに属する家庭用電気器具に対し、関連する電気器具データを要求し、同一の外部グループにおける家庭用電気器具を制御する機能を実装し得る。車内システムの場合、アプリケーションサーバは、車内ソフトウェアプロバイダにサービスを提供し得て、モバイルネットワークマルチキャスト機能を使用することによって、世界中の様々な場所に分散している、同一の外部グループに属する車内デバイスに対し、車内システムバージョンデータを要求し、車内システムデータを更新する機能を実装し得る。都市監視の場合、アプリケーションサーバは、モニタリングサーバであり得て、モバイルネットワークマルチキャスト機能を使用することによって、都市内の様々な場所に分散している、同一の外部グループに属するモニタリングデバイスに対し、モニタリングデータを要求し、同一の外部グループの監視を制御する機能を実装し得る。
【００７６】
本発明のこの実施形態によれば、Ｍ２ＭプラットフォームとＭ２Ｍデバイスとの間のインタラクションに起因して生成される情報量が低減し、リソースオーバヘッドが低減し得る。従って、メンバデバイスはもはや、マルチキャストの間に、能動的にグループに加入する必要が無くなり、これにより、モバイルネットワークプラットフォームによる集中型スケジューリングを実装する。
【００７７】
図５に示されるように、図２から図４におけるモバイルネットワークプラットフォームは、図５におけるコンピュータデバイス（またはシステム）を使用することによって実装され得る。
【００７８】
図５は、本発明の実施形態に係るコンピュータデバイスの概略図を示す。コンピュータデバイス５００は、少なくとも１つのプロセッサ５０１、通信バス５０２、メモリ５０３、少なくとも１つの通信インタフェース５０４、送信器５０５および受信器５０６を含む。
【００７９】
プロセッサ５０１は、汎用中央処理装置（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、または、本発明の解決法におけるプログラムの実行を制御するように構成されている１または複数の集積回路であり得る。
【００８０】
通信バス５０２は、上述のコンポーネントの間で情報を伝達するためのチャネルを含み得る。通信インタフェース５０４は、伝送器タイプの任意の装置を使用することによって、イーサネット（登録商標）、無線アクセスネットワーク（ＲＡＮ）または無線ローカルエリアネットワーク（Ｗｉｒｅｌｅｓｓ  Ｌｏｃａｌ  Ａｒｅａ  Ｎｅｔｗｏｒｋ、ＷＬＡＮ）などの別のデバイスまたは通信ネットワークと通信するように構成されている。
【００８１】
メモリ５０３は、これに限定されないが、リードオンリメモリ（ｒｅａｄ−ｏｎｌｙ  ｍｅｍｏｒｙ、ＲＯＭ）、もしくは、静的な情報および命令を記憶し得る別のタイプの静的記憶デバイス、ランダムアクセスメモリ（ｒａｎｄｏｍ  ａｃｃｅｓｓ  ｍｅｍｏｒｙ、ＲＡＭ）、もしくは、情報および命令を記憶し得る別のタイプの動的記憶デバイス、電気的消去可能プログラマブルリードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）もしくは別のコンパクトディスクメモリ、光ディスクメモリ（圧縮ディスク、レーザディスク、デジタル汎用ディスク、ブルーレイディスク、または同様のものを含む）、磁気ディスク記憶媒体もしくは別の磁気記憶デバイス、または、命令もしくはデータ構造形式を有する所望のプログラムコードを保持もしくは記憶するために使用できる、コンピュータによってアクセスできる任意の他の媒体であり得る。メモリは独立して存在して、バスを使用することによってプロセッサに接続され得るか、または、メモリはプロセッサと統合され得る。
【００８２】
メモリ５０３は本発明の解決法を実行するために使用されるアプリケーションプログラムコードを記憶するように構成され、アプリケーションプログラムコードの実行は、プロセッサ５０１によって制御される。 
【００８３】
図５に示されるコンピュータデバイスがモバイルネットワークプラットフォームであるとき、一態様において、メモリ５０３に記憶されたコードは、本発明において提供されるグループマルチキャスト方法を実行し得て、例えば、モバイルネットワークマルチキャスト通信方式をサポートするメンバデバイスを含むデバイスグループを取得し、次に、モバイルネットワークサーバに記憶されている、デバイスグループに対応する外部グループの識別子を決定する。別の態様において、メモリ５０３に記憶されたコードはさらに、本発明において提供されるグループ作成方法を実行し、例えば、グループ作成要求に従って、グループ識別子、および、グループにおけるメンバデバイスのデバイス識別子を取得し、メンバデバイスのデバイス識別子を使用することによって、グループにおける、モバイルネットワークマルチキャスト通信方式をサポートするメンバデバイスを決定し、グループ識別子によって示されるグループ、および、モバイルネットワークマルチキャスト通信方式をサポートするメンバデバイスを含むデバイスグループを作成し、最後に、モバイルネットワークサーバに記憶されている、デバイスグループに対応する外部グループの識別子を生成し得る。
【００８４】
図５に示されるコンピュータデバイスがサービス層装置であるとき、一態様において、メモリ５０３に記憶されるコードは、本発明において提供されるグループマルチキャスト方法を実行し得て、例えば、グループにおけるデバイスグループ識別子を認識し、次に、デバイスグループのためのアクセス要求をモバイルネットワークプラットフォームへ送信し得る。デバイスグループのためのアクセス要求を受信した後、モバイルネットワークプラットフォームは、デバイスグループに対応する外部グループの識別子を決定し、モバイルネットワークマルチキャスト要求をモバイルネットワークサーバへ送信し、図６Ａおよび図６Ｂ、ならびに、図７Ａおよび図７Ｂにおけるモバイルネットワークプラットフォームによって実装される関連する手順を実行する。別の態様において、メモリ５０３に記憶されたコードはさらに、本発明において提供されるグループ作成方法を実行し得て、例えば、グループ作成要求を使用することによって、グループ識別子、および、グループにおけるメンバデバイスのデバイス識別子を取得すること、メンバデバイスのデバイス識別子に従って、グループにおける、モバイルネットワークマルチキャスト通信方式をサポートするメンバデバイスを決定して、図８Ａおよび図８Ｂにおけるモバイルネットワークプラットフォームによって実装される関連する手順を実行すること、および、次に、モバイルネットワークマルチキャスト通信方式をサポートするメンバデバイスの識別子を含むデバイスグループを作成するようにモバイルネットワークプラットフォームに要求することを行う。
【００８５】
図５に示されているコンピュータデバイスがメンバデバイスであるとき、メモリ５０３に記憶されるコードは、本発明において提供されるグループマルチキャスト方法を実行し得て、例えば、モバイルネットワークサーバによって送信されたアクセスコマンドから、要求内容、および、モバイルネットワークプラットフォームによって割り当てられた応答アドレスを取得する。次に、メンバデバイスは、応答アドレスに従って、要求内容についての応答情報をモバイルネットワークプラットフォームへ送信する。
【００８６】
具体的な実装において、一実施形態において、コンピュータデバイス５００はさらに、送信器５０５および受信器５０６を備え得る。送信器５０５はプロセッサ５０１と通信し、複数の方式で情報を送信し得る。受信器５０６はプロセッサ５０１と通信し、アプリケーションサーバまたはサービス層装置によって送信されたシグナリングを複数の方式で受信し得る。
【００８７】
上述のコンピュータデバイス５００は、汎用コンピュータデバイスまたは専用コンピュータデバイスであり得る。具体的な実装において、コンピュータデバイス５００は、デスクトップコンピュータ、ポータブルコンピュータ、ネットワークサーバ、パーソナルデジタルアシスタント（Ｐｅｒｓｏｎａｌ  Ｄｉｇｉｔａｌ  Ａｓｓｉｓｔａｎｔ、ＰＤＡ）、携帯電話、タブレットコンピュータ、無線端末デバイス、通信デバイス、組み込みデバイス、または、図５と同様の構造を有するデバイスであり得る。本発明のこの実施形態は、コンピュータデバイス５００のタイプを限定しない。
【００８８】
本発明のこの実施形態において、Ｍ２Ｍグループは、サービス層装置に記憶されている、アプリケーションサーバによってＭ２Ｍグループに対して実行される様々な操作を受信するグループである。デバイスグループは、Ｍ２Ｍグループにおける、モバイルネットワークマルチキャストをサポートするメンバデバイスを含むグループであり、サービス層装置がアプリケーションサーバによって送信されたＭ２Ｍグループ作成コマンドを受信した後に、Ｍ２Ｍグループにおける各メンバデバイスがモバイルネットワークマルチキャストをサポートしているかどうかに従って、サービス層装置によって命令されたモバイルネットワークプラットフォームによって作成される。デバイスグループ識別子は、Ｍ２Ｍグループのグループリソースに含まれる。外部グループは、モバイルネットワークプラットフォームの命令に従って、モバイルネットワークサーバによって作成されるグループである。外部グループにおけるメンバデバイスは、デバイスグループに含まれるメンバデバイスである。
【００８９】
図６Ａおよび図６Ｂは、本発明の第１実施形態に係るグループマルチキャスト方法の概略的フローチャートである。当該方法は、図２から図４に示されるシステムアーキテクチャにおけるアプリケーションサーバ、サービス層装置、モバイルネットワークプラットフォーム、モバイルネットワークサーバおよびメンバデバイスによって実装される。図６Ａおよび図６Ｂは主に、グループマルチキャストアクセス手順を説明する。加えて、この実施形態のアプリケーションシナリオにおいて、下層ネットワークは３ＧＰＰネットワークである。従って、サービス層装置は、ｏｎｅＭ２ＭにおけるＡＳＮ−ＣＳＥ、ＭＮ−ＣＳＥまたはＩＮ−ＣＳＥのいずれか１つであり得る。サービス層装置がＡＳＮ−ＣＳＥまたはＭＮ−ＣＳＥであるとき、サービス層装置は、モバイルネットワークプラットフォームから独立している。または、サービス装置がＩＮ−ＣＳＥであるとき、サービス層装置はモバイルネットワークプラットフォームに統合され得る。モバイルネットワークプラットフォームは、ＩＮ−ＣＳＥであり得て、モバイルネットワークサーバは、ＳＣＥＦであり得て、メンバデバイスは、ＡＳＮ、ＭＮ、ＡＤＮ、または同様のものであり得る。図６Ａおよび図６Ｂにおいて、モバイルネットワークマルチキャスト通信方式をサポートしないメンバデバイスは、メンバデバイス１と表され、外部グループにおけるメンバデバイスは、メンバデバイス２と表される。外部グループにおけるメンバデバイスは、モバイルネットワークマルチキャスト通信方式をサポートする。
【００９０】
図６Ａおよび図６Ｂにおいて示される実施形態におけるグループマルチキャスト方法の手順は以下の段階を含み得る。
【００９１】
Ｓ２００：アプリケーションサーバがＭ２Ｍグループのためのアクセス要求をサービス層装置へ送信する。
【００９２】
具体的には、グループアクセス要求は、Ｍ２Ｍグループ識別子および要求内容を保持する。Ｍ２ＭグループにおけるＭ２Ｍメンバデバイスは、モノのインターネット分野において、Ｍ２Ｍプラットフォームと通信し得る。予め設定された数のＭ２ＭメンバデバイスをＭ２Ｍグループに追加することにより、モバイルネットワークサーバによる集中型スケジューリングおよび制御を実装でき、その結果、モバイルネットワークサーバは、マルチキャスト形式で、Ｍ２Ｍグループにおけるメンバデバイスにアクセスできる。サービス層装置は、グループアクセス要求に保持されるグループ識別子を使用することによって、アプリケーションサーバがアクセスを要求したグループのグループＩＤを認識する。要求内容は、グループに含まれるメンバデバイスへのアクセスを要求すること、および、グループにおけるメンバリソースに対して操作を実行することを含む。例えば、グループアクセス要求は、メンバリソースについてのＣＲＵＤＮ（Ｃｒｅａｔｅ／Ｒｅｔｒｉｅｖｅ／Ｕｐｄａｔｅ／Ｄｅｌｅｔｅ／Ｎｏｔｉｆｙ、作成、読み取り、更新、削除または通知）要求であり得る。グループアクセス要求は、グループ識別子（Ｇｒｏｕｐ  ＩＤ）、例えばＧｒｏｕｐ１を保持する。
【００９３】
この実施形態において、図４に示されるように、Ｇｒｏｕｐ１は、１０個のメンバデバイス、すなわち、図４に示されるメンバデバイス１から１０を含むものと仮定し得る。デバイスグループは、Ｍ２Ｍグループ識別子Ｇｒｏｕｐ１によって示されるグループにおける、モバイルネットワークマルチキャスト通信方式をサポートするメンバデバイスを含み、すなわち、メンバデバイス１、メンバデバイス２、メンバデバイス３、メンバデバイス６、メンバデバイス７、メンバデバイス８、メンバデバイス９およびメンバデバイス１０を含む。デバイスグループの属性はモバイルネットワークマルチキャスト（例えば、３ＧＰＰマルチキャスト）である。加えて、Ｇｒｏｕｐ１はさらに、モバイルネットワークマルチキャスト通信方式をサポートするメンバデバイスを含む。モバイルネットワークマルチキャスト通信方式をサポートするこれらのメンバデバイスは、モバイルネットワークプラットフォームに対し、モバイルネットワークマルチキャスト通信方式をサポートするこれらのメンバデバイスへグループアクセス要求を別個に送信するように要求することなく、モバイルネットワークサーバによって送信されたメッセージを、３ＧＰＰネットワークを使用することによって直接受信し得る。従って、デバイスグループにおけるメンバデバイスは、モバイルネットワークマルチキャスト通信方式をサポートするデバイス（例えば、３ＧＰＰ通信機能を有するデバイス）である。
【００９４】
Ｓ２０１：サービス層装置は、Ｍ２Ｍグループ識別子に従ってデバイスグループ識別子を検索する。
【００９５】
具体的には、サービス層装置は、取得されたＭ２Ｍグループ識別子に従って、予め記憶されたデバイスグループ識別子を検索する（例えば、デバイスグループの識別子は、本発明のこの実施形態におけるＧｒｏｕｐ  ３ＧＰＰである）。デバイスグループは、Ｍ２Ｍグループ識別子によって示されるグループにおける、モバイルネットワークマルチキャスト通信方式をサポートするメンバデバイスを含み、すなわち、メンバデバイス１、メンバデバイス２、メンバデバイス３、メンバデバイス６、メンバデバイス７、メンバデバイス８、メンバデバイス９およびメンバデバイス１０を含む。デバイスグループの属性は、モバイルネットワークマルチキャスト（例えば、３ＧＰＰマルチキャスト）である。
【００９６】
Ｓ２０２：サービス層装置は、モバイルネットワークマルチキャスト通信方式をサポートしないメンバデバイスへユニキャスト要求を送信する。
【００９７】
具体的には、図６Ａおよび図６Ｂにおいて、モバイルネットワークマルチキャスト通信方式をサポートしないメンバデバイスは、メンバデバイス１と表され、外部グループにおけるメンバデバイスは、メンバデバイス２と表される。外部グループにおけるメンバデバイスは、モバイルネットワークマルチキャスト通信方式をサポートする。アプリケーションサーバは、グループにおけるメンバデバイスが外部通信機能を有するかどうかを決定できない。従って、サービス層装置は、モバイルネットワークマルチキャスト通信方式をサポートしないメンバデバイスを決定し、次に従来の方式で、モバイルネットワークマルチキャスト通信方式をサポートしないメンバデバイスへ要求（例えば、ユニキャスト要求）を送信する。図４を参照すると、サービス層装置は、モバイルネットワークマルチキャスト通信方式をサポートしないメンバデバイス４およびメンバデバイス５にアクセスするべく、ユニキャスト要求を送信する。
【００９８】
Ｓ２０２とＳ２０１との間には厳格な時間的順序が無いことに留意されたい。
【００９９】
Ｓ２０３：サービス層装置が、モバイルネットワークマルチキャスト通信方式をサポートしないメンバデバイスによって返された応答情報を受信する。
【０１００】
具体的には、サービス層装置は、メンバデバイス４およびメンバデバイス５によって返された応答情報を受信した後に、応答情報をアプリケーションサーバへ転送し、その結果、アプリケーションサーバは、メンバデバイス４およびメンバデバイス５に別の通信方式でアクセスし、例えば、ＩＰ（Ｉｎｔｅｒｎｅｔ  Ｐｒｏｔｏｃｏｌ、インターネットプロトコル）ネットワークを使用することによってメンバデバイス４およびメンバデバイス５にアクセスする。
【０１０１】
本発明のこの実施形態の任意の方式において、Ｓ２０２およびＳ２０３は、本発明のこの実施形態を実装するための必須の段階ではない。グループに含まれるすべてのメンバデバイスがモバイルネットワークマルチキャスト通信方式をサポートするとき、Ｓ２０２およびＳ２０３は実行されないことがあり得る。
【０１０２】
Ｓ２０４：サービス層装置が、デバイスグループのためのアクセス要求をモバイルネットワークプラットフォームへ送信する。
【０１０３】
モバイルネットワークマルチキャスト通信方式をサポートするメンバデバイスを含むデバイスグループの場合、サービス層装置は、デバイスグループのグループ属性が外部ネットワーク（例えば、３ＧＰＰネットワーク）のデバイスグループであると決定し、デバイスグループのためのアクセス要求をモバイルネットワークプラットフォーム（例えば、ＩＮ−ＣＳＥ）へ送信することに留意されたい。デバイスグループのためのアクセス要求は、デバイスグループの識別子、および、アプリケーションサーバによってサービス層装置へ送信されたグループアクセス要求における要求内容を含み、その結果、モバイルネットワークプラットフォームは、デバイスグループのためのアクセス要求に従って、モバイルネットワークマルチキャスト要求をモバイルネットワークサーバへ送信する。
【０１０４】
段階Ｓ２０２および段階Ｓ２０４は、モバイルネットワークプラットフォームがＭ２Ｍグループ識別子に従ってデバイスグループ識別子を検索する具体的な実装であることに留意されたい。
【０１０５】
Ｓ２０５：モバイルネットワークプラットフォームが、サービス層装置によって送信された、デバイスグループのためのアクセス要求を受信した後に、デバイスグループのためのアクセス要求に従って、デバイスグループに対応する外部グループの識別子を決定する。
【０１０６】
具体的には、外部グループの関連情報は、モバイルネットワークサーバに記憶される。外部グループにおけるメンバデバイスは、デバイスグループにおけるメンバデバイスである。モバイルネットワークプラットフォームは、外部グループとデバイスグループ（例えば、Ｇｒｏｕｐ  ３ＧＰＰ）との間の対応関係を記憶し、すなわち、外部グループの識別子とデバイスグループ識別子との間の対応関係を記憶する。モバイルネットワークプラットフォームは、デバイスグループのためのアクセス要求におけるデバイスグループ識別子に従って、サービス層装置がアクセスすることを要求するデバイスグループ（例えば、Ｇｒｏｕｐ  ３ＧＰＰ）を決定した後に、外部グループの識別子とデバイスグループ識別子との間の対応関係に従って、デバイスグループの識別子Ｇｒｏｕｐ  ３ＧＰＰに対応する、モバイルネットワークサーバにおける外部グループの識別子を取得する（本発明のこの実施形態において、外部グループの識別子は、外部グループ識別子（Ｅｘｔｅｒｎａｌ  Ｇｒｏｕｐ  ＩＤ）であり得る）。
【０１０７】
外部グループにおけるメンバデバイスは、デバイスグループにおけるメンバデバイスであること、すなわち、外部グループにおけるメンバデバイスは、デバイスグループにおけるメンバデバイスと同一であることに留意されたい。例えば、デバイスグループ３ＧＰＰは、メンバデバイス１、メンバデバイス２、メンバデバイス３、メンバデバイス６、メンバデバイス７、メンバデバイス８、メンバデバイス９およびメンバデバイス１０を含む。対応して、モバイルネットワークサーバにおける外部グループはまた、メンバデバイス１、メンバデバイス２、メンバデバイス３、メンバデバイス６、メンバデバイス７、メンバデバイス８、メンバデバイス９およびメンバデバイス１０を含む。本発明のこの実施形態において、外部グループがモバイルネットワークサーバ上で作成された後に初めて、モバイルネットワーク（例えば、３ＧＰＰ）マルチキャスト機能を外部グループのメンバデバイスのために実装することができる。
【０１０８】
Ｓ２０６：モバイルネットワークプラットフォームがモバイルネットワークマルチキャスト要求をモバイルネットワークサーバへ送信する。
【０１０９】
具体的には、モバイルネットワークプラットフォームがモバイルネットワークマルチキャスト要求をモバイルネットワークサーバ（例えば、ＳＣＥＦ）へ送信する。モバイルネットワークマルチキャスト要求は、外部グループの識別子（Ｅｘｔｅｒｎａｌ  Ｇｒｏｕｐ  ＩＤ）および要求内容を保持する。モバイルネットワークマルチキャスト要求は、モバイルネットワークサーバに対し、モバイルネットワークマルチキャスト通信方式で、外部グループにおけるメンバデバイスへアクセスコマンドを送信するように命令する。アクセスコマンドは、要求内容を保持し、外部グループにおけるメンバデバイスへアクセスすることを要求する。
【０１１０】
Ｓ２０７：モバイルネットワークサーバが、モバイルネットワークプラットフォームによって送信されたモバイルネットワークマルチキャスト要求を受信した後、モバイルネットワークマルチキャスト通信方式で、外部グループにおけるメンバデバイスへアクセスコマンドを送信する。
【０１１１】
この段階は従来技術に属し、本発明のこの実施形態では詳細に説明しないことに留意されたい。
【０１１２】
Ｓ２０８：モバイルネットワークプラットフォームが、外部グループにおけるメンバデバイスによって送信された応答情報を受信する。
【０１１３】
具体的には、外部グループにおけるメンバデバイスは、モバイルネットワークサーバによってマルチキャスト通信方式で送信されたアクセスコマンドを受信した後に、応答情報をモバイルネットワークプラットフォームへ返す。モバイルネットワークプラットフォームが外部グループにおける各メンバデバイスの応答情報を受信した場合、モバイルネットワークプラットフォームは、応答情報を集約して集約応答情報を生成し、最後に、集約応答情報をサービス層装置へ送信する。モバイルネットワーク（例えば、３ＧＰＰ）マルチキャストシナリオにおいて、モバイルネットワークマルチキャスト通信方式をサポートするメンバデバイスは、モバイルネットワークマルチキャスト要求のリンクを使用することによって応答を返すことができない。従って、モバイルネットワークプラットフォーム（例えば、ＩＮ−ＣＳＥ）は、デバイスグループにおけるメンバデバイスによって送信された応答情報を受信する必要があり、これにより、メンバデバイスがアクセス要求の受信に成功したかどうかを判定し、応答を行う。ＩＮ−ＣＳＥは、デバイスグループのための応答（Ｒｅｓｐｏｎｓｅ）リソースを作成して各メンバデバイスからの応答を受信し、応答アドレスをＲｅｓｐｏｎｓｅリソースに割り当て得る。Ｒｅｓｐｏｎｓｅリソースの応答アドレスは、（／／ｒｅｓｐｏｎｓｅ＿ｃｏｌｌｅｃｔｉｏｎ）であり得る。モバイルネットワークプラットフォームが応答情報を受信するプロセスの詳細については、以下の実施形態における図７Ａおよび図７Ｂを参照されたい。
【０１１４】
Ｓ２０９：サービス層装置が、モバイルネットワークプラットフォームによって送信された集約応答情報を受信する。
【０１１５】
Ｓ２１０：サービス層装置が集約応答情報をアプリケーションサーバへ送信する。
【０１１６】
具体的には、サービス層装置が、ＩＮ−ＣＳＥによって送信された集約応答情報をアプリケーションサーバへ転送する。
【０１１７】
上記から分かるように、本発明のこの実施形態において、サービス層装置がアプリケーションサーバによって送信されたグループアクセス要求を受信した後に、サービス層装置は、モバイルネットワークマルチキャスト通信方式をサポートしないメンバデバイスへユニキャスト要求を送信し、デバイスグループのためのアクセス要求をＩＮ−ＣＳＥへ転送し、これにより、ＩＮ−ＣＳＥは、ＳＣＥＦを使用することによって、マルチキャスト通信方式で、外部グループにおけるメンバデバイスへアクセスコマンドを配信し、メンバデバイスによって返された応答情報を受信し、応答情報をアプリケーションサーバへ転送する。このようにして、コマンドが外部グループにおけるメンバデバイスへ送信され得て、応答が外部グループにおけるメンバデバイスから収集され得る。従って、メンバデバイスは、モバイルネットワークプラットフォームにおける指定グループへの加入の動作を別個に開始する必要がない。これにより、Ｍ２ＭプラットフォームとＭ２Ｍデバイスとの間のインタラクションに起因して生成された情報量を低減し、リソースオーバヘッドを低減し、モバイルネットワークプラットフォームによる集中型スケジューリングを実装する。
【０１１８】
この実施形態における段階Ｓ２０４からＳ２０８は、さらに詳細に説明され得ることに留意されたい。詳細については、以下における図７Ａおよび図７Ｂに記載されている方法手順を参照されたい。
【０１１９】
図７Ａおよび図７Ｂは、本発明の実施形態に係る別のグループマルチキャスト方法の概略的フローチャートであり、図６Ａおよび図６Ｂの実施形態における段階Ｓ２０４からＳ２０８の詳細なプロセスである。本発明のこの実施形態におけるマルチキャスト型は、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ、マルチメディアブロードキャスト／マルチキャストサービス）、ＣＢＳ（Ｃｅｌｌ  Ｂｒｏａｄｃａｓｔ  Ｓｅｒｖｉｃｅ、セルブロードキャストサービス）およびＰＤＮ（Ｐａｃｋｅｔ  Ｄａｔａ  Ｎｅｔｗｏｒｋ、パケットデータネットワーク）のうちのいずれか１つまたは複数を含み得る。この方法は、図６Ａおよび図６Ｂにおける段階Ｓ２０４からＳ２０８のさらなる詳細である。図７Ａおよび図７Ｂに示される実施形態におけるグループマルチキャスト方法の手順は、以下の段階を含み得る。
【０１２０】
Ｓ３００：サービス層装置が、段階Ｓ２０１においてデバイスグループ識別子を検索した後に、さらにデバイスグループ識別子に従って、デバイスグループのデバイスサブグループを検索する。
【０１２１】
具体的には、サービス層装置は、Ｍ２Ｍグループ識別子に従ってグループリソースにおけるデバイスグループ識別子を決定し、デバイスグループのデバイスサブグループを検索する。
【０１２２】
Ｓ３０１：サービス層装置がデバイスグループのためのアクセス要求をモバイルネットワークプラットフォームへ送信する。
【０１２３】
具体的には、デバイスグループのためのアクセス要求は、デバイスグループ識別子および要求内容を含む。
【０１２４】
Ｓ３０２：モバイルネットワークプラットフォームが、デバイスグループのためのアクセス要求を受信した後に、デバイスサブグループに対応する外部サブグループの識別子を決定する。
【０１２５】
具体的には、モバイルネットワークプラットフォーム（例えば、ＩＮ−ＣＳＥ）は、リソースライブラリを記憶し、リソースライブラリは、外部グループのリソースを記憶する。外部グループのリソースは、少なくとも２つの外部サブグループのリソースと、各外部サブグループにおけるメンバデバイスによってサポートされるマルチキャスト型とを含む。外部サブグループのマルチキャスト型は、ＭＢＭＳ、ＰＤＮまたはＣＢＳのいずれか１つであり得る。各外部サブグループは、外部サブグループのマルチキャスト型に対応する、モバイルネットワークマルチキャスト通信方式をサポートするメンバデバイスを含む。モバイルネットワークプラットフォーム（例えば、ＩＮ−ＣＳＥ）は、デバイスグループ識別子に従って、予め記憶されたリソースライブラリを照会することによって、デバイスグループのデバイスサブグループを検索し、次に、デバイスサブグループに対応する、モバイルネットワークサーバに位置する外部サブグループを決定する。
【０１２６】
Ｓ３０３：モバイルネットワークプラットフォームが、デバイスサブグループのマルチキャスト型を決定する。
【０１２７】
具体的には、デバイスサブグループの識別子は、デバイスサブグループのマルチキャスト型を保持し得る。従って、ＩＮ−ＣＳＥは、デバイスサブグループの識別子を取得するとき、デバイスサブグループのマルチキャスト型を決定し得る。例えば、ＣＢＳデバイスサブグループの識別子は＜ｇｒｏｕｐ−ＣＢＳ＞であり、ＭＢＭＳデバイスサブグループの識別子は＜ｇｒｏｕｐ−ＭＢＭＳ＞であり、ＰＤＮデバイスサブグループの識別子は＜ｇｒｏｕｐ−ＰＤＮ＞である。デバイスサブグループのマルチキャスト型は、デバイスサブグループの識別子に従って認識され得る。
【０１２８】
Ｓ３０４：モバイルネットワークプラットフォームがデバイスグループにおけるメンバデバイスに応答アドレスを割り当てる。
【０１２９】
具体的には、応答アドレスは、デバイスグループにおけるメンバデバイスによって送信された、要求内容についての応答情報を受信するために使用される。モバイルネットワーク（例えば、３ＧＰＰ）マルチキャストシナリオにおいて、モバイルネットワークマルチキャスト通信方式をサポートするメンバデバイスは、モバイルネットワークマルチキャスト要求のリンクを使用することによって応答を返すことができない。従って、モバイルネットワークプラットフォーム（例えば、ＩＮ−ＣＳＥ）は、デバイスグループにおけるメンバデバイスによって送信された応答情報を受信する必要があり、これにより、メンバデバイスがアクセス要求の受信に成功したかどうかを判定し、応答を行う。ＩＮ−ＣＳＥは、デバイスグループのための応答（Ｒｅｓｐｏｎｓｅ）リソースを作成して各メンバデバイスからの応答を受信し、応答アドレスをＲｅｓｐｏｎｓｅリソースに割り当て得る。Ｒｅｓｐｏｎｓｅリソースの応答アドレスは、（／／ｒｅｓｐｏｎｓｅ＿ｃｏｌｌｅｃｔｉｏｎ）であり得る。
【０１３０】
実装可能な方式において、ＩＮ−ＣＳＥは、すべてのデバイスサブグループのＲｅｓｐｏｎｓｅリソースの応答アドレスを同一のＲｅｓｐｏｎｓｅリソースの応答アドレス（／／ｒｅｓｐｏｎｓｅ＿ｃｏｌｌｅｃｔｉｏｎ）に設定し得る。
【０１３１】
別の実装可能な方式において、ＩＮ−ＣＳＥはさらに、デバイスサブグループのマルチキャスト型に従って、応答アドレス（（／／ｇｒｏｕｐ−ｘ／ｒｅｓｐｏｎｓｅ＿ｃｏｌｌｅｃｔｉｏｎ）をデバイスサブグループにおけるメンバデバイスに割り当て得て、その結果、各デバイスサブグループは、独立してＲｅｓｐｏｎｓｅリソースを使用できる。例えば、ＭＢＭＳデバイスサブグループのＲｅｓｐｏｎｓｅリソースの応答アドレスは、／／ｇｒｏｕｐ−ＭＢＭＳ／ｒｅｓｐｏｎｓｅ＿ｃｏｌｌｅｃｔｉｏｎであり得て、ＣＢＳデバイスサブグループのＲｅｓｐｏｎｓｅリソースの応答アドレスは、／／ｇｒｏｕｐ−ＣＢＳ／ｒｅｓｐｏｎｓｅ＿ｃｏｌｌｅｃｔｉｏｎであり得て、ＰＤＮデバイスサブグループのＲｅｓｐｏｎｓｅリソースの応答アドレスは、／／ｇｒｏｕｐ−ＰＤＮ／ｒｅｓｐｏｎｓｅ＿ｃｏｌｌｅｃｔｉｏｎであり得る。
【０１３２】
Ｓ３０５：モバイルネットワークプラットフォームがデバイスサブグループのためのＲｅｑｕｅｓｔリソースを作成する。
【０１３３】
具体的には、モバイルネットワークプラットフォームは、デバイスサブグループのマルチキャスト型がＣＢＳであると決定し、次に、デバイスサブグループのためのＲｅｑｕｅｓｔリソースを作成する。マルチキャスト型がＣＢＳであるメンバデバイスがマルチキャスト通信方式でメッセージを受信するとき、取得されるデータの量は限られていることに留意されたい。例えば、予め設定された値より小さい量のデータを有するＳＭＳメッセージのみをマルチキャスト通信方式で受信することができる。従って、モバイルネットワークプラットフォーム（例えば、ＩＮ−ＣＳＥ）は、Ｒｅｑｕｅｓｔリソースを作成する必要がある。グループアクセス要求の要求内容はＲｅｑｕｅｓｔリソースに記憶される。
【０１３４】
段階３０５は必須ではなく、デバイスグループのマルチキャスト型がＣＢＳであるときのみ実行される必要があることに留意されたい。デバイスグループのマルチキャスト型がＣＢＳマルチキャストでない場合、段階３０６は直接実行される。
【０１３５】
Ｓ３０６：モバイルネットワークプラットフォームがモバイルネットワークマルチキャスト要求をモバイルネットワークサーバへ送信する。
【０１３６】
具体的には、マルチキャスト型がＭＢＭＳまたはＰＤＮであるデバイスグループの場合、ＩＮ−ＣＳＥによってモバイルネットワークサーバへ送信されたモバイルネットワークマルチキャスト要求は、デバイスサブグループ（例えば、＜ｇｒｏｕｐ−ＭＢＭＳ＞または＜ｇｒｏｕｐ−ＰＤＮ＞）の外部グループ識別子（Ｅｘｔｅｒｎａｌ  Ｇｒｏｕｐ  ＩＤ）、Ｒｅｓｐｏｎｓｅリソースの応答アドレス、および、要求内容を含む。モバイルネットワークサーバ（例えば、ＳＣＥＦ）は、モバイルネットワークマルチキャスト要求を受信した後に、デバイスサブグループのＥｘｔｅｒｎａｌ  Ｇｒｏｕｐ  ＩＤに従って、デバイスサブグループにおけるメンバデバイスを検索し、Ｒｅｓｐｏｎｓｅリソースの応答アドレスに従ってアクセスコマンドを生成し、段階Ｓ３０７を実行する。
【０１３７】
マルチキャスト型がＣＢＳであるデバイスサブグループの場合、ＩＮ−ＣＳＥによってモバイルネットワークサーバへ送信されるモバイルネットワークマルチキャスト要求は、マルチキャスト型がＣＢＳであるデバイスサブグループのＥｘｔｅｒｎａｌ  Ｇｒｏｕｐ  ＩＤ、Ｒｅｑｕｅｓｔリソースのアドレス、および、Ｒｅｓｐｏｎｓｅリソースの応答アドレスを含む。
【０１３８】
実装可能な方式において、ＩＮ−ＣＳＥが、Ｒｅｓｐｏｎｓｅリソースの固有応答アドレス（例えば、／／ｇｒｏｕｐ−ｘ／ｒｅｑｕｅｓｔ）を各デバイスグループに割り当てる場合、ＩＮ−ＣＳＥによって送信されたモバイルネットワークマルチキャスト要求は、デバイスサブグループ（例えば、＜ｇｒｏｕｐ−ｘ＞）のＥｘｔｅｒｎａｌ  Ｇｒｏｕｐ  ＩＤ、Ｒｅｑｕｅｓｔリソースのアドレス（／／ｇｒｏｕｐ−ｘ／ｒｅｑｕｅｓｔ）、および、各デバイスグループのＲｅｓｐｏｎｓｅリソースの応答アドレスを含み、これにより、デバイスサブグループのマルチキャスト通信方式で、＜ｇｒｏｕｐ−ｘ＞におけるメンバデバイスへ配信またはアクセスコマンドを送信するようにＳＣＥＦに命令する。例えば、デバイスサブグループのマルチキャスト型はＣＢＳである。ＩＮ−ＣＳＥによって送信されたモバイルネットワークマルチキャスト要求は、＜ｇｒｏｕｐ−ＣＢＳ＞、／／ｇｒｏｕｐ−ＣＢＳ／ｒｅｑｕｅｓｔ、および、各デバイスグループのＲｅｓｐｏｎｓｅリソースの応答アドレスを含み、これにより、ＣＢＳマルチキャスト通信方式で、＜ｇｒｏｕｐ−ＣＢＳ＞におけるメンバデバイスへアクセスコマンドを送信するようにＳＣＥＦに命令する。アクセスコマンドは、／／ｇｒｏｕｐ−ＣＢＳ／ｒｅｑｕｅｓｔ、および、Ｒｅｓｐｏｎｓｅリソースの応答アドレスを含む。
【０１３９】
Ｓ３０７：モバイルネットワークマルチキャスト通信方式をサポートするメンバデバイスが、モバイルネットワークサーバによって送信されたアクセスコマンドを受信する。
【０１４０】
具体的には、図７Ａおよび図７Ｂにおいて、外部グループにおけるメンバデバイスは、モバイルネットワークマルチキャスト通信方式をサポートする。外部グループにおけるメンバデバイスは、モバイルネットワークマルチキャスト通信方式をサポートし、ＳＣＥＦによって送信されたコマンドをマルチキャスト通信方式で受信し得ることに留意されたい。コマンドは配信コマンドまたはアクセスコマンドである。
【０１４１】
Ｓ３０８：モバイルネットワークマルチキャスト通信方式をサポートするメンバデバイスが、コマンドがＲｅｑｕｅｓｔリソースのアドレスを保持しているかどうかを判定する。
【０１４２】
具体的には、メンバデバイスは、コマンドがＲｅｑｕｅｓｔリソースのアドレスを保持しているかどうかを判定する。保持している場合、コマンドは配信コマンドであり、段階Ｓ３０９が実行される。または、保持していない場合、コマンドはアクセスコマンドであり、段階Ｓ３１０が実行される。
【０１４３】
Ｓ３０９：モバイルネットワークマルチキャスト通信方式をサポートするメンバデバイスが、Ｒｅｑｕｅｓｔリソースのアドレスに従って、Ｒｅｑｕｅｓｔリソースへのアクセス要求をモバイルネットワークプラットフォームへ送信する。
【０１４４】
具体的には、Ｒｅｑｕｅｓｔリソースのアドレスが含まれているとき、メンバデバイスは、配信コマンドを受信し、このことは、メンバデバイスのマルチキャスト型がＣＢＳであることを示す。従って、メンバデバイスは、Ｒｅｑｕｅｓｔリソースのアドレスに従って、Ｒｅｔｒｉｅｖｅ（読み取り）要求をＲｅｑｕｅｓｔリソースへ送信する。Ｒｅｔｒｉｅｖｅ要求は、Ｒｅｑｕｅｓｔリソースからグループアクセス要求の要求内容を取得するために使用される。
【０１４５】
Ｓ３１０：モバイルネットワークマルチキャスト通信方式をサポートするメンバデバイスが、アクセスコマンドに保持されるＲｅｓｐｏｎｓｅリソースの応答アドレスに従って、要求内容についての応答情報をモバイルネットワークプラットフォームへ送信する。
【０１４６】
さらに、モバイルネットワークプラットフォームは、デバイスグループにおけるメンバデバイスによって応答アドレスへ送信された、要求内容についての応答情報を受信する。ＭＢＭＳデバイスサブグループまたはＰＤＮデバイスサブグループにおけるメンバデバイスは、ＳＣＥＦによって送信されたアクセスコマンドを受信した後に、Ｒｅｓｐｏｎｓｅリソースの応答アドレスおよび要求内容を取得し、次に、要求内容についての応答情報を生成し、最後に、応答情報をＲｅｓｐｏｎｓｅリソースの応答アドレスへ送信し得て、その結果、ＩＮ−ＣＳＥは、Ｒｅｓｐｏｎｓｅリソースアクセスに応じてメンバデバイスによって送信された応答を受信する。
【０１４７】
別の任意の方式において、ＣＢＳデバイスサブグループにおけるメンバデバイスは、ＳＣＥＦによって送信された配信コマンドを受信した後に、ＲｅｑｕｅｓｔリソースのアドレスおよびＲｅｓｐｏｎｓｅリソースの応答アドレスを取得し得る。メンバデバイスは、Ｒｅｑｕｅｓｔリソースのアドレスに従って、ＩＮ−ＣＳＥにおけるＲｅｑｕｅｓｔリソースにアクセスし、ＩＮ−ＣＳＥにおけるＲｅｑｕｅｓｔリソースからグループアクセス要求の要求内容を取得し、次に、取得された要求内容についての応答情報を生成し、最後に、Ｒｅｓｐｏｎｓｅリソースの応答アドレスへ応答情報を送信し、その結果、ＩＮ−ＣＳＥは、Ｒｅｓｐｏｎｓｅリソースアクセスに応じてメンバデバイスによって送信された応答を受信する。
【０１４８】
Ｓ３１１：モバイルネットワークプラットフォームが、モバイルネットワークマルチキャスト通信方式をサポートするメンバデバイスによって送信された、要求内容についての応答情報を受信した後に、デバイスグループにおける、応答情報を返していないメンバデバイスを決定する。
【０１４９】
具体的には、すべてのデバイスが応答情報を送信するわけではなく、または、ＩＮ−ＣＳＥは、すべてのメンバデバイスによって送信された応答情報を受信しないことがあり得る。従って、ＩＮ−ＣＳＥは、デバイスグループにおけるすべてのメンバデバイスによって送信された応答情報が受信されたかどうかを判定する必要がある。具体的な実装において、デバイスグループにおけるメンバデバイスがＲｅｓｐｏｎｓｅリソースの応答アドレスにアクセスでき、応答情報を送信できる場合、メンバデバイスの応答記録はＩＮ−ＣＳＥにおけるＲｅｓｐｏｎｓｅリソースに追加される。ＩＮ−ＣＳＥは、Ｒｅｓｐｏｎｓｅリソースにおける応答記録を照会し、デバイスグループにおける、応答情報を返していないメンバデバイスを決定する。
【０１５０】
Ｓ３１２：モバイルネットワークプラットフォームが、マルチキャスト型がトリガマルチキャストであるトリガデバイスグループを作成する。
【０１５１】
具体的には、ＩＮ−ＣＳＥが、デバイスグループにおける、応答情報を返していないメンバデバイスを決定した場合、ＩＮ−ＣＳＥはトリガデバイスグループ＜ｇｒｏｕｐ−Ｔ４＞を作成する。トリガデバイスグループ＜ｇｒｏｕｐ−Ｔ４＞は、デバイスグループにおける、応答情報を返していないメンバデバイスを含む。トリガデバイスグループのマルチキャスト型は、トリガマルチキャストであり、段階Ｓ３１３はメンバデバイスについて実行される。トリガマルチキャストは、３ＧＰＰにおいて定義されているマルチキャスト型であり、オフラインのメンバデバイスがメッセージを受信することを引き起こすために使用され得る。
【０１５２】
段階Ｓ３１２は、段階Ｓ３１１の後に実行され得るか、または、段階Ｓ３１１の前に実行され得ることに留意されたい。すなわち、モバイルネットワークプラットフォームは、マルチキャスト型がトリガマルチキャストであるトリガデバイスグループを作成した後に、デバイスグループにおける、応答情報を返していないメンバデバイスを決定し得る。この実施形態は、段階Ｓ３１１から段階Ｓ３１２までの間の実行順序を限定しない。
【０１５３】
Ｓ３１３：モバイルネットワークプラットフォームが、トリガ外部グループ作成要求をモバイルネットワークサーバへ送信する。
【０１５４】
具体的には、トリガ外部グループ作成要求は、トリガデバイスグループに対応するトリガ外部グループを作成するようにモバイルネットワークサーバに要求するために使用される。作成要求は、トリガ外部グループの識別子（すなわち、＜ｇｒｏｕｐ−Ｔ４＞のＥｘｔｅｒｎａｌ  Ｇｒｏｕｐ  ＩＤ）と、トリガデバイスグループに含まれるメンバデバイスの外部デバイス識別子（Ｅｘｔｅｒｎａｌ  ＩＤ）とを含む。ＳＣＥＦは、トリガ外部グループ作成要求を受信した後に、トリガデバイスグループに含まれるメンバデバイスの外部ＩＤ、および、トリガ外部グループの識別子（＜ｇｒｏｕｐ−Ｔ４＞のＥｘｔｅｒｎａｌ  Ｇｒｏｕｐ  ＩＤ）に従って、トリガ外部グループを作成する。トリガ外部グループのマルチキャスト型はＴ４マルチキャスト型である。ＩＮ−ＣＳＥがモバイルネットワークマルチキャスト要求をＳＣＥＦへ送信するとき、ＳＣＥＦは、アクセスコマンドをトリガ外部グループにおけるメンバデバイスへＴ４方式で送信する。
【０１５５】
上記から分かるように、本発明のこの実施形態には、以下の２つの利点がある。第１に、異なるマルチキャスト型のデバイスサブグループのメンバデバイスについて、異なるマルチキャスト型に従ってマルチキャストが実行され得て、これにより、効率および成功率が改善する。第２に、ＩＮ−ＣＳＥがメンバデバイスによって送信された応答情報を受信できないとき、メンバデバイスについてのマルチキャスト通信方式は、適時に変更でき、これにより、マルチキャスト成功率を保証する。
【０１５６】
図８Ａおよび図８Ｂは、本発明の第２実施形態に係るグループ作成方法の概略的フローチャートである。当該方法は、図２から図４に示されるシステムアーキテクチャにおけるアプリケーションサーバ、サービス層装置、モバイルネットワークプラットフォーム、モバイルネットワークサーバおよびメンバデバイスによって実装される。図８Ａおよび図８Ｂは主に、グループマルチキャストについてのグループ作成手順を説明する。加えて、この実施形態のアプリケーションシナリオにおいて、下層ネットワークは３ＧＰＰネットワークである。従って、サービス層装置は、ＡＳＮ−ＣＳＥを含む装置、ＭＮ−ＣＳＥを含むゲートウェイ、または、ＩＮ−ＣＳＥを含むプラットフォームであり得る。モバイルネットワークプラットフォームは、ＩＮ−ＣＳＥを含むプラットフォームであり得る。モバイルネットワークサーバは、ＳＣＥＦであり得る。サービス層装置がＡＳＮ−ＣＳＥまたはＭＮ−ＣＳＥであるとき、サービス層装置は、モバイルネットワークプラットフォームから独立している。または、サービス装置がＩＮ−ＣＳＥであるとき、サービス層装置はモバイルネットワークプラットフォームに統合され得る。図８Ａおよび図８Ｂにおいて示される実施形態におけるグループ作成方法の手順は以下の段階を含み得る。
【０１５７】
Ｓ５０１：サービス層装置が、アプリケーションサーバによって送信されたグループ作成要求を受信する。
【０１５８】
具体的には、アプリケーションサーバは、グループ作成要求をサービス層装置へ送信する。グループ作成要求は、Ｍ２Ｍグループ識別子、および、作成予定のＭ２Ｍグループに含まれるメンバデバイスのデバイス識別子を保持する。Ｍ２Ｍグループ識別子は、例えば、Ｇｒｏｕｐ  ＩＤである。グループは、図４に示されるメンバデバイス１からメンバデバイス１０を含む。メンバデバイスのデバイス識別子は、例えば、Ｄｅｖｉｃｅ  ＩＤである。
【０１５９】
Ｓ５０２：サービス層装置が、メンバデバイスのデバイス識別子に従って、メンバデバイスの登録情報を取得する。
【０１６０】
具体的には、サービス層装置は、メンバデバイスのデバイス識別子に従って、ＩＮ−ＣＳＥによって予め作成されたリソースライブラリから、メンバデバイスの登録情報を取得し得る。メンバデバイスが、サービス層装置によって提供される様々な機能を使用する必要があるとき、メンバデバイスは、ＩＮ−ＣＳＥに登録する必要がある。メンバデバイスが登録するとき、ＩＮ−ＣＳＥは、各メンバデバイスのリソースを記憶し（例えば、メンバデバイスのリソースがＲｅｓｏｕｒｃｅ  ＩＤとして表される）、各メンバデバイスの登録情報を各メンバデバイスのリソースに記憶する。登録情報は、メンバデバイスがモバイルネットワークマルチキャスト通信方式をサポートするかどうかを示すために使用される外部デバイス識別子を含む（例えば、外部デバイス識別子はＥｘｔｅｒｎａｌ  ＩＤである）。例えば、モバイルネットワークマルチキャスト通信方式をサポートするメンバデバイスの場合、メンバデバイスの外部デバイス識別子（例えば、Ｅｘｔｅｒｎａｌ  ＩＤ）は、登録情報に記憶される。
【０１６１】
具体的には、サービス層装置は、Ｒｅｔｒｉｅｖｅ（読み取り）要求をＩＮ−ＣＳＥへ送信することによって、メンバデバイスのリソースを読み込み、メンバデバイスの登録情報を取得する。
【０１６２】
別の任意の方式において、サービス層装置がＩＮ−ＣＳＥに統合されている場合、ＩＮ−ＣＳＥは、予め作成されたリソースライブラリからメンバデバイスの登録情報を取得する。メンバデバイスが、ＩＮ−ＣＳＥによって提供される様々な機能を使用する必要があるとき、メンバデバイスは、ＩＮ−ＣＳＥに登録する必要がある。ＩＮ−ＣＳＥは、メンバデバイスが登録するとき、各メンバデバイスのリソースを記憶し、各メンバデバイスの登録情報をメンバデバイスのリソースに記憶する。登録情報は、メンバデバイスがモバイルネットワークマルチキャスト通信方式をサポートするかどうかを示すために使用される外部デバイス識別子を含む。
【０１６３】
Ｓ５０３：サービス層装置がモバイルネットワークマルチキャスト通信方式をサポートするメンバデバイスを決定する。
【０１６４】
具体的には、サービス層装置は、各メンバデバイスが、モバイルネットワークマルチキャスト通信方式をサポートするメンバデバイスかどうかを登録情報に基づいて決定する。具体的には、サービス層装置は、登録情報が外部デバイス識別子（Ｅｘｔｅｒｎａｌ  ＩＤ）を含むかどうかを登録情報に基づいて決定する。サービス層装置がメンバデバイスの登録情報において外部デバイス識別子（Ｅｘｔｅｒｎａｌ  ＩＤ）を発見した場合、これは、メンバデバイスが、モバイルネットワークマルチキャスト通信方式をサポートするメンバデバイスであることを示す。サービス層装置がメンバデバイスの登録情報において外部デバイス識別子（Ｅｘｔｅｒｎａｌ  ＩＤ）を発見しなかった場合、これは、メンバデバイスが、モバイルネットワークマルチキャスト通信方式をサポートしないメンバデバイスであることを示す。モバイルネットワークマルチキャスト通信方式をサポートするメンバデバイスは、マルチキャスト通信方式をサポートし、モバイルネットワークを使用することでモバイルネットワークサーバ（例えば、ＳＣＥＦ）によって送信されたコマンドを受信できる。従って、モバイルネットワークマルチキャスト通信方式をサポートするメンバデバイスは、ＳＣＥＦによって設定されたグループに能動的に加入する必要がない。サービス層装置は、外部デバイス識別子を照会することによって、モバイルネットワークマルチキャスト通信方式をサポートするメンバデバイスを決定する。
【０１６５】
Ｓ５０４：サービス層装置が、グループ作成要求に従って、Ｍ２Ｍグループ識別子によって示されるＭ２Ｍグループを作成する。
【０１６６】
具体的には、サービス層装置は、グループリソースを作成し、デバイスグループ識別子と、モバイルネットワークマルチキャスト通信方式をサポートしないメンバデバイスのデバイス識別子とを、作成されたグループリソースに記憶する。サービス層装置は、段階Ｓ５０１におけるグループ作成要求に従って、段階Ｓ５０１におけるグループ作成要求に保持されるＭ２Ｍグループ識別子によって示されるＭ２Ｍグループを作成し、モバイルネットワークマルチキャスト通信方式をサポートするメンバデバイスのためのデバイスグループ識別子を生成する。Ｍ２Ｍグループは、生成されたデバイスグループ識別子と、段階Ｓ５０１におけるグループ作成要求に保持される、メンバデバイスのデバイス識別子である、モバイルネットワークマルチキャスト通信方式をサポートしないメンバデバイスのデバイス識別子とを含む。
【０１６７】
さらに、サービス層装置によって生成されたデバイスグループ識別子は、モバイルネットワークマルチキャストがサポートされることを示す情報を含む。例えば、デバイスグループ識別子は、（Ｇｒｏｕｐ  ３ＧＰＰ）であり、３ＧＰＰは、モバイルネットワークマルチキャストがサポートされていることを示す情報である。
【０１６８】
Ｓ５０５：サービス層装置が、デバイスグループ作成要求をモバイルネットワークプラットフォームへ送信する。
【０１６９】
具体的には、サービス層装置は、デバイスグループ作成要求をＩＮ−ＣＳＥへ送信し、モバイルネットワークマルチキャスト通信方式をサポートするメンバデバイスのためのデバイスグループを作成するようにＩＮ−ＣＳＥに要求する。デバイスグループ作成要求は、デバイスグループ識別子と、モバイルネットワークマルチキャスト通信方式をサポートする、決定されたメンバデバイスの識別子とを保持する。デバイスグループ識別子は、（Ｇｒｏｕｐ  ３ＧＰＰ）であり得て、３ＧＰＰは、モバイルネットワークマルチキャストがサポートされることを示す情報である。
【０１７０】
実装可能な方式において、デバイスグループ作成要求は、デバイスグループ識別子（Ｇｒｏｕｐ  ３ＧＰＰ）、および、モバイルネットワークマルチキャスト通信方式をサポートする各メンバデバイスの外部デバイス識別子（Ｅｘｔｅｒｎａｌ  ＩＤ）を含み得る。
【０１７１】
本発明のこの実施形態において、デバイスグループ作成要求における、メンバデバイスのデバイス識別子と、メンバデバイスの外部デバイス識別子とは、メンバデバイスについての情報と総称される。
【０１７２】
グループ（Ｇｒｏｕｐ  ＩＤ）において、モバイルネットワークマルチキャスト通信方式をサポートしないメンバデバイス（図４に示されるメンバデバイス４およびメンバデバイス５など）が存在し得て、デバイスグループを当該メンバデバイスのために作成することはできないことを理解すべきである。従って、モバイルネットワークマルチキャスト通信方式をサポートしないメンバデバイス（図４に示されるメンバデバイス４およびメンバデバイス５など）のデバイス識別子は、グループ（Ｇｒｏｕｐ  ＩＤ）のメンバ情報としてグループ（Ｇｒｏｕｐ  ＩＤ）に記憶される。
【０１７３】
Ｓ５０６：モバイルネットワークプラットフォームが、サービス層装置によって送信されたデバイスグループ作成要求を受信した後に、モバイルネットワークマルチキャスト通信方式をサポートするメンバデバイスのためのデバイスグループを作成し、モバイルネットワークマルチキャストがサポートされることを示す情報に従って、デバイスグループに対応する外部グループの識別子を生成する。
【０１７４】
具体的には、ＩＮ−ＣＳＥが、デバイスグループ識別子、および、デバイスグループにおけるメンバデバイスのリソースを取得した場合、ＩＮ−ＣＳＥは、デバイスグループ識別子（Ｇｒｏｕｐ  ３ＧＰＰ）、および、デバイスグループにおけるメンバデバイスのリソースに従って、デバイスグループを作成し、モバイルネットワークマルチキャストがサポートされることを示す情報に従って、デバイスグループに対応する外部グループの識別子（Ｅｘｔｅｒｎａｌ  Ｇｒｏｕｐ  ＩＤ）を生成する。外部グループ識別子は、モバイルネットワークサーバ上で作成される外部グループの識別子を示すために使用される。
【０１７５】
実装可能な方式において、ＩＮ−ＣＳＥがデバイスグループ識別子および外部デバイス識別子を取得した場合、ＩＮ−ＣＳＥは、外部デバイス識別子に従って、メンバデバイスの予め記憶されたリソースを検索し、次に、デバイスグループ識別子、および、メンバデバイスの発見されたリソースに従ってデバイスグループを作成し、デバイスグループに対応する作成予定の外部グループの識別子（Ｅｘｔｅｒｎａｌ  Ｇｒｏｕｐ  ＩＤ）を生成する。
【０１７６】
Ｓ５０７：モバイルネットワークプラットフォームが、外部グループ作成要求をモバイルネットワークサーバへ送信する。
【０１７７】
具体的には、外部グループ作成要求は、外部グループ識別子と、モバイルネットワークマルチキャスト通信方式をサポートするメンバデバイスの外部デバイス識別子とを含む。外部グループ作成要求は、モバイルネットワークマルチキャスト通信方式をサポートするメンバデバイスを含む、識別子が外部グループ識別子である外部グループを作成するように命令するために使用される。外部グループにおけるメンバデバイスは、デバイスグループにおけるメンバデバイスである。ＩＮ−ＣＳＥは、作成予定の外部グループの識別子（Ｅｘｔｅｒｎａｌ  Ｇｒｏｕｐ  ＩＤ）、および、モバイルネットワークマルチキャスト通信方式をサポートするメンバデバイスの外部デバイス識別子（Ｅｘｔｅｒｎａｌ  ＩＤ）に従って、外部グループ作成要求を生成し、モバイルネットワークサーバに対し、外部グループ作成要求に保持される、作成予定の外部グループの識別子、および、外部デバイス識別子に従って、外部グループを作成するように要求し、これにより、ＩＮ−ＣＳＥのデバイスグループとＳＣＥＦの外部グループとの間の対応関係を確立する。
【０１７８】
実装可能な方式において、サービス層装置によって送信され、モバイルネットワークプラットフォームによって受信されたデバイスグループ作成要求が、モバイルネットワークマルチキャスト通信方式をサポートするメンバデバイスのデバイス識別子を含む場合、モバイルネットワークプラットフォームは、モバイルネットワークマルチキャスト通信方式をサポートするメンバデバイスのデバイス識別子に従って、メンバデバイスのリソースにおける予め記憶された登録情報から、モバイルネットワークマルチキャスト通信方式をサポートする各メンバデバイスの外部デバイス識別子を取得する。
【０１７９】
実装可能な方式において、サービス層装置によって送信され、モバイルネットワークプラットフォームによって受信されたデバイスグループ作成要求が、モバイルネットワークマルチキャスト通信方式をサポートする各メンバデバイスの外部デバイス識別子を含む場合、モバイルネットワークプラットフォームは、デバイスグループ作成要求から、モバイルネットワークマルチキャスト通信方式をサポートする各メンバデバイスの外部デバイス識別子を直接取得する。
【０１８０】
実装可能な方式において、サービス層装置がモバイルネットワークプラットフォームに統合されている場合、モバイルネットワークプラットフォームは、各メンバデバイスの登録情報を照会するとき、モバイルネットワークマルチキャスト通信方式をサポートする各メンバデバイスの外部デバイス識別子を取得する。
【０１８１】
Ｓ５０８：モバイルネットワークサーバが、モバイルネットワークプラットフォームによって送信された外部グループ作成要求を受信した後に、外部グループ作成要求に従って外部グループを作成する。
【０１８２】
Ｓ５０９：モバイルネットワークサーバがグループ作成成功メッセージをモバイルネットワークプラットフォームへ返す。
【０１８３】
Ｓ５１０：モバイルネットワークプラットフォームが、モバイルネットワークサーバによって返されたグループ作成成功メッセージをサービス層装置へ返す。
【０１８４】
具体的には、ＳＣＥＦは、外部グループを作成した後に、グループ作成成功メッセージをＩＮ−ＣＳＥへ返す。ＩＮ−ＣＳＥは、ＳＣＥＦによって返されグループ作成成功メッセージを受信した後に、グループ作成成功メッセージをサービス層装置へ転送する。
【０１８５】
Ｓ５１１：サービス層装置は、モバイルネットワークプラットフォームによって送信されたグループ作成成功メッセージを受信した後に、グループ作成成功メッセージをアプリケーションサーバへ返す。
【０１８６】
上記から分かるように、本発明のこの実施形態におけるサービス層装置は、アプリケーションサーバによって送信されたグループ作成要求を受信した後に、モバイルネットワークマルチキャスト通信方式をサポートしないメンバデバイスがグループに存在するかどうかを判定する。モバイルネットワークマルチキャスト通信方式をサポートするメンバデバイスの場合、サービス層装置は、デバイスグループ作成要求をＩＮ−ＣＳＥへ送信し、その結果、ＩＮ−ＣＳＥは、デバイスグループを作成し、外部グループ作成要求をＳＣＥＦへ送信する。外部グループにおけるメンバデバイスは、デバイスグループに含まれているメンバデバイスを含み、これにより、ＩＮ−ＣＳＥのデバイスグループとＳＣＥＦの外部グループとの間の対応関係を確立する。従って、メンバデバイスは、モバイルネットワークプラットフォームにおける指定グループへの加入の操作を別個に開始する必要がない。これにより、Ｍ２ＭプラットフォームとＭ２Ｍデバイスとの間のインタラクションに起因して生成される情報量が低減し、リソースオーバヘッドが低減し、グループマルチキャスト効率が改善する。
【０１８７】
図９は、本発明の第２実施形態に係る別のグループ作成方法の概略的フローチャートである。この方法は、図８Ａおよび図８Ｂにおける段階Ｓ５０６のさらなる詳細である。この実施形態において、デバイスグループは、少なくとも２つのデバイスサブグループを含む。対応して、ＳＣＥＦによって作成された対応する外部グループに含まれる外部サブグループはデバイスグループに含まれるデバイスサブグループである。図９に示される実施形態におけるグループ作成方法の手順は、以下の段階を含み得る。
【０１８８】
Ｓ６０１：モバイルネットワークプラットフォームは、モバイルネットワークマルチキャスト通信方式をサポートするメンバデバイスの特性情報を取得する。
【０１８９】
具体的には、特性情報は、モバイルネットワークマルチキャスト通信方式をサポートするメンバデバイスの履歴位置情報、および／または、マルチメディアブロードキャストマルチキャストサービスＭＢＭＳがサポートされることを示す情報を含む。ＩＮ−ＣＳＥは、モバイルネットワークマルチキャスト通信方式をサポートするメンバデバイスの特性情報を取得するべく、予め作成されたリソースライブラリにおいて、メンバデバイスのリソースにおけるデータリソースおよびデバイスリソースを照会し、外部グループのためのデバイスサブグループを作成する。特性情報は、モバイルネットワークマルチキャスト通信方式をサポートするメンバデバイスの履歴位置情報、および／または、モバイルネットワークマルチキャスト通信方式をサポートするメンバデバイスがＭＢＭＳをサポートすることを示す情報を含む。メンバデバイスの履歴位置情報は、メンバデバイスのリソースのデータリソースに記憶され、ＭＢＭＳがサポートされることを示す情報は、メンバデバイスのリソースのデバイスリソースに記憶される。ＩＮ−ＣＳＥは、モバイルネットワークマルチキャスト通信方式をサポートするメンバデバイスの履歴位置情報、および／または、モバイルネットワークマルチキャスト通信方式をサポートするメンバデバイスがＭＢＭＳをサポートすることを示す情報に従って、モバイルネットワークマルチキャスト通信方式をサポートするメンバデバイスのマルチキャスト型を決定する。マルチキャスト型は、ＭＢＭＳ、ＰＤＮまたはＣＢＳのいずれか１つである。
【０１９０】
メンバデバイスのリソースにおける複数のリソースは、線形接続関係にあり、各リソースは独立したリソースであることに留意されたい。
【０１９１】
Ｓ６０２：特性情報が、ＭＢＭＳがサポートされることを示す情報を含むとき、モバイルネットワークマルチキャスト通信方式をサポートするメンバデバイスのマルチキャスト型がＭＢＭＳであると決定する。
【０１９２】
この実施形態において、メンバデバイス１、メンバデバイス２およびメンバデバイス３はＭＢＭＳをサポートし、メンバデバイス６、７、８、９および１０はＭＢＭＳをサポートしないと仮定する。
【０１９３】
具体的には、特性情報が、メンバデバイスがＭＢＭＳをサポートすることを示す情報を含む場合、ＩＮ−ＣＳＥは、メンバデバイスによってサポートされるマルチキャスト型がＭＢＭＳであると決定する。メンバデバイスがＭＢＭＳをサポートすることを示す情報は、ＩＮ−ＣＳＥまたはＳＣＥＦによって記憶されるメンバデバイスのリソースを使用することによって認識され得る。
【０１９４】
具体的には、ＩＮ−ＣＳＥによって記憶されるメンバデバイスのリソースを使用することによって情報を認識する方式において、ＩＮ−ＣＳＥは、メンバデバイスの説明情報を取得して、メンバデバイスがＭＢＭＳをサポートするかどうかを決定し得る。例えば、ＩＮ−ＣＳＥは、記憶されたメンバデバイスの説明情報をメンバデバイスのリソースにおけるデバイスリソースから取得し、次に、メンバデバイスの説明情報に従って、メンバデバイスがＭＢＭＳをサポートするかどうかを決定する。具体的な実装プロセスにおいて、メンバデバイスがモバイルネットワークプラットフォームに登録するとき、＜ｎｏｄｅ＞リソースが作成され得る。＜ｎｏｄｅ＞リソースは、メンバデバイスに対応する。＜ｎｏｄｅ＞リソースのサブリソースは、＜ｍｇｍｔＯｂｊ＞タイプのリソースである［ｄｅｖｉｃｅＣａｐａｂｉｌｉｔｙ］である。リソースは、メンバデバイスによってサポートされる機能を記憶する。ＩＮ−ＣＳＥは、ＭＢＭＳの記述がリソースに存在するかどうかに従って、メンバデバイスがＭＢＭＳをサポートするかどうかを決定し得る。
【０１９５】
具体的には、メンバデバイスがモバイルネットワークプラットフォームに登録するとき、作成された＜ｎｏｄｅ＞リソースが無い場合、ＩＮ−ＣＳＥは、ＳＣＥＦによって公開されている照会インタフェースへアクセス要求を送信してメンバデバイスの機能情報を照会し、次に、メンバデバイスの機能情報に従って、メンバデバイスがＭＢＭＳをサポートするかどうかを決定し得る。具体的な実装プロセスにおいて、ＳＣＥＦは、照会インタフェースを公開する。ＩＮ−ＣＳＥは、照会インタフェースにアクセスすることによってメンバデバイスの機能情報を照会して、メンバデバイスがＭＢＭＳをサポートするかどうかをさらに認識し得る。
【０１９６】
具体的には、特性情報が履歴位置情報、および、ＭＢＭＳがサポートされることを示す情報を含む場合、モバイルネットワークマルチキャスト通信方式をサポートするメンバデバイスのマルチキャスト型がＭＢＭＳであると決定される。
【０１９７】
実装可能な方式において、モバイルネットワークプラットフォームは、メンバデバイスのリソースが＜ｎｏｄｅ＞リソースを記憶しているかどうかを照会し、メンバデバイスがＭＢＭＳをサポートすることを示す情報を取得する方式を決定し得る。
【０１９８】
Ｓ６０３：特性情報が履歴位置情報を含むが、ＭＢＭＳがサポートされることを示す情報を含まないとき、モバイルネットワークプラットフォームは、履歴位置情報に従って、モバイルネットワークマルチキャスト通信方式をサポートするメンバデバイスによって、予め設定された時間範囲内にアクセスされる基地局を決定する。
【０１９９】
具体的には、特性情報がメンバデバイスの履歴位置情報を含むが、ＭＢＭＳがサポートされることを示す情報を含まない場合、ＩＮ−ＣＳＥは、メンバデバイスがＭＢＭＳをサポートしないことを決定する。従って、ＩＮ−ＣＳＥは、メンバデバイスの履歴位置情報を使用することによって、メンバデバイスのマルチキャスト型がＰＤＮまたはＣＢＳであると決定する。履歴位置情報は、モバイルネットワークマルチキャスト通信方式をサポートするメンバデバイスによってアクセスされる基地局の少なくとも２つの場所を決定するために使用される。ＩＮ−ＣＳＥは、メンバデバイスによってアクセスされる基地局の少なくとも２つの場所を取得することによって、メンバデバイスの位置変更を決定し、これにより、メンバデバイスの位置変更に従って、メンバデバイスについてのマルチキャスト型を構成する。
【０２００】
具体的な実装プロセスでは、ｏｎｅＭ２Ｍにおいて、ＩＮ−ＣＳＥは３つの方式、すなわち、ネットワークベース（Ｎｅｔｗｏｒｋ  Ｂａｓｅｄ）方式、デバイスベース（Ｄｅｖｉｃｅ  Ｂａｓｅｄ）方式、および、共有ベース（Ｓｈａｒｉｎｇ  Ｂａｓｅｄ）方式で履歴位置情報を取得する。具体的な実装プロセスにおいて、メンバデバイスの履歴位置情報は、＜ｃｏｎｔａｉｎｅｒ＞リソース（データリソース）に記憶される。＜ｃｏｎｔａｉｎｅｒ＞リソースは、ＩＮ−ＣＳＥ、または、メンバデバイスのＣＳＥに記憶される。各メンバデバイスによって履歴位置情報を取得する方式は、メンバデバイス自身によって構成される。Ｎｅｔｗｏｒｋ  Ｂａｓｅｄ位置決定方式をサポートするメンバデバイスの場合、メンバデバイスがＩＮ−ＣＳＥに登録するとき、メンバデバイスのリソースをＩＮ−ＣＳＥに記憶することに加えて、メンバデバイスはさらに、メンバデバイスの履歴位置情報を基地局から周期的に取得し得て、これにより、履歴位置情報をＩＮ−ＣＳＥにおける＜ｃｏｎｔａｉｎｅｒ＞リソースに記憶する。他の２つの位置決定方式をサポートするメンバデバイスの場合、メンバデバイスの履歴位置情報はメンバデバイスのＣＳＥに記憶される。例えば、メンバデバイスの履歴位置情報がＭＮにおけるＣＳＥ（すなわち、ＭＮ−ＣＳＥ）に記憶される場合、ＩＮ−ＣＳＥは、履歴位置情報をＭＮ−ＣＳＥに記憶する＜ｃｏｎｔａｉｎｅｒ＞リソースへ履歴位置情報取得要求を周期的に送信し、履歴位置情報を取得する。
【０２０１】
Ｓ６０４：モバイルネットワークプラットフォームが、モバイルネットワークマルチキャスト通信方式をサポートするメンバデバイスによって、予め設定された時間範囲内にアクセスされる基地局が同一の基地局かどうかを決定する。
【０２０２】
具体的には、ＭＢＭＳをサポートしないメンバデバイスの場合、ＩＮ−ＣＳＥは、特性情報における履歴位置情報に従って、メンバデバイスのモビリティを決定する。モビリティは、メンバデバイスによって、予め設定された時間範囲内にアクセスされる基地局が同一の基地局かどうか、すなわち、予め設定された時間範囲内における、メンバデバイスの具体的な位置が、現在アクセスされている基地局のマルチキャスト範囲に留まっているかどうかを示す。同一の基地局である場合、これは、メンバデバイスのモビリティが比較的低く、アクセスされる基地局は、常に同一の基地局であることを示し、段階Ｓ６０５が実行される。同一の基地局でない場合、これは、メンバデバイスのモビリティが比較的高く、アクセスされる基地局は、頻繁に変更されることを示し、段階Ｓ６０６が実行される。従って、ＩＮ−ＣＳＥは、モバイルネットワークマルチキャスト通信方式をサポートする各メンバデバイスの具体的な位置を取得する必要があり、次に各具体的な位置に従って、履歴位置情報を生成し、メンバデバイスの履歴位置情報に従って、メンバデバイスのモビリティを決定する。
【０２０３】
実装可能な方式において、不十分な位置決定精度を有するメンバデバイスの場合、ＩＮ−ＣＳＥは、正確に位置決定されたメンバデバイスと、不十分な位置決定精度を有するメンバデバイスとの間の位置関係を使用することによって、不十分な位置決定精度を有するメンバデバイスの具体的な位置を推定し得て、これにより、履歴位置情報を取得する。位置の近接性は、２またはより多くのメンバデバイスの地理的な位置が、予め設定された半径のエリア内にあることを意味する。位置に関して隣接しているメンバデバイスがあると決定された場合、位置に関して隣接しているメンバデバイスの具体的な位置が決定され得る。
【０２０４】
具体的には、この実施形態において、メンバデバイス６、メンバデバイス７、メンバデバイス８、メンバデバイス９およびメンバデバイス１０のうち、メンバデバイス６、メンバデバイス７、メンバデバイス８およびメンバデバイス１０は、位置に関して隣接すると仮定する。
【０２０５】
具体的には、Ｎｅｔｗｏｒｋ  Ｂａｓｅｄ位置決定方式を使用するメンバデバイスの場合、メンバデバイスの具体的な位置は、基地局の緯度経度位置、および、メンバデバイスから基地局までの距離であり、メンバデバイスの具体的な位置は基地局に記憶される。Ｄｅｖｉｃｅ  Ｂａｓｅｄ位置決定方式をサポートするメンバデバイスの場合、メンバデバイスの具体的な位置は、メンバデバイスに保持されるＧＰＳモジュールによって返される緯度経度位置であり、メンバデバイスの具体的な位置は、メンバデバイス、または、メンバデバイスのＣＳＥに記憶される。Ｓｈａｒｉｎｇ  Ｂａｓｅｄ位置決定方式をサポートするデバイスの場合、メンバデバイスの具体的な位置を取得する方式は、メンバデバイスにもっとも近い別のメンバデバイスのデバイス識別子（Ｄｅｖｉｃｅ  ＩＤ）と、メンバデバイスから、メンバデバイスにもっとも近い別のメンバデバイスまでの距離とを認識することである。加えて、メンバデバイスの具体的な位置は、メンバデバイス、または、メンバデバイスのＣＳＥに記憶される。メンバデバイスにもっとも近い別のメンバデバイスの位置決定の方式は、Ｎｅｔｗｏｒｋ  Ｂａｓｅｄ位置決定方式またはＤｅｖｉｃｅ  Ｂａｓｅｄ位置決定方式である。
【０２０６】
具体的な実装プロセスにおいて、ＩＮ−ＣＳＥが位置情報に従って、メンバデバイスが隣接しているかどうかを決定する方法は、以下の通りである。Ｎｅｔｗｏｒｋ  Ｂａｓｅｄ位置決定方式については、２またはより多くのメンバデバイスの位置情報における基地局の位置が同一である場合、ＩＮ−ＣＳＥは、２またはより多くのメンバデバイスが位置に関して隣接していると決定する。例えば、メンバデバイス６およびメンバデバイス７は、Ｎｅｔｗｏｒｋ  Ｂａｓｅｄ位置決定方式を使用し、メンバデバイス６の位置情報は（Ｎ１２０Ｅ８０，５００ｍ）、メンバデバイス７の位置情報は（Ｎ１２０Ｅ８０，８００ｍ）と仮定する。メンバデバイス６およびメンバデバイス７の両方は、基地局Ｎ１２０Ｅ８０のカバレッジエリア内にあり、ＩＮ−ＣＳＥは、メンバデバイス６およびメンバデバイス７が位置に関して隣接していると決定する。Ｄｅｖｉｃｅ  Ｂａｓｅｄ位置決定方式については、あるメンバデバイスの緯度経度位置が、ある基地局の最大カバレッジエリア内にあり、かつ、当該基地局と、位置が隣接していると決定されたメンバデバイスが属する基地局とが、同一の基地局である場合、当該メンバデバイスと、位置が隣接していると決定されたメンバデバイスとは、位置に関して隣接している。例えば、メンバデバイス８およびメンバデバイス９は、Ｄｅｖｉｃｅ  Ｂａｓｅｄ位置決定方式を使用し、メンバデバイス８の位置情報はＮ１２０．０１Ｅ８０．０１であり、メンバデバイス９の位置情報はＮ１２５Ｅ９０であり、基地局Ｎ１２０Ｅ８０の最大カバレッジエリアの半径は８００メートルと仮定する。メンバデバイス８の位置は、基地局Ｎ１２０Ｅ８０の最大カバレッジエリア内にあり、ＩＮ−ＣＳＥは、位置に関してメンバデバイス８がメンバデバイス６およびメンバデバイス７に隣接していると決定する。メンバデバイス９はエリア外である。従って、ＩＮ−ＣＳＥは、メンバデバイス９がメンバデバイス６およびメンバデバイス７に隣接していないと決定する。Ｓｈａｒｉｎｇ  Ｂａｓｅｄ位置決定方式については、特定のメンバデバイスと位置を共有するメンバデバイスが、位置が隣接していると決定されたメンバデバイスの１つであると決定された場合、ＩＮ−ＣＳＥは、当該特定のメンバデバイスが、位置が隣接していると既に決定されたメンバデバイスに隣接していると決定する。例えば、メンバデバイス１０の位置は、Ｓｈａｒｉｎｇ  Ｂａｓｅｄ位置決定方式を使用することによって決定されると仮定する。メンバデバイス６がメンバデバイス１０と位置を共有する場合、ＩＮ−ＣＳＥは、メンバデバイス１０が位置に関してメンバデバイス６、メンバデバイス７およびメンバデバイス８と隣接すると決定する。メンバデバイス１０とメンバデバイス６との間の距離が取得された後に、メンバデバイス６の具体的な位置、および、メンバデバイス１０とメンバデバイス６との間の距離を使用することによって、メンバデバイス１０の具体的な位置が取得される。
【０２０７】
Ｓ６０５：モバイルネットワークマルチキャスト通信方式をサポートするメンバデバイスによって、予め設定された時間範囲内にアクセスされる基地局が同一の基地局であるとき、モバイルネットワークプラットフォームは、モバイルネットワークマルチキャスト通信方式をサポートするメンバデバイスのマルチキャスト型がＣＢＳであると決定する。
【０２０８】
具体的には、ＩＮ−ＣＳＥは、メンバデバイスによってアクセスされる基地局の少なくとも２つの場所を取得するべく、予め設定された時間範囲内におけるメンバデバイスの具体的な位置を決定し、メンバデバイスの履歴位置情報を生成し、予め設定された時間範囲内にメンバデバイスによってアクセスされる基地局が同一かどうかを決定し、これにより、メンバデバイスのモビリティが高いか低いかを決定する。メンバデバイスのモビリティが比較的低い、すなわち、アクセスされる基地局の少なくとも２つの場所が同一であると決定された場合、メンバデバイスのマルチキャスト型がＣＢＳであると決定される。具体的な実装プロセスにおいて、ｏｎｅＭ２Ｍにおける各＜ｃｏｎｔａｉｎｅｒ＞リソースは、メンバデバイスの複数の具体的な位置の記録を記憶し得て、各具体的な位置の記録は、位置情報作成タイムスタンプを有する。ＩＮ−ＣＳＥは、複数の具体的な位置の記録を比較することによって、メンバデバイスが高いモビリティを有するかどうかを決定し得る。例えば、ＩＮ−ＣＳＥが、メンバデバイス６、７、８、９および１０の履歴位置情報記録を取得し、前の３〜５個の位置情報記録において、メンバデバイス６、メンバデバイス８およびメンバデバイス１０が非モビリティ状態にあり、常に同一の基地局のカバレッジエリアに位置していること、および、メンバデバイス７が、前の５つの位置情報記録において、異なる基地局のカバレッジエリアに別個に位置していることを発見すると仮定する。ＩＮ−ＣＳＥは、メンバデバイス６、８および１０が位置に関して隣接し、比較的低いモビリティを有すると決定し得る。従って、ＩＮ−ＣＳＥは、メンバデバイスのマルチキャスト型がＣＢＳであると決定し得る。
【０２０９】
Ｓ６０６：モバイルネットワークマルチキャスト通信方式をサポートするメンバデバイスによって、予め設定された時間範囲内にアクセスされる基地局が異なる基地局であるとき、モバイルネットワークプラットフォームは、モバイルネットワークマルチキャスト通信方式をサポートするメンバデバイスのマルチキャスト型がＰＤＮであると決定する。
【０２１０】
具体的には、ＩＮ−ＣＳＥは、ＭＢＭＳをサポートせず、高いモビリティを有する残りのメンバデバイスのマルチキャスト型がＰＤＮであると決定する。例えば、前の５個の位置情報記録において、メンバデバイス７は、異なる基地局のカバレッジエリアに別個に位置している。従って、履歴位置情報によって示される時間内にメンバデバイス７によってアクセスされる基地局は異なる。ＩＮ−ＣＳＥは、メンバデバイス７のマルチキャスト型がＰＤＮであると決定し得る。
【０２１１】
実装可能な方式において、位置に関して別のメンバデバイスに隣接しないメンバデバイスのマルチキャスト型も、ＰＤＮであると決定され得る。例えば、メンバデバイス９は、基地局Ｎ１２０Ｅ８０の最大カバレッジエリア外にある。従って、ＩＮ−ＣＳＥは、メンバデバイス９がメンバデバイス６およびメンバデバイス７に隣接していないと決定する。また、ＩＮ−ＣＳＥは、メンバデバイス９のマルチキャスト型がＰＤＮであると決定し得る。
【０２１２】
Ｓ６０７：モバイルネットワークプラットフォームは、モバイルネットワークマルチキャスト通信方式をサポートするメンバデバイスのマルチキャスト型に従って、モバイルネットワークマルチキャスト通信方式をサポートするメンバデバイスのためのデバイスグループのデバイスサブグループを作成する。
【０２１３】
具体的には、ＩＮ−ＣＳＥは、特性情報における、ＭＢＭＳがサポートされることを示す情報に従って、ＭＢＭＳをサポートするメンバデバイスを選択し、メンバデバイスのためのデバイスサブグループ、すなわち、＜ｇｒｏｕｐ−３ＧＰＰ＞のデバイスサブグループを作成する。デバイスサブグループは、＜ｇｒｏｕｐ−ＭＢＭＳ＞として表され、デバイスサブグループのマルチキャスト型は、ＭＢＭＳである。例えば、ＩＮ−ＣＳＥによって作成された＜ｇｒｏｕｐ−ＭＢＭＳ＞は、３つのメンバデバイス、すなわち、メンバデバイス１、メンバデバイス２およびメンバデバイス３を含む。
【０２１４】
具体的には、ＣＢＳは、指定されたエリアにおけるメンバデバイスへメッセージが同時に送信されるサービスとして定義される。従って、メンバデバイスは、具体的なエリアに位置し、低いモビリティを有する必要がある。特性情報における、メンバデバイスの履歴位置情報に従って、位置に関して隣接する、または、低いモビリティを有するメンバデバイスを決定した後に、ＩＮ−ＣＳＥは、メンバデバイスのためのデバイスサブグループを作成し得る。デバイスサブグループは、＜ｇｒｏｕｐ−ＣＢＳ＞として表され、デバイスサブグループのマルチキャスト型はＣＢＳである。例えば、ＩＮ−ＣＳＥによって作成された＜ｇｒｏｕｐ−ＣＢＳ＞は、４つのメンバデバイス、すなわち、メンバデバイス６、メンバデバイス７、メンバデバイス８およびメンバデバイス１０を含む。
【０２１５】
具体的には、ＩＮ−ＣＳＥは、特性情報におけるメンバデバイスの履歴位置情報に従って、高いモビリティを有する、または、別のメンバデバイスに隣接しないメンバデバイスを決定し、メンバデバイスのためのデバイスサブグループ、すなわち、＜ｇｒｏｕｐ−３ＧＰＰ＞のデバイスサブグループを作成する。デバイスサブグループは、＜ｇｒｏｕｐ−ＰＤＮ＞として表され、デバイスサブグループのマルチキャスト型は、ＰＤＮである。例えば、履歴位置情報によって示される時間内にメンバデバイス７がアクセスした基地局は異なり、メンバデバイス９は、メンバデバイス６およびメンバデバイス７に隣接しない。従って、ＩＮ−ＣＳＥによって作成された＜ｇｒｏｕｐ−ＰＤＮ＞は、２つのメンバデバイス、すなわち、メンバデバイス７およびメンバデバイス９を含む。
【０２１６】
Ｓ６０８：モバイルネットワークプラットフォームは、デバイスグループのデバイスサブグループに対応する作成予定の外部サブグループの識別子を生成する。
【０２１７】
具体的には、ＩＮ−ＣＳＥは、デバイスグループのＭＢＭＳデバイスサブグループ＜ｇｒｏｕｐ−ＭＢＭＳ＞に対応する作成予定の外部サブグループの識別子、例えば、＜ｇｒｏｕｐ−ＭＢＭＳ＞のＥｘｔｅｒｎａｌ  Ｇｒｏｕｐ  ＩＤを生成する。ＩＮ−ＣＳＥは次に、外部グループのＭＢＭＳデバイスサブグループを作成するための要求をＳＣＥＦへ送信する。デバイスサブグループを作成するための要求は、＜ｇｒｏｕｐ−ＭＢＭＳ＞のＥｘｔｅｒｎａｌ  Ｇｒｏｕｐ  ＩＤ、および、＜ｇｒｏｕｐ−ＭＢＭＳ＞におけるメンバデバイスの外部デバイス識別子（Ｅｘｔｅｒｎａｌ  ＩＤ）を含み、その結果、ＳＣＥＦは、ＩＮ−ＣＳＥによって送信された作成要求に従って、外部グループのＭＢＭＳデバイスサブグループを作成する。
【０２１８】
具体的には、ＩＮ−ＣＳＥは、デバイスグループのＣＢＳデバイスサブグループ＜ｇｒｏｕｐ−ＣＢＳ＞に対応する作成予定の外部サブグループの識別子、例えば、＜ｇｒｏｕｐ−ＣＢＳ＞のＥｘｔｅｒｎａｌ  Ｇｒｏｕｐ  ＩＤを生成する。ＩＮ−ＣＳＥは次に、外部グループのＣＢＳデバイスサブグループを作成するための要求をＳＣＥＦへ送信する。デバイスサブグループを作成するための要求は、＜ｇｒｏｕｐ−ＣＢＳ＞のＥｘｔｅｒｎａｌ  Ｇｒｏｕｐ  ＩＤ、および、＜ｇｒｏｕｐ−ＣＢＳ＞におけるメンバデバイスの外部デバイス識別子（Ｅｘｔｅｒｎａｌ  ＩＤ）を含み、その結果、ＳＣＥＦは、ＩＮ−ＣＳＥによって送信された作成要求に従って、外部グループのＣＢＳデバイスサブグループを作成する。
【０２１９】
具体的には、ＩＮ−ＣＳＥは、デバイスグループのＰＤＮデバイスサブグループ＜ｇｒｏｕｐ−ＰＤＮ＞に対応する作成予定の外部サブグループの識別子、例えば、＜ｇｒｏｕｐ−ＰＤＮ＞のＥｘｔｅｒｎａｌ  Ｇｒｏｕｐ  ＩＤを生成する。ＩＮ−ＣＳＥは次に、外部グループのＰＤＮデバイスサブグループを作成するための要求をＳＣＥＦへ送信する。デバイスサブグループを作成するための要求は、＜ｇｒｏｕｐ−ＰＤＮ＞のＥｘｔｅｒｎａｌ  Ｇｒｏｕｐ  ＩＤ、および、＜ｇｒｏｕｐ−ＰＤＮ＞におけるメンバデバイスの外部デバイス識別子（Ｅｘｔｅｒｎａｌ  ＩＤ）を含み、その結果、ＳＣＥＦは、ＩＮ−ＣＳＥによって送信された作成要求に従って、外部グループのＰＤＮデバイスサブグループを作成する。
【０２２０】
上記から分かるように、本発明のこの実施形態において、異なる機能を有するメンバデバイスは、異なるマルチキャスト型に従って分割され、異なるデバイスサブグループが取得され得て、これにより、後のマルチキャストプロセス中の効率および成功率を改善する。
【０２２１】
図１０は、本発明の第３実施形態に係るモバイルネットワークプラットフォーム１０００の概略構造図である。モバイルネットワークプラットフォーム１０００は、受信ユニット１００１、検索ユニット１００２、決定ユニット１００３および送信ユニット１００４を備える。
【０２２２】
受信ユニット１００１は、Ｍ２Ｍグループのためのアクセス要求を受信するように構成され、アクセス要求は、Ｍ２Ｍグループ識別子および要求内容を保持する。検索ユニット１００２は、受信ユニット１００１によって受信されたＭ２Ｍグループ識別子に従って、デバイスグループの識別子を検索するように構成され、デバイスグループに含まれるメンバデバイスは、Ｍ２Ｍグループ識別子によって示されるグループにおける、モバイルネットワークマルチキャスト通信方式をサポートするメンバデバイスである。決定ユニット１００３は、検索ユニット１００２によって発見されたデバイスグループに対応する外部グループの識別子を決定するように構成され、外部グループは、モバイルネットワークサーバに記憶され、外部グループにおけるメンバデバイスは、デバイスグループにおけるメンバデバイスである。送信ユニット１００４は、モバイルネットワークマルチキャスト要求をモバイルネットワークサーバへ送信するように構成され、モバイルネットワークマルチキャスト要求は、外部グループの識別子および要求内容を保持し、モバイルネットワークマルチキャスト要求は、アクセスコマンドを外部グループにおけるメンバデバイスへモバイルネットワークマルチキャスト通信方式で送信するように命令するために使用され、アクセスコマンドは、要求内容を保持する。上述の機能ユニットは、図６Ａおよび図６Ｂの実施形態における段階Ｓ２００、Ｓ２０１およびＳ２０４からＳ２０６と、図７Ａおよび図７Ｂの実施形態における段階Ｓ３００およびＳ３０１に関連する段階とを実行するように構成されている。
【０２２３】
任意で、図１０に示されるように、モバイルネットワークプラットフォーム１０００はさらに、割り当てユニット１００５を備える。
【０２２４】
割り当てユニット１００５は、応答アドレスをデバイスグループにおけるメンバデバイスに割り当てるように構成され、応答アドレスは、アクセスコマンドに応じて、デバイスグループにおけるメンバデバイスによって送信された応答を受信するために使用される。
【０２２５】
モバイルネットワークマルチキャスト要求およびアクセスコマンドはさらに、応答アドレスを保持する。割り当てユニット１００５がデバイスグループにおけるメンバデバイスに応答アドレスを割り当てる、関連する実施形態の詳細については、図７Ａおよび図７Ｂの実施形態における段階Ｓ３０４の関連する記述を参照されたい。
【０２２６】
受信ユニット１００１はさらに、デバイスグループにおけるメンバデバイスによって応答アドレスへ送信された、要求内容についての応答情報を受信するように構成されている。受信ユニット１００１がデバイスグループにおけるメンバデバイスによって送信された応答情報を受信する、関連する実施形態の詳細については、図７Ａおよび図７Ｂの実施形態における段階Ｓ３１０の関連する段階を参照されたい。
【０２２７】
任意で、検索ユニット１００２はさらに、デバイスグループの識別子に従って、デバイスグループのデバイスサブグループを検索するように構成されている。検索ユニット１００２がデバイスグループのデバイスサブグループを検索する、関連する実施形態の詳細については、図７Ａおよび図７Ｂの実施形態における段階Ｓ３００の関連する段階を参照されたい。
【０２２８】
決定ユニット１００３は、具体的には、デバイスサブグループに対応する外部サブグループの識別子を決定するように構成されている。決定ユニット１００３がデバイスサブグループに対応する外部サブグループの識別子を決定する関連する実施形態の詳細については、図７Ａおよび図７Ｂの実施形態における段階Ｓ３０２の関連する段階を参照されたい。
【０２２９】
モバイルネットワークマルチキャスト要求はさらに、デバイスサブグループの識別子を保持する。
【０２３０】
任意で、決定ユニット１００３はさらに、デバイスサブグループのマルチキャスト型を決定するように構成されている。決定ユニット１００３がデバイスサブグループのマルチキャスト型を決定する、関連する実施形態の詳細については、図７Ａおよび図７Ｂの実施形態における段階Ｓ３０３の関連する段階を参照されたい。
【０２３１】
割り当てユニット１００５は、具体的には、デバイスサブグループのマルチキャスト型に従って、デバイスサブグループにおけるメンバデバイスに応答アドレスを割り当てるように構成されている。割り当てユニット１００５がデバイスサブグループにおけるメンバデバイスに応答アドレスを割り当てる、関連する実施形態の詳細については、図７Ａおよび図７Ｂの実施形態における段階Ｓ３０４の関連する段階を参照されたい。
【０２３２】
任意で、図１０に示されるように、デバイスサブグループのマルチキャスト型はセルブロードキャストサービスＣＢＳである。モバイルネットワークプラットフォーム１０００はさらに、作成ユニット１００６を備える。
【０２３３】
作成ユニット１００６は、デバイスサブグループのためのＲｅｑｕｅｓｔリソースを作成し、要求アドレスをＲｅｑｕｅｓｔリソースに割り当てるように構成され、Ｒｅｑｕｅｓｔリソースは要求内容を記憶する。作成ユニット１００６がデバイスサブグループのためのＲｅｑｕｅｓｔリソースを作成する、関連する実施形態の詳細については、図７Ａおよび図７Ｂの実施形態における段階Ｓ３０５の関連する段階を参照されたい。
【０２３４】
モバイルネットワークマルチキャスト要求およびアクセスコマンドはさらに、要求アドレスを保持する。
【０２３５】
任意で、決定ユニット１００３はさらに、デバイスグループにおける、応答情報を返していないメンバデバイスを決定するように構成されている。決定ユニット１００３が、デバイスグループにおける、応答情報を返していないメンバデバイスを決定する、関連する実施形態の詳細については、図７Ａおよび図７Ｂの実施形態における段階Ｓ３１１の関連する段階を参照されたい。
【０２３６】
作成ユニット１００６はさらに、マルチキャスト型がトリガマルチキャストであるトリガデバイスグループを作成するように構成され、トリガデバイスグループにおけるメンバデバイスは、グループデバイスにおけるメンバデバイスによって返された応答情報を受信していない、デバイスグループにおけるメンバデバイスである。作成ユニット１００６が、マルチキャスト型がトリガマルチキャストであるトリガデバイスグループを作成する、関連する実施形態の詳細については、図７Ａおよび図７Ｂの実施形態における段階Ｓ３１２の関連する段階を参照されたい。
【０２３７】
送信ユニット１００４はさらに、トリガ外部グループ作成要求をモバイルネットワークサーバへ送信するように構成され、トリガ外部グループ作成要求は、トリガデバイスグループに対応するトリガ外部グループを作成するように命令するために使用され、トリガ外部グループ作成要求は、トリガ外部グループの識別子、および、トリガデバイスグループにおけるメンバデバイスの外部デバイス識別子を含む。送信ユニット１００４がトリガ外部グループ作成要求をモバイルネットワークサーバへ送信する、関連する実施形態の詳細については、図７Ａおよび図７Ｂの実施形態における段階Ｓ３１３の関連する段階を参照されたい。
【０２３８】
この実施形態において、モバイルネットワークプラットフォーム１０００は、機能ユニットの形式で表される。ここでは、「ユニット」とは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、回路、１もしくは複数のソフトウェアもしくはファームウェアプログラムを実行するプロセッサおよびメモリ、集積論理回路、および／または、上述の機能を提供し得る別のコンポーネントであり得る。単純な実施形態において、当業者であれば、モバイルネットワークプラットフォーム１０００は、図５に示される形式を使用し得ることを理解し得る。受信ユニット１００１、検索ユニット１００２、決定ユニット１００３、送信ユニット１００４、割り当てユニット１００５および作成ユニット１００６は、図５におけるプロセッサおよびメモリを使用することによって実装され得る。
【０２３９】
図１１は、本発明の第３実施形態に係るモバイルネットワークプラットフォームの概略構造図である。モバイルネットワークプラットフォーム１１００は、受信ユニット１１０１、第１決定ユニット１１０２、作成ユニット１１０３、生成ユニット１１０４および送信ユニット１１０５を備える。
【０２４０】
受信ユニット１１０１は、グループ作成要求を受信するように構成され、グループ作成要求は、Ｍ２Ｍグループ識別子、および、作成予定のＭ２Ｍグループにおけるメンバデバイスのデバイス識別子を保持する。第１決定ユニット１１０２は、受信ユニット１１０１によって受信された、メンバデバイスのデバイス識別子に従って、モバイルネットワークマルチキャスト通信方式をサポートするメンバデバイスを決定するように構成されている。作成ユニット１１０３は、受信ユニット１１０１によって受信されたグループ作成要求に従って、Ｍ２Ｍグループ識別子によって示されるＭ２Ｍグループを作成するように構成され、Ｍ２Ｍグループは、デバイスグループ識別子、および、モバイルネットワークマルチキャストがサポートされることを示す情報を含むデバイスグループ識別子を含む。作成ユニット１１０３はさらに、決定ユニットによって決定された、モバイルネットワークマルチキャスト通信方式をサポートするメンバデバイスのためのデバイスグループを作成するように構成されている。生成ユニット１１０４は、モバイルネットワークマルチキャストがサポートされることを示す情報に従って、デバイスグループに対応する作成予定の外部グループの外部グループ識別子を生成するように構成されている。送信ユニット１１０５は、外部グループ作成要求をモバイルネットワークサーバへ送信するように構成され、外部グループ作成要求は、外部グループ識別子、および、モバイルネットワークマルチキャスト通信方式をサポートするメンバデバイスの外部デバイス識別子を含み、外部グループ作成要求は、外部グループを作成するように命令するために使用され、外部グループは、識別子が外部グループ識別子であり、モバイルネットワークマルチキャスト通信方式をサポートするメンバデバイスの外部デバイス識別子を含む。上述の機能ユニットは、図８Ａおよび図８Ｂの実施形態における段階Ｓ５０１およびＳ５０３からＳ５０７に関連する段階を実行するように構成されている。
【０２４１】
任意で、第１決定ユニット１１０２は、具体的には、メンバデバイスのデバイス識別子に従って、メンバデバイスの登録情報を取得し、外部デバイス識別子を含む登録情報を有するメンバデバイスが、モバイルネットワークマルチキャスト通信方式をサポートするメンバデバイスであると決定するように構成されている。第１決定ユニット１１０２がメンバデバイスの登録情報を取得する、関連する実施形態の詳細については、図８Ａおよび図８Ｂの実施形態における段階Ｓ５０２およびＳ５０３に関連する段階を参照されたい。
【０２４２】
任意で、図１１に示されるように、モバイルネットワークプラットフォーム１１００はさらに、取得ユニット１１０６および第２決定ユニット１１０７を含む。
【０２４３】
取得ユニット１１０６は、モバイルネットワークマルチキャスト通信方式をサポートするメンバデバイスの特性情報を取得するように構成され、特性情報は、モバイルネットワークマルチキャスト通信方式をサポートするメンバデバイスの履歴位置情報、および／または、モバイルネットワークマルチキャスト通信方式をサポートするメンバデバイスがマルチメディアブロードキャストマルチキャストサービスＭＢＭＳをサポートすることを示す情報を含む。取得ユニット１１０６が、モバイルネットワークマルチキャスト通信方式をサポートするメンバデバイスの特性情報を取得する、関連する実施形態の詳細については、図９の実施形態における段階Ｓ６０１の関連する段階を参照されたい。
【０２４４】
第２決定ユニット１１０７は、モバイルネットワークマルチキャスト通信方式をサポートするメンバデバイスの履歴位置情報、および／または、モバイルネットワークマルチキャスト通信方式をサポートするメンバデバイスがＭＢＭＳをサポートすることを示す情報に従って、モバイルネットワークマルチキャスト通信方式をサポートするメンバデバイスのマルチキャスト型を決定するように構成されている。
【０２４５】
作成ユニット１１０３は具体的には、モバイルネットワークマルチキャスト通信方式をサポートするメンバデバイスのマルチキャスト型に従って、モバイルネットワークマルチキャスト通信方式をサポートするメンバデバイスのためのデバイスグループのデバイスサブグループを作成するように構成されている。作成ユニット１１０３が、デバイスグループのデバイスサブグループを作成する、関連する実施形態の詳細については、図９の実施形態における段階Ｓ６０７の関連する段階を参照されたい。
【０２４６】
生成ユニット１１０４は、具体的には、モバイルネットワークマルチキャストがサポートされることを示す情報に従って、デバイスグループのデバイスサブグループに対応する作成予定の外部サブグループの識別子を生成するように構成されている。生成ユニット１１０４が作成予定の外部サブグループの識別子を生成する、関連する実施形態の詳細については、図９の実施形態における段階Ｓ６０８に関連する段階を参照されたい。
【０２４７】
任意で、第２決定ユニット１１０７は、具体的には、特性情報が、ＭＢＭＳがサポートされることを示す情報を含むとき、モバイルネットワークマルチキャスト通信方式をサポートするメンバデバイスのマルチキャスト型がＭＢＭＳであると決定する、または、特性情報が履歴位置情報を含むが、ＭＢＭＳがサポートされることを示す情報を含まないとき、履歴位置情報に従って、モバイルネットワークマルチキャスト通信方式をサポートするメンバデバイスによって、予め設定された時間範囲内にアクセスされる基地局を決定することと、モバイルネットワークマルチキャスト通信方式をサポートするメンバデバイスによってアクセスされる基地局が同一の基地局であるかどうかを決定することと、モバイルネットワークマルチキャスト通信方式をサポートするメンバデバイスによってアクセスされる基地局が同一の基地局であるとき、モバイルネットワークマルチキャスト通信方式をサポートするメンバデバイスのマルチキャスト型がＣＢＳであると決定する、または、モバイルネットワークマルチキャスト通信方式をサポートするメンバデバイスによってアクセスされる基地局が異なる基地局であるとき、モバイルネットワークマルチキャスト通信方式をサポートするメンバデバイスのマルチキャスト型がＰＤＮであると決定することとを行うように構成されている。第２決定ユニット１１０７が、具体的には、上述の段階を実行する、関連する実施形態の詳細については、図９の実施形態における段階Ｓ６０２からＳ６０６の関連する段階を参照されたい。
【０２４８】
この実施形態において、モバイルネットワークプラットフォーム１１００は、機能ユニットの形式で表される。ここでは、「ユニット」とは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，  ＡＳＩＣ）、回路、１もしくは複数のソフトウェアもしくはファームウェアプログラムを実行するプロセッサおよびメモリ、集積論理回路、および／または、上述の機能を提供し得る別のコンポーネントであり得る。単純な実施形態において、当業者であれば、モバイルネットワークプラットフォーム１１００は、図５に示される形式を使用し得ることを理解し得る。受信ユニット１１０１、第１決定ユニット１１０２、作成ユニット１１０３、生成ユニット１１０４、送信ユニット１１０５、取得ユニット１１０６および第２決定ユニット１１０７はまた、図５におけるプロセッサおよびメモリを使用することによって実装され得る。
【０２４９】
図１２は、本発明の第４実施形態に係るサービス層装置の概略構造図である。図１２に示されるサービス層装置１２００は、受信ユニット１２０１、決定ユニット１２０２、作成ユニット１２０３および送信ユニット１２０４を備える。
【０２５０】
受信ユニット１２０１は、グループ作成要求を受信するように構成され、グループ作成要求は、マシン間通信Ｍ２Ｍグループ識別子、および、作成予定のＭ２Ｍグループにおけるメンバデバイスのデバイス識別子を保持する。決定ユニット１２０２は、メンバデバイスのデバイス識別子に従って、モバイルネットワークマルチキャスト通信方式をサポートするメンバデバイスを決定するように構成されている。作成ユニット１２０３は、グループ作成要求に従って、Ｍ２Ｍグループ識別子によって示されるＭ２Ｍグループを作成するように構成され、Ｍ２Ｍグループは、デバイスグループ識別子、および、モバイルネットワークマルチキャストがサポートされることを示す情報を含むデバイスグループ識別子を含む。送信ユニット１２０４は、デバイスグループ作成要求をモバイルネットワークプラットフォームへ送信するように構成され、デバイスグループ作成要求は、デバイスグループ識別子と、決定された、モバイルネットワークマルチキャスト通信方式をサポートするメンバデバイスについての情報とを保持し、モバイルネットワークマルチキャストがサポートされることを示す情報は、外部グループ識別子を生成するように、および、モバイルネットワークマルチキャスト通信方式をサポートするメンバデバイスについての情報を含む外部グループをモバイルネットワークサーバにおいて作成するように命令するために使用される。上述の機能ユニットは、図８Ａおよび図８Ｂの実施形態における段階Ｓ５０１からＳ５０５に関連する段階を実行するように構成されている。
【０２５１】
図１３は、本発明の第５実施形態に係るメンバデバイスの概略構造図である。図１３に示されるメンバデバイス１３００は、受信ユニット１３０１および送信ユニット１３０２を含む。
【０２５２】
受信ユニット１３０１は、モバイルネットワークサーバによってモバイルネットワークマルチキャスト通信方式で送信されたアクセスコマンドを受信するように構成され、アクセスコマンドは、要求内容、および、モバイルネットワークプラットフォームによってメンバデバイスに割り当てられた応答アドレスを保持し、応答アドレスは、モバイルネットワークプラットフォームの識別子を含む。送信ユニット１３０２は、応答アドレスに従って、モバイルネットワークプラットフォームの識別子によって示されるモバイルネットワークプラットフォームへ、要求内容についての応答情報を送信するように構成されている。上述の機能ユニットは、図７Ａおよび図７Ｂの実施形態における段階Ｓ３０７からＳ３１０に関連する段階を実行するように構成されている。
【０２５３】
本発明の実施形態はさらに、図１０および図１１に示されるモバイルネットワークプラットフォームによって使用されるコンピュータソフトウェア命令を記憶するように構成されているコンピュータ記憶媒体を提供し、コンピュータソフトウェア命令は、上述した方法の実施形態を実装するように設計されたプログラムを含む。グループマルチキャストは、記憶されたプログラムを実行することによって実装され得る。
【０２５４】
本発明の実施形態はさらに、図１２に示されるサービス層装置によって使用されるコンピュータソフトウェア命令を記憶するように構成されているコンピュータ記憶媒体を提供し、コンピュータソフトウェア命令は、上述した方法の実施形態を実装するように設計されたプログラムを含む。グループマルチキャストは、記憶されたプログラムを実行することによって実装され得る。
【０２５５】
本発明の実施形態はさらに、図１３に示されるメンバデバイスによって使用されるコンピュータソフトウェア命令を記憶するように構成されているコンピュータ記憶媒体を提供し、コンピュータソフトウェア命令は、上述した方法の実施形態を実装するように設計されたプログラムを含む。グループマルチキャストは、記憶されたプログラムを実行することによって実装され得る。
【０２５６】
本発明は、実施形態に関連して記述されているが、当業者であれば、保護を請求する本発明を実装するプロセスにおいて、添付図面、開示された内容、および、添付された特許請求の範囲を見ることによって、開示された実施形態の別の変形形態を理解および実装し得る。特許請求の範囲において、「備える」（ｃｏｍｐｒｉｓｉｎｇ）は、別のコンポーネントまたは別の段階を除外しない。「ある」または「１つの」は、複数の場合を除外しない。単一のプロセッサまたは別のユニットは、特許請求の範囲において列挙されているいくつかの機能を実装し得る。複数の従属請求項において、互いに異なるいくつかの手段が記録されているが、このことは、これらの手段を組み合わせてより良い効果を生み出すことができないことを意味するものではない。
【０２５７】
当業者であれば、本発明の実施形態は、方法、装置（デバイス）、またはコンピュータプログラム製品として提供され得ることを理解するはずである。従って、本発明は、ハードウェアのみの実施形態、ソフトウェアのみの実施形態、またはソフトウェアおよびハードウェアを組み合わせた実施形態の形式を使用し得る。さらに、本発明は、コンピュータ利用可能プログラムコードを含む１または複数のコンピュータ利用可能記憶媒体（限定されるものではないが、ディスクメモリ、ＣＤ−ＲＯＭ、光学メモリ、および同様のものを含む）において実装されるコンピュータプログラム製品の形式を使用し得る。コンピュータプログラムは、適切な媒体に記憶／分散され、別のハードウェアと共に、ハードウェアの一部として、提供もしくは使用されるか、または、インターネット、もしくは別の有線もしくは無線の遠隔通信システムを使用することなどによって、別の割り当て形式も使用し得る。
【０２５８】
本発明は、本発明の実施形態に係る方法、装置（デバイス）、コンピュータプログラム製品のフローチャートおよび／またはブロック図を参照して記述されている。コンピュータプログラム命令は、フローチャートおよび／またはブロック図における各処理および／または各ブロックと、フローチャートおよび／またはブロック図における処理および／またはブロックの組み合わせを実装するために使用され得ることを理解されたい。これらのコンピュータプログラム命令は、汎用コンピュータ、専用コンピュータ、組み込みプロセッサ、または任意の他のプログラム可能なデータ処理デバイスのプロセッサに提供されて機械を形成し得て、その結果、コンピュータまたは任意の他のプログラム可能なデータ処理デバイスのプロセッサによって実行される命令は、フローチャートにおける１または複数の処理および／またはブロック図における１または複数のブロックの特定の機能を実装する装置を生成する。
【０２５９】
これらのコンピュータプログラム命令はまた、コンピュータまたは任意の他のプログラム可能なデータ処理デバイスに命令して特定の方式で機能させるようにし得るコンピュータ可読メモリに記憶され得て、その結果、コンピュータ可読メモリに記憶されるそれらの命令は、命令装置を含むアーチファクトを生成する。命令装置は、フローチャートにおける１もしくは複数の処理および／またはブロック図における１もしくは複数のブロックの特定の機能を実装する。
【０２６０】
これらのコンピュータプログラム命令はまた、コンピュータまたは別のプログラム可能なデータ処理デバイス上にロードされて、その結果、一連の動作および段階がコンピュータまたは別のプログラム可能デバイス上で実行されるようにし得て、それにより、コンピュータにより実現される処理を生成する。従って、コンピュータまたは別のプログラム可能デバイスにおいて実行された命令は、フローチャートの１または複数のプロセス、および／またはブロック図の１または複数のブロックにおける特定の機能を実装するための段階を提供する。
【０２６１】
本発明は、具体的な特徴およびその実施形態を参照して記述されているが、明らかに、本発明の範囲から逸脱することなく、様々な変更および組み合わせが成され得る。対応して、明細書および添付図面は、添付された特許請求の範囲によって定義された本発明の例に過ぎず、本発明の範囲における変更、変形、組み合わせまたは均等物のいずれかまたはすべてを包含するとみなされる。当業者であれば、本発明の主旨および範囲から逸脱することなく、様々な修正および変形を本発明になすことができることは明白である。本発明は、これらの修正および変形が、以下の特許請求の範囲およびその均等な技術により規定される保護範囲内に含まれるならば、これらの修正および変形を包含するよう意図されている。
【図１Ａ】
2019500792.tif 000003
【図１Ｂ】
2019500792.tif 000004
【図２】
2019500792.tif 000005
【図３】
2019500792.tif 000006
【図４】
2019500792.tif 000007
【図５】
2019500792.tif 000008
【図６Ａ】
2019500792.tif 000009
【図６Ｂ】
2019500792.tif 000010
【図７Ａ】
2019500792.tif 000011
【図７Ｂ】
2019500792.tif 000012
【図８Ａ】
2019500792.tif 000013
【図８Ｂ】
2019500792.tif 000014
【図９】
2019500792.tif 000015
【図１０】
2019500792.tif 000016
【図１１】
2019500792.tif 000017
【図１２】
2019500792.tif 000018
【図１３】
2019500792.tif 000019
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
グループマルチキャスト方法であって、
マシン間通信Ｍ２Ｍグループのためのアクセス要求を受信する段階であって、前記アクセス要求は、Ｍ２Ｍグループ識別子および要求内容を保持する、段階と、
前記Ｍ２Ｍグループ識別子に従って、デバイスグループの識別子を検索する段階であって、前記デバイスグループに含まれるメンバデバイスは、前記Ｍ２Ｍグループ識別子によって示されるグループにおける、モバイルネットワークマルチキャスト通信方式をサポートするメンバデバイスである、段階と、
前記デバイスグループに対応する外部グループの識別子を決定する段階であって、前記外部グループはモバイルネットワークサーバに記憶され、前記外部グループにおけるメンバデバイスは、前記デバイスグループにおける前記メンバデバイスである、段階と、
モバイルネットワークマルチキャスト要求を前記モバイルネットワークサーバへ送信する段階であって、前記モバイルネットワークマルチキャスト要求は、前記外部グループの前記識別子および前記要求内容を保持し、前記モバイルネットワークマルチキャスト要求は、前記モバイルネットワークマルチキャスト通信方式でアクセスコマンドを前記外部グループにおける前記メンバデバイスへ送信するように命令するために使用され、前記アクセスコマンドは前記要求内容を保持する、段階と
を備える方法。
【請求項２】
モバイルネットワークマルチキャスト要求を前記モバイルネットワークサーバへ送信する前記段階の前に、前記方法はさらに、応答アドレスを前記デバイスグループにおける前記メンバデバイスに割り当てる段階であって、前記応答アドレスは、前記アクセスコマンドに応じて、前記デバイスグループにおける前記メンバデバイスによって送信された応答を受信するために使用される、段階を備え、
前記モバイルネットワークマルチキャスト要求および前記アクセスコマンドはさらに、前記応答アドレスを保持し、
モバイルネットワークマルチキャスト要求を前記モバイルネットワークサーバへ送信する前記段階の後に、前記方法はさらに、前記デバイスグループにおける前記メンバデバイスによって前記応答アドレスへ送信された、前記要求内容についての応答情報を受信する段階を備える、
請求項１に記載の方法。
【請求項３】
前記デバイスグループに対応する外部グループの識別子を決定する前記段階の前に、前記方法はさらに、前記デバイスグループの前記識別子に従って、前記デバイスグループのデバイスサブグループを検索する段階を備え、
前記デバイスグループに対応する外部グループの識別子を決定する前記段階は、前記デバイスサブグループに対応する外部サブグループの識別子を決定する段階を含み、
前記モバイルネットワークマルチキャスト要求はさらに、前記デバイスサブグループの識別子を保持する、請求項１または２に記載の方法。
【請求項４】
前記デバイスグループの前記識別子に従って、前記デバイスグループのデバイスサブグループを検索する前記段階の後に、前記方法はさらに、
前記デバイスサブグループのマルチキャスト型を決定する段階を備え、前記デバイスグループにおける前記メンバデバイスに応答アドレスを割り当てる前記段階は、
前記デバイスサブグループの前記マルチキャスト型に従って、前記デバイスサブグループにおけるメンバデバイスに前記応答アドレスを割り当てる段階を含む、
請求項３に記載の方法。
【請求項５】
前記デバイスサブグループの前記マルチキャスト型は、セルブロードキャストサービスＣＢＳであり、前記方法はさらに、
前記デバイスサブグループのための要求リソースを作成し、要求アドレスを前記要求リソースに割り当てる段階であって、前記要求リソースは前記要求内容を記憶する、段階を備え、
前記モバイルネットワークマルチキャスト要求および前記アクセスコマンドはさらに、前記要求アドレスを保持する、請求項４に記載の方法。
【請求項６】
前記デバイスグループにおける前記メンバデバイスによって応答アドレスへ送信された、前記要求内容についての応答情報を受信する前記段階の後に、前記方法はさらに、
応答情報を返していない、前記デバイスグループにおけるメンバデバイスを決定する段階と、
マルチキャスト型がトリガマルチキャストであるトリガデバイスグループを作成する段階であって、前記トリガデバイスグループにおけるメンバデバイスは、応答情報を返していない、前記デバイスグループにおける前記メンバデバイスである、段階と、
トリガ外部グループ作成要求を前記モバイルネットワークサーバへ送信する段階であって、前記トリガ外部グループ作成要求は、前記トリガデバイスグループに対応するトリガ外部グループを作成するように命令するために使用され、前記トリガ外部グループ作成要求は、前記トリガ外部グループの識別子と、前記トリガデバイスグループにおける前記メンバデバイスの外部デバイス識別子とを含む、段階と
を備える、請求項２から５のいずれか一項に記載の方法。
【請求項７】
グループ作成方法であって、
グループ作成要求を受信する段階であって、前記グループ作成要求は、マシン間通信グループ識別子（Ｍ２Ｍグループ識別子）と、作成予定のＭ２Ｍグループにおけるメンバデバイスのデバイス識別子とを保持する、段階と、
前記メンバデバイスの前記デバイス識別子に従って、モバイルネットワークマルチキャスト通信方式をサポートするメンバデバイスを決定する段階と、
前記グループ作成要求に従って、前記Ｍ２Ｍグループ識別子によって示されるＭ２Ｍグループを作成する段階であって、前記Ｍ２Ｍグループはデバイスグループ識別子を含み、前記デバイスグループ識別子は、モバイルネットワークマルチキャストがサポートされることを示す情報を含む、段階と、
前記モバイルネットワークマルチキャスト通信方式をサポートする前記メンバデバイスのためのデバイスグループを作成する段階と、
モバイルネットワークマルチキャストがサポートされることを示す前記情報に従って、前記デバイスグループに対応する作成予定の外部グループの外部グループ識別子を生成する段階と、
外部グループ作成要求をモバイルネットワークサーバへ送信する段階であって、前記外部グループ作成要求は、前記外部グループ識別子と、前記モバイルネットワークマルチキャスト通信方式をサポートする前記メンバデバイスの外部デバイス識別子とを含み、前記外部グループ作成要求は、外部グループを作成するように命令するために使用され、前記外部グループは、識別子が前記外部グループ識別子であり、前記モバイルネットワークマルチキャスト通信方式をサポートする前記メンバデバイスの前記外部デバイス識別子を含む、段階と
を備える方法。
【請求項８】
前記メンバデバイスの前記デバイス識別子に従って、モバイルネットワークマルチキャスト通信方式をサポートするメンバデバイスを決定する前記段階は、
前記メンバデバイスの前記デバイス識別子に従って、前記メンバデバイスの登録情報を取得する段階と、
前記外部デバイス識別子を含む登録情報を有するメンバデバイスが、前記モバイルネットワークマルチキャスト通信方式をサポートする前記メンバデバイスであると決定する段階と
を備える、請求項７に記載の方法。
【請求項９】
前記モバイルネットワークマルチキャスト通信方式をサポートする前記メンバデバイスのためのデバイスグループを作成する前記段階の前に、前記方法はさらに、
前記モバイルネットワークマルチキャスト通信方式をサポートする前記メンバデバイスの特性情報を取得する段階であって、前記特性情報は、前記モバイルネットワークマルチキャスト通信方式をサポートする前記メンバデバイスの履歴位置情報、および／または、前記モバイルネットワークマルチキャスト通信方式をサポートする前記メンバデバイスがマルチメディアブロードキャストマルチキャストサービス（ＭＢＭＳ）をサポートすることを示す情報を含む、段階と、
前記モバイルネットワークマルチキャスト通信方式をサポートする前記メンバデバイスの前記履歴位置情報、および／または、前記モバイルネットワークマルチキャスト通信方式をサポートする前記メンバデバイスが前記ＭＢＭＳをサポートすることを示す前記情報に従って、前記モバイルネットワークマルチキャスト通信方式をサポートする前記メンバデバイスのマルチキャスト型を決定する段階と
を備え、
前記モバイルネットワークマルチキャスト通信方式をサポートする前記メンバデバイスのためのデバイスグループを作成する前記段階は、前記モバイルネットワークマルチキャスト通信方式をサポートする前記メンバデバイスの前記マルチキャスト型に従って、前記モバイルネットワークマルチキャスト通信方式をサポートする前記メンバデバイスのための前記デバイスグループのデバイスサブグループを作成する段階を含み、
モバイルネットワークマルチキャストがサポートされることを示す前記情報に従って、前記デバイスグループに対応する作成予定の外部グループの外部グループ識別子を生成する前記段階は、モバイルネットワークマルチキャストがサポートされることを示す前記情報に従って、前記デバイスグループの前記デバイスサブグループに対応する作成予定の外部サブグループの識別子を生成する段階を含む、
請求項８に記載の方法。
【請求項１０】
前記モバイルネットワークマルチキャスト通信方式をサポートする前記メンバデバイスの前記履歴位置情報、および／または、前記ＭＢＭＳをサポートする前記モバイルネットワークマルチキャスト通信方式をサポートする前記メンバデバイスを示す前記情報に従って、前記モバイルネットワークマルチキャスト通信方式をサポートする前記メンバデバイスのマルチキャスト型を決定する前記段階は、
前記特性情報が、前記ＭＢＭＳがサポートされることを示す前記情報を含むとき、前記モバイルネットワークマルチキャスト通信方式をサポートする前記メンバデバイスの前記マルチキャスト型がＭＢＭＳであると決定する、または、
前記特性情報が前記履歴位置情報を含むが、前記ＭＢＭＳがサポートされることを示す前記情報を含まないとき、前記履歴位置情報に従って、前記モバイルネットワークマルチキャスト通信方式をサポートする前記メンバデバイスによって、予め設定された時間範囲内にアクセスされる基地局を決定する段階と、
前記モバイルネットワークマルチキャスト通信方式をサポートする前記メンバデバイスによって前記予め設定された時間範囲内にアクセスされる前記基地局が同一の基地局であるかどうかを決定する段階と、
前記モバイルネットワークマルチキャスト通信方式をサポートする前記メンバデバイスによって前記予め設定された時間範囲内にアクセスされる前記基地局が同一の基地局であるとき、前記モバイルネットワークマルチキャスト通信方式をサポートする前記メンバデバイスの前記マルチキャスト型がＣＢＳであると決定する、または、
前記モバイルネットワークマルチキャスト通信方式をサポートする前記メンバデバイスによって前記予め設定された時間範囲内にアクセスされる前記基地局が異なる基地局であるとき、前記モバイルネットワークマルチキャスト通信方式をサポートする前記メンバデバイスの前記マルチキャスト型がＰＤＮであると決定する段階と
を備える、請求項９に記載の方法。
【請求項１１】
マシン間通信Ｍ２Ｍグループのためのアクセス要求を受信する受信器であって、前記アクセス要求は、Ｍ２Ｍグループ識別子および要求内容を保持する、受信器と、
前記Ｍ２Ｍグループ識別子に従って、デバイスグループの識別子を検索するプロセッサであって、前記デバイスグループに含まれるメンバデバイスは、前記Ｍ２Ｍグループ識別子によって示されるグループにおける、モバイルネットワークマルチキャスト通信方式をサポートするメンバデバイスであり、前記プロセッサはさらに、前記デバイスグループに対応する外部グループの識別子を決定し、前記外部グループは、モバイルネットワークサーバに記憶され、前記外部グループにおけるメンバデバイスは、前記デバイスグループにおける前記メンバデバイスである、プロセッサと、
モバイルネットワークマルチキャスト要求を前記モバイルネットワークサーバへ送信する送信器であって、前記モバイルネットワークマルチキャスト要求は、前記外部グループの前記識別子および前記要求内容を保持し、前記モバイルネットワークマルチキャスト要求は、前記モバイルネットワークマルチキャスト通信方式で、アクセスコマンドを前記外部グループにおける前記メンバデバイスへ送信するように命令するために使用され、前記アクセスコマンドは、前記要求内容を保持する、送信器と
を備えるモバイルネットワークプラットフォーム。
【請求項１２】
前記送信器が前記モバイルネットワークマルチキャスト要求を前記モバイルネットワークサーバへ送信する前に、前記プロセッサはさらに、
応答アドレスを前記デバイスグループにおける前記メンバデバイスに割り当てる手順であって、前記応答アドレスは、前記アクセスコマンドに応じて前記デバイスグループにおける前記メンバデバイスによって送信された応答を受信するために使用され、前記モバイルネットワークマルチキャスト要求および前記アクセスコマンドはさらに、前記応答アドレスを保持する、手順を実行し、
前記送信器が前記モバイルネットワークマルチキャスト要求を前記モバイルネットワークサーバへ送信した後に、前記送信器はさらに、前記デバイスグループにおける前記メンバデバイスによって前記応答アドレスへ送信された、前記要求内容についての応答情報を受信する手順を実行する、請求項１１に記載のモバイルネットワークプラットフォーム。
【請求項１３】
前記デバイスグループに対応する前記外部グループの前記識別子を決定する前に、前記プロセッサはさらに、前記デバイスグループの前記識別子に従って、前記デバイスグループのデバイスサブグループを検索する手順を実行し、
前記デバイスグループに対応する前記外部グループの前記識別子を決定するとき、前記プロセッサは、具体的には、前記デバイスサブグループに対応する外部サブグループの識別子を決定する手順であって、前記モバイルネットワークマルチキャスト要求はさらに、前記デバイスサブグループの識別子を保持する、手順を実行する、
請求項１１に記載のモバイルネットワークプラットフォーム。
【請求項１４】
前記デバイスグループの前記識別子に従って、前記デバイスグループの前記デバイスサブグループを検索した後に、前記プロセッサはさらに、前記デバイスサブグループのマルチキャスト型を決定する手順を実行し、
前記デバイスグループにおける前記メンバデバイスに応答アドレスを割り当てるとき、前記プロセッサは、具体的には、前記デバイスサブグループの前記マルチキャスト型に従って、前記デバイスサブグループにおけるメンバデバイスに前記応答アドレスを割り当てる手順を実行する、
請求項１３に記載のモバイルネットワークプラットフォーム。
【請求項１５】
前記デバイスサブグループの前記マルチキャスト型はセルブロードキャストサービスＣＢＳであり、前記プロセッサはさらに、前記デバイスサブグループのための要求リソースを作成し、要求アドレスを前記要求リソースに割り当てる手順であって、前記要求リソースは、前記要求内容を記憶する、手順を実行し、
前記モバイルネットワークマルチキャスト要求および前記アクセスコマンドはさらに、前記要求アドレスを保持する、請求項１４に記載のモバイルネットワークプラットフォーム。
【請求項１６】
前記送信器が、前記デバイスグループにおける前記メンバデバイスによって応答アドレスへ送信された、前記要求内容についての応答情報を受信した後に、前記プロセッサはさらに、
応答情報を返していない、前記デバイスグループにおけるメンバデバイスを決定する手順と、
マルチキャスト型がトリガマルチキャストであるトリガデバイスグループを作成する手順であって、前記トリガデバイスグループにおけるメンバデバイスは、前記デバイスグループにおける前記メンバデバイスによって返された応答情報を受信していない、前記デバイスグループにおける前記メンバデバイスである、手順と
を実行し、
前記送信器はさらに、トリガ外部グループ作成要求を前記モバイルネットワークサーバへ送信し、前記トリガ外部グループ作成要求は、前記トリガデバイスグループに対応するトリガ外部グループを作成するように命令するために使用され、前記トリガ外部グループ作成要求は、前記トリガ外部グループの識別子と、前記トリガデバイスグループにおける前記メンバデバイスの外部デバイス識別子とを含む、
請求項１１に記載のモバイルネットワークプラットフォーム。
【請求項１７】
グループ作成要求を受信する受信器であって、前記グループ作成要求は、マシン間通信グループ識別子（Ｍ２Ｍグループ識別子）と、作成予定のＭ２Ｍグループにおけるメンバデバイスのデバイス識別子とを保持する、受信器と、
前記メンバデバイスの前記デバイス識別子に従って、モバイルネットワークマルチキャスト通信方式をサポートするメンバデバイスを決定するプロセッサであって、前記プロセッサはさらに、前記グループ作成要求に従って、前記Ｍ２Ｍグループ識別子によって示されるＭ２Ｍグループを作成し、前記Ｍ２Ｍグループは、デバイスグループ識別子を含み、前記デバイスグループ識別子は、モバイルネットワークマルチキャストがサポートされることを示す情報を含み、前記プロセッサはさらに、前記モバイルネットワークマルチキャスト通信方式をサポートする前記メンバデバイスのためのデバイスグループを作成し、前記プロセッサはさらに、モバイルネットワークマルチキャストがサポートされることを示す前記情報に従って、前記デバイスグループに対応する作成予定の外部グループの外部グループ識別子を生成する、プロセッサと、
外部グループ作成要求をモバイルネットワークサーバへ送信する送信器であって、前記外部グループ作成要求は、前記外部グループ識別子と、前記モバイルネットワークマルチキャスト通信方式をサポートする前記メンバデバイスの外部デバイス識別子とを含み、前記外部グループ作成要求は、外部グループを作成するように命令するために使用され、前記外部グループは、識別子が前記外部グループ識別子であり、前記モバイルネットワークマルチキャスト通信方式をサポートする前記メンバデバイスの前記外部デバイス識別子を含む、送信器と
を備えるモバイルネットワークプラットフォーム。
【請求項１８】
前記メンバデバイスの前記デバイス識別子に従って、前記モバイルネットワークマルチキャスト通信方式をサポートする前記メンバデバイスを決定するとき、前記プロセッサは、具体的には、
前記メンバデバイスの前記デバイス識別子に従って、前記メンバデバイスの登録情報を取得する手順と、
前記外部デバイス識別子を含む登録情報を有するメンバデバイスが、前記モバイルネットワークマルチキャスト通信方式をサポートする前記メンバデバイスであると決定する手順と
を実行する、請求項１７に記載のモバイルネットワークプラットフォーム。
【請求項１９】
前記モバイルネットワークマルチキャスト通信方式をサポートする前記メンバデバイスのための前記デバイスグループを作成する前に、前記プロセッサはさらに、
前記モバイルネットワークマルチキャスト通信方式をサポートする前記メンバデバイスの特性情報を取得する手順であって、前記特性情報は、前記モバイルネットワークマルチキャスト通信方式をサポートする前記メンバデバイスの履歴位置情報、および／または、前記モバイルネットワークマルチキャスト通信方式をサポートする前記メンバデバイスがマルチメディアブロードキャストマルチキャストサービス（ＭＢＭＳ）をサポートすることを示す情報を含む、手順と、
前記モバイルネットワークマルチキャスト通信方式をサポートする前記メンバデバイスの前記履歴位置情報、および／または、前記モバイルネットワークマルチキャスト通信方式をサポートする前記メンバデバイスが前記ＭＢＭＳをサポートすることを示す前記情報に従って、前記モバイルネットワークマルチキャスト通信方式をサポートする前記メンバデバイスのマルチキャスト型を決定する手順と
を実行し、
前記モバイルネットワークマルチキャスト通信方式をサポートする前記メンバデバイスのための前記デバイスグループを作成するとき、前記プロセッサは、具体的には、
前記モバイルネットワークマルチキャスト通信方式をサポートする前記メンバデバイスの前記マルチキャスト型に従って、前記モバイルネットワークマルチキャスト通信方式をサポートする前記メンバデバイスのための前記デバイスグループのデバイスサブグループを作成する手順を実行し、
モバイルネットワークマルチキャストがサポートされることを示す前記情報に従って、前記デバイスグループに対応する前記作成予定の外部グループの識別子を生成するとき、前記プロセッサは、具体的には、
モバイルネットワークマルチキャストがサポートされることを示す前記情報に従って、前記デバイスグループの前記デバイスサブグループに対応する作成予定の外部サブグループの識別子を生成する手順を実行する、
請求項１８に記載のモバイルネットワークプラットフォーム。
【請求項２０】
前記モバイルネットワークマルチキャスト通信方式をサポートする前記メンバデバイスの前記履歴位置情報、および／または、前記モバイルネットワークマルチキャスト通信方式をサポートする前記メンバデバイスが前記ＭＢＭＳをサポートすることを示す前記情報に従って、前記モバイルネットワークマルチキャスト通信方式をサポートする前記メンバデバイスの前記マルチキャスト型を決定するとき、前記プロセッサは具体的には、
前記特性情報が、前記ＭＢＭＳがサポートされることを示す前記情報を含むとき、前記モバイルネットワークマルチキャスト通信方式をサポートする前記メンバデバイスの前記マルチキャスト型がＭＢＭＳであると決定する、または、
前記特性情報が前記履歴位置情報を含むが、前記ＭＢＭＳがサポートされることを示す前記情報を含まないとき、前記履歴位置情報に従って、前記モバイルネットワークマルチキャスト通信方式をサポートする前記メンバデバイスによって、予め設定された時間範囲内にアクセスされる基地局を決定する手順と、
前記モバイルネットワークマルチキャスト通信方式をサポートする前記メンバデバイスによって前記予め設定された時間範囲内にアクセスされる前記基地局が同一の基地局であるかどうかを決定する手順と、
前記モバイルネットワークマルチキャスト通信方式をサポートする前記メンバデバイスによって前記予め設定された時間範囲内にアクセスされる前記基地局が同一の基地局であるとき、前記モバイルネットワークマルチキャスト通信方式をサポートする前記メンバデバイスの前記マルチキャスト型がＣＢＳであると決定する、または、
前記モバイルネットワークマルチキャスト通信方式をサポートする前記メンバデバイスによって前記予め設定された時間範囲内にアクセスされる前記基地局が異なる基地局であるとき、前記モバイルネットワークマルチキャスト通信方式をサポートする前記メンバデバイスの前記マルチキャスト型がＰＤＮであると決定する手順と
を実行する、請求項１９に記載のモバイルネットワークプラットフォーム。
【請求項２１】
請求項１から１０のいずれか一項に記載の方法をコンピュータに実行させるプログラム。
【手続補正２】
【補正対象書類名】明細書
【補正対象項目名】０２６１
【補正方法】変更
【補正の内容】
【０２６１】
本発明は、具体的な特徴およびその実施形態を参照して記述されているが、明らかに、本発明の範囲から逸脱することなく、様々な変更および組み合わせが成され得る。対応して、明細書および添付図面は、添付された特許請求の範囲によって定義された本発明の例に過ぎず、本発明の範囲における変更、変形、組み合わせまたは均等物のいずれかまたはすべてを包含するとみなされる。当業者であれば、本発明の主旨および範囲から逸脱することなく、様々な修正および変形を本発明になすことができることは明白である。本発明は、これらの修正および変形が、以下の特許請求の範囲およびその均等な技術により規定される保護範囲内に含まれるならば、これらの修正および変形を包含するよう意図されている。
（項目１）
グループマルチキャスト方法であって、
マシン間通信Ｍ２Ｍグループのためのアクセス要求を受信する段階であって、上記アクセス要求は、Ｍ２Ｍグループ識別子および要求内容を保持する、段階と、
上記Ｍ２Ｍグループ識別子に従って、デバイスグループの識別子を検索する段階であって、上記デバイスグループに含まれるメンバデバイスは、上記Ｍ２Ｍグループ識別子によって示されるグループにおける、モバイルネットワークマルチキャスト通信方式をサポートするメンバデバイスである、段階と、
上記デバイスグループに対応する外部グループの識別子を決定する段階であって、上記外部グループはモバイルネットワークサーバに記憶され、上記外部グループにおけるメンバデバイスは、上記デバイスグループにおける上記メンバデバイスである、段階と、
モバイルネットワークマルチキャスト要求を上記モバイルネットワークサーバへ送信する段階であって、上記モバイルネットワークマルチキャスト要求は、上記外部グループの上記識別子および上記要求内容を保持し、上記モバイルネットワークマルチキャスト要求は、上記モバイルネットワークマルチキャスト通信方式でアクセスコマンドを上記外部グループにおける上記メンバデバイスへ送信するように命令するために使用され、上記アクセスコマンドは上記要求内容を保持する、段階と
を備える方法。
（項目２）
モバイルネットワークマルチキャスト要求を上記モバイルネットワークサーバへ送信する上記段階の前に、上記方法はさらに、応答アドレスを上記デバイスグループにおける上記メンバデバイスに割り当てる段階であって、上記応答アドレスは、上記アクセスコマンドに応じて、上記デバイスグループにおける上記メンバデバイスによって送信された応答を受信するために使用される、段階を備え、
上記モバイルネットワークマルチキャスト要求および上記アクセスコマンドはさらに、上記応答アドレスを保持し、
モバイルネットワークマルチキャスト要求を上記モバイルネットワークサーバへ送信する上記段階の後に、上記方法はさらに、上記デバイスグループにおける上記メンバデバイスによって上記応答アドレスへ送信された、上記要求内容についての応答情報を受信する段階を備える、
請求項１に記載の方法。
（項目３）
上記デバイスグループに対応する外部グループの識別子を決定する上記段階の前に、上記方法はさらに、上記デバイスグループの上記識別子に従って、上記デバイスグループのデバイスサブグループを検索する段階を備え、
上記デバイスグループに対応する外部グループの識別子を決定する上記段階は、上記デバイスサブグループに対応する外部サブグループの識別子を決定する段階を含み、
上記モバイルネットワークマルチキャスト要求はさらに、上記デバイスサブグループの識別子を保持する、
請求項１または２に記載の方法。
（項目４）
上記デバイスグループの上記識別子に従って、上記デバイスグループのデバイスサブグループを検索する上記段階の後に、上記方法はさらに、
上記デバイスサブグループのマルチキャスト型を決定する段階を備え、
上記デバイスグループにおける上記メンバデバイスに応答アドレスを割り当てる上記段階は、
上記デバイスサブグループの上記マルチキャスト型に従って、上記デバイスサブグループにおけるメンバデバイスに上記応答アドレスを割り当てる段階を含む、
請求項３に記載の方法。
（項目５）
上記デバイスサブグループの上記マルチキャスト型は、セルブロードキャストサービスＣＢＳであり、上記方法はさらに、
上記デバイスサブグループのための要求リソースを作成し、要求アドレスを上記要求リソースに割り当てる段階であって、上記要求リソースは上記要求内容を記憶する、段階を備え、
上記モバイルネットワークマルチキャスト要求および上記アクセスコマンドはさらに、上記要求アドレスを保持する、
請求項４に記載の方法。
（項目６）
上記デバイスグループにおける上記メンバデバイスによって上記応答アドレスへ送信された、上記要求内容についての応答情報を受信する上記段階の後に、上記方法はさらに、
応答情報を返していない、上記デバイスグループにおけるメンバデバイスを決定する段階と、
マルチキャスト型がトリガマルチキャストであるトリガデバイスグループを作成する段階であって、上記トリガデバイスグループにおけるメンバデバイスは、応答情報を返していない、上記デバイスグループにおける上記メンバデバイスである、段階と、
トリガ外部グループ作成要求を上記モバイルネットワークサーバへ送信する段階であって、上記トリガ外部グループ作成要求は、上記トリガデバイスグループに対応するトリガ外部グループを作成するように命令するために使用され、上記トリガ外部グループ作成要求は、上記トリガ外部グループの識別子と、上記トリガデバイスグループにおける上記メンバデバイスの外部デバイス識別子とを含む、段階と
を備える、請求項２から５のいずれか一項に記載の方法。
（項目７）
グループ作成方法であって、
グループ作成要求を受信する段階であって、上記グループ作成要求は、マシン間通信Ｍ２Ｍグループ識別子と、作成予定のＭ２Ｍグループにおけるメンバデバイスのデバイス識別子とを保持する、段階と、
上記メンバデバイスの上記デバイス識別子に従って、モバイルネットワークマルチキャスト通信方式をサポートするメンバデバイスを決定する段階と、
上記グループ作成要求に従って、上記Ｍ２Ｍグループ識別子によって示されるＭ２Ｍグループを作成する段階であって、上記Ｍ２Ｍグループはデバイスグループ識別子を含み、上記デバイスグループ識別子は、モバイルネットワークマルチキャストがサポートされることを示す情報を含む、段階と、
上記モバイルネットワークマルチキャスト通信方式をサポートする上記メンバデバイスのためのデバイスグループを作成する段階と、
モバイルネットワークマルチキャストがサポートされることを示す上記情報に従って、上記デバイスグループに対応する作成予定の外部グループの外部グループ識別子を生成する段階と、
外部グループ作成要求をモバイルネットワークサーバへ送信する段階であって、上記外部グループ作成要求は、外部グループを作成するように命令するために使用され、上記外部グループは、識別子が上記外部グループ識別子であり、上記モバイルネットワークマルチキャスト通信方式をサポートする上記メンバデバイスの上記外部デバイス識別子を含む、段階と
を備える方法。
（項目８）
上記メンバデバイスの上記デバイス識別子に従って、モバイルネットワークマルチキャスト通信方式をサポートするメンバデバイスを決定する上記段階は、
上記メンバデバイスの上記デバイス識別子に従って、上記メンバデバイスの登録情報を取得する段階と、
上記外部デバイス識別子を含む登録情報を有するメンバデバイスが、上記モバイルネットワークマルチキャスト通信方式をサポートする上記メンバデバイスであると決定する段階と
を備える、請求項７に記載の方法。
（項目９）
上記モバイルネットワークマルチキャスト通信方式をサポートする上記メンバデバイスのためのデバイスグループを作成する上記段階の前に、上記方法はさらに、
上記モバイルネットワークマルチキャスト通信方式をサポートする上記メンバデバイスの特性情報を取得する段階であって、上記特性情報は、上記モバイルネットワークマルチキャスト通信方式をサポートする上記メンバデバイスの履歴位置情報、および／または、上記モバイルネットワークマルチキャスト通信方式をサポートする上記メンバデバイスがマルチメディアブロードキャストマルチキャストサービスＭＢＭＳをサポートすることを示す情報を含む、段階と、
上記モバイルネットワークマルチキャスト通信方式をサポートする上記メンバデバイスの上記履歴位置情報、および／または、上記モバイルネットワークマルチキャスト通信方式をサポートする上記メンバデバイスが上記ＭＢＭＳをサポートすることを示す上記情報に従って、上記モバイルネットワークマルチキャスト通信方式をサポートする上記メンバデバイスのマルチキャスト型を決定する段階と
を備え、
上記モバイルネットワークマルチキャスト通信方式をサポートする上記メンバデバイスのためのデバイスグループを作成する上記段階は、上記モバイルネットワークマルチキャスト通信方式をサポートする上記メンバデバイスの上記マルチキャスト型に従って、上記モバイルネットワークマルチキャスト通信方式をサポートする上記メンバデバイスのための上記デバイスグループのデバイスサブグループを作成する段階を含み、
モバイルネットワークマルチキャストがサポートされることを示す上記情報に従って、上記デバイスグループに対応する作成予定の外部グループの外部グループ識別子を生成する上記段階は、モバイルネットワークマルチキャストがサポートされることを示す上記情報に従って、上記デバイスグループの上記デバイスサブグループに対応する作成予定の外部サブグループの識別子を生成する段階を含む、
請求項８に記載の方法。
（項目１０）
上記モバイルネットワークマルチキャスト通信方式をサポートする上記メンバデバイスの上記履歴位置情報、および／または、上記ＭＢＭＳをサポートする上記モバイルネットワークマルチキャスト通信方式をサポートする上記メンバデバイスを示す上記情報に従って、上記モバイルネットワークマルチキャスト通信方式をサポートする上記メンバデバイスのマルチキャスト型を決定する上記段階は、
上記特性情報が、上記ＭＢＭＳがサポートされることを示す上記情報を含むとき、上記モバイルネットワークマルチキャスト通信方式をサポートする上記メンバデバイスの上記マルチキャスト型がＭＢＭＳであると決定する、または、
上記特性情報が上記履歴位置情報を含むが、上記ＭＢＭＳがサポートされることを示す上記情報を含まないとき、上記履歴位置情報に従って、上記モバイルネットワークマルチキャスト通信方式をサポートする上記メンバデバイスによって、予め設定された時間範囲内にアクセスされる基地局を決定する段階と、
上記モバイルネットワークマルチキャスト通信方式をサポートする上記メンバデバイスによって上記予め設定された時間範囲内にアクセスされる上記基地局が同一の基地局であるかどうかを決定する段階と、
上記モバイルネットワークマルチキャスト通信方式をサポートする上記メンバデバイスによって上記予め設定された時間範囲内にアクセスされる上記基地局が同一の基地局であるとき、上記モバイルネットワークマルチキャスト通信方式をサポートする上記メンバデバイスの上記マルチキャスト型がＣＢＳであると決定する、または、
上記モバイルネットワークマルチキャスト通信方式をサポートする上記メンバデバイスによって上記予め設定された時間範囲内にアクセスされる上記基地局が異なる基地局であるとき、上記モバイルネットワークマルチキャスト通信方式をサポートする上記メンバデバイスの上記マルチキャスト型がＰＤＮであると決定する段階と
を備える、請求項９に記載の方法。
（項目１１）
グループマルチキャスト方法であって、
デバイスグループのためのグループアクセス要求を受信する段階であって、上記デバイスグループに含まれるメンバデバイスが、モバイルネットワークマルチキャスト通信方式をサポートするメンバデバイスである、段階と、
上記デバイスグループに対応する外部グループの識別子を決定する段階であって、上記外部グループは、モバイルネットワークサーバに記憶され、上記外部グループにおけるメンバデバイスは、上記デバイスグループにおける上記メンバデバイスである、段階と、
モバイルネットワークマルチキャスト要求を上記モバイルネットワークサーバへ送信する段階であって、上記モバイルネットワークマルチキャスト要求は、上記外部グループの上記識別子および要求内容を保持し、上記モバイルネットワークマルチキャスト要求は、上記モバイルネットワークマルチキャスト通信方式で、上記外部グループにおける上記メンバデバイスへアクセスコマンドを送信するように命令するために使用され、上記アクセスコマンドは、上記要求内容を保持する、段階と
を備える方法。
（項目１２）
グループマルチキャスト方法であって、
モバイルネットワークマルチキャスト通信方式で、モバイルネットワークサーバによって送信されたアクセスコマンドを受信する段階であって、上記アクセスコマンドは、要求内容と、モバイルネットワークプラットフォームによってメンバデバイスに割り当てられた応答アドレスとを保持し、上記応答アドレスは、上記モバイルネットワークプラットフォームの識別子を含む、段階と、
上記応答アドレスに従って、上記モバイルネットワークプラットフォームの上記識別子によって示される上記モバイルネットワークプラットフォームへ、上記要求内容についての応答情報を送信する段階と
を備える方法。
（項目１３）
グループ作成方法であって、
グループ作成要求を受信する段階であって、上記グループ作成要求は、マシン間通信Ｍ２Ｍグループ識別子と、作成予定のＭ２Ｍグループにおけるメンバデバイスのデバイス識別子とを保持する、段階と、
上記メンバデバイスの上記デバイス識別子に従って、モバイルネットワークマルチキャスト通信方式をサポートするメンバデバイスを決定する段階と、
上記グループ作成要求に従って、上記Ｍ２Ｍグループ識別子によって示されるＭ２Ｍグループを作成する段階であって、上記Ｍ２Ｍグループは、デバイスグループ識別子を含み、上記デバイスグループ識別子は、モバイルネットワークマルチキャストがサポートされることを示す情報を含む、段階と、
デバイスグループ作成要求をモバイルネットワークプラットフォームへ送信する段階であって、上記デバイスグループ作成要求は、上記デバイスグループ識別子と、上記モバイルネットワークマルチキャスト通信方式をサポートする、決定された上記メンバデバイスについての情報とを保持し、上記モバイルネットワークマルチキャストがサポートされることを示す上記情報は、外部グループ識別子を生成するように、および、モバイルネットワークサーバにおいて、上記モバイルネットワークマルチキャスト通信方式をサポートする上記メンバデバイスについての上記情報を含む外部グループを作成するように命令するために使用される、段階と、
を備える方法。
（項目１４）
グループ作成方法であって、
デバイスグループ作成要求を受信する段階であって、上記デバイスグループ作成要求は、デバイスグループ識別子と、モバイルネットワークマルチキャスト通信方式をサポートするメンバデバイスについての情報とを含み、上記デバイスグループ識別子は、モバイルネットワークマルチキャストがサポートされることを示す情報を含む、段階と、
上記デバイスグループ識別子、および、上記モバイルネットワークマルチキャスト通信方式をサポートする上記メンバデバイスの識別子に従って、デバイスグループを作成する段階であって、上記デバイスグループは、上記モバイルネットワークマルチキャスト通信方式をサポートする上記メンバデバイスの上記識別子を含む、段階と、
モバイルネットワークマルチキャストがサポートされることを示す上記情報に従って、上記デバイスグループに対応する作成予定の外部グループの外部グループ識別子を生成する段階と、
外部グループ作成要求をモバイルネットワークサーバへ送信する段階であって、上記外部グループ作成要求は、上記外部グループ識別子と、上記モバイルネットワークマルチキャスト通信方式をサポートする上記メンバデバイスの外部デバイス識別子とを含み、上記外部グループ作成要求は、外部グループを作成するように命令するために使用され、外部グループは、識別子が上記外部グループ識別子であり、上記モバイルネットワークマルチキャスト通信方式をサポートする上記メンバデバイスの上記外部デバイス識別子を含む、段階とを備える
方法。
（項目１５）
マシン間通信Ｍ２Ｍグループのためのアクセス要求を受信するように構成されている受信器であって、上記アクセス要求は、Ｍ２Ｍグループ識別子および要求内容を保持する、受信器と、
上記Ｍ２Ｍグループ識別子に従って、デバイスグループの識別子を検索するように構成されているプロセッサであって、上記デバイスグループに含まれるメンバデバイスは、上記Ｍ２Ｍグループ識別子によって示されるグループにおける、モバイルネットワークマルチキャスト通信方式をサポートするメンバデバイスであり、上記プロセッサはさらに、上記デバイスグループに対応する外部グループの識別子を決定するように構成され、上記外部グループは、モバイルネットワークサーバに記憶され、上記外部グループにおけるメンバデバイスは、上記デバイスグループにおける上記メンバデバイスである、プロセッサと、
モバイルネットワークマルチキャスト要求を上記モバイルネットワークサーバへ送信するように構成されている送信器であって、上記モバイルネットワークマルチキャスト要求は、上記外部グループの上記識別子および上記要求内容を保持し、上記モバイルネットワークマルチキャスト要求は、上記モバイルネットワークマルチキャスト通信方式で、アクセスコマンドを上記外部グループにおける上記メンバデバイスへ送信するように命令するために使用され、上記アクセスコマンドは、上記要求内容を保持する、送信器と
を備えるモバイルネットワークプラットフォーム。
（項目１６）
上記送信器が上記モバイルネットワークマルチキャスト要求を上記モバイルネットワークサーバへ送信する前に、上記プロセッサはさらに、
応答アドレスを上記デバイスグループにおける上記メンバデバイスに割り当てる手順であって、上記応答アドレスは、上記アクセスコマンドに応じて上記デバイスグループにおける上記メンバデバイスによって送信された応答を受信するために使用され、上記モバイルネットワークマルチキャスト要求および上記アクセスコマンドはさらに、上記応答アドレスを保持する、手順を実行するように構成され、
上記送信器が上記モバイルネットワークマルチキャスト要求を上記モバイルネットワークサーバへ送信した後に、上記送信器はさらに、上記デバイスグループにおける上記メンバデバイスによって上記応答アドレスへ送信された、上記要求内容についての応答情報を受信する手順を実行するように構成されている、請求項１５に記載のモバイルネットワークプラットフォーム。
（項目１７）
上記デバイスグループに対応する上記外部グループの上記識別子を決定する前に、上記プロセッサはさらに、上記デバイスグループの上記識別子に従って、上記デバイスグループのデバイスサブグループを検索する手順を実行するように構成され、
上記デバイスグループに対応する上記外部グループの上記識別子を決定するとき、上記プロセッサは、具体的には、上記デバイスサブグループに対応する外部サブグループの識別子を決定する手順であって、上記モバイルネットワークマルチキャスト要求はさらに、上記デバイスサブグループの識別子を保持する、手順を実行するように構成されている、
請求項１５または１６に記載のモバイルネットワークプラットフォーム。
（項目１８）
上記デバイスグループの上記識別子に従って、上記デバイスグループの上記デバイスサブグループを検索した後に、上記プロセッサはさらに、上記デバイスサブグループのマルチキャスト型を決定する手順を実行するように構成され、
上記デバイスグループにおける上記メンバデバイスに上記応答アドレスを割り当てるとき、上記プロセッサは、具体的には、上記デバイスサブグループの上記マルチキャスト型に従って、上記デバイスサブグループにおけるメンバデバイスに上記応答アドレスを割り当てる手順を実行するように構成されている、
請求項１７に記載のモバイルネットワークプラットフォーム。
（項目１９）
上記デバイスサブグループの上記マルチキャスト型はセルブロードキャストサービスＣＢＳであり、上記プロセッサはさらに、
上記デバイスサブグループのための要求リソースを作成し、要求アドレスを上記要求リソースに割り当てる手順であって、上記要求リソースは、上記要求内容を記憶する、手順を実行するように構成され、
上記モバイルネットワークマルチキャスト要求および上記アクセスコマンドはさらに、上記要求アドレスを保持する、請求項１８に記載のモバイルネットワークプラットフォーム。
（項目２０）
上記送信器が、上記デバイスグループにおける上記メンバデバイスによって上記応答アドレスへ送信された、上記要求内容についての上記応答情報を受信した後に、上記プロセッサはさらに、
応答情報を返していない、上記デバイスグループにおけるメンバデバイスを決定する手順と、
マルチキャスト型がトリガマルチキャストであるトリガデバイスグループを作成する手順であって、上記トリガデバイスグループにおけるメンバデバイスは、上記グループデバイスにおける上記メンバデバイスによって返された応答情報を受信していない、上記デバイスグループにおける上記メンバデバイスである、手順と
を実行するように構成され、
上記送信器はさらに、トリガ外部グループ作成要求を上記モバイルネットワークサーバへ送信するように構成され、上記トリガ外部グループ作成要求は、上記トリガデバイスグループに対応するトリガ外部グループを作成するように命令するために使用され、上記トリガ外部グループ作成要求は、上記トリガ外部グループの識別子と、上記トリガデバイスグループにおける上記メンバデバイスの外部デバイス識別子とを含む、
請求項１５から１９のいずれか一項に記載のモバイルネットワークプラットフォーム。
（項目２１）
マシン間通信Ｍ２Ｍグループのためのアクセス要求を受信するように構成されている受信ユニットであって、上記アクセス要求は、Ｍ２Ｍグループ識別子および要求内容を保持する、受信ユニットと、
上記受信ユニットによって受信された上記Ｍ２Ｍグループ識別子に従って、デバイスグループの識別子を検索するように構成されている検索ユニットであって、上記デバイスグループに含まれるメンバデバイスは、上記Ｍ２Ｍグループ識別子によって示されるグループにおける、モバイルネットワークマルチキャスト通信方式をサポートするメンバデバイスである、検索ユニットと、
上記検索ユニットによって発見された上記デバイスグループに対応する外部グループの識別子を決定するように構成されている決定ユニットであって、上記外部グループは、モバイルネットワークサーバに記憶され、上記外部グループにおけるメンバデバイスは、上記デバイスグループにおける上記メンバデバイスである、決定ユニットと、
モバイルネットワークマルチキャスト要求を上記モバイルネットワークサーバへ送信するように構成されている送信ユニットであって、上記モバイルネットワークマルチキャスト要求は、上記外部グループの上記識別子と、上記要求内容とを保持し、上記モバイルネットワークマルチキャスト要求は、上記モバイルネットワークマルチキャスト通信方式で、アクセスコマンドを上記外部グループにおける上記メンバデバイスへ送信するように命令するために使用され、上記アクセスコマンドは、上記要求内容を保持する、送信ユニットと
を備えるモバイルネットワークプラットフォーム。
（項目２２）
上記モバイルネットワークプラットフォームはさらに、
応答アドレスを上記デバイスグループにおける上記メンバデバイスに割り当てるように構成されている割り当てユニットであって、上記応答アドレスは、上記アクセスコマンドに応じて上記デバイスグループにおける上記メンバデバイスによって送信された応答を受信するために使用される、割り当てユニットを備え、
上記モバイルネットワークマルチキャスト要求および上記アクセスコマンドはさらに、上記応答アドレスを保持し、
上記受信ユニットはさらに、上記デバイスグループにおける上記メンバデバイスによって上記応答アドレスへ送信された、上記要求内容についての応答情報を受信するように構成されている、
請求項２１に記載のモバイルネットワークプラットフォーム。
（項目２３）
上記検索ユニットはさらに、上記デバイスグループの上記識別子に従って、上記デバイスグループのデバイスサブグループを検索するように構成され、
上記決定ユニットは、具体的には、上記デバイスサブグループに対応する外部サブグループの識別子を決定するように構成され、
上記モバイルネットワークマルチキャスト要求はさらに、上記デバイスサブグループの識別子を保持する、
請求項２１または２２に記載のモバイルネットワークプラットフォーム。
（項目２４）
上記決定ユニットはさらに、上記デバイスサブグループのマルチキャスト型を決定するように構成され、上記割り当てユニットは、具体的には、上記デバイスサブグループの上記マルチキャスト型に従って、上記応答アドレスを上記デバイスサブグループにおけるメンバデバイスに割り当てるように構成されている、請求項２３に記載のモバイルネットワークプラットフォーム。
（項目２５）
上記デバイスサブグループの上記マルチキャスト型は、セルブロードキャストサービスＣＢＳであり、上記モバイルネットワークプラットフォームはさらに、
上記デバイスサブグループのための要求リソースを作成し、要求アドレスを上記要求リソースに割り当てるように構成されている作成ユニットであって、上記要求リソースは上記要求内容を記憶する、作成ユニットを備え、
上記モバイルネットワークマルチキャスト要求および上記アクセスコマンドはさらに、上記要求アドレスを保持する、
請求項２４に記載のモバイルネットワークプラットフォーム。
（項目２６）
上記決定ユニットはさらに、応答情報を返していない、上記デバイスグループにおけるメンバデバイスを決定するように構成され、
上記作成ユニットはさらに、マルチキャスト型がトリガマルチキャストであるトリガデバイスグループを作成するように構成され、上記トリガデバイスグループにおけるメンバデバイスは、上記グループデバイスにおける上記メンバデバイスによって返された応答情報を受信していない、上記デバイスグループにおける上記メンバデバイスであり、
上記送信ユニットはさらに、トリガ外部グループ作成要求を上記モバイルネットワークサーバへ送信するように構成され、上記トリガ外部グループ作成要求は、上記トリガデバイスグループに対応するトリガ外部グループを作成するように命令するために使用され、上記トリガ外部グループ作成要求は、上記トリガ外部グループの識別子と、上記トリガデバイスグループにおける上記メンバデバイスの外部デバイス識別子とを含む、
請求項２２から２５のいずれか一項に記載のモバイルネットワークプラットフォーム。
（項目２７）
グループ作成要求を受信するように構成されている受信器であって、上記グループ作成要求は、マシン間通信Ｍ２Ｍグループ識別子と、作成予定のＭ２Ｍグループにおけるメンバデバイスのデバイス識別子とを保持する、受信器と、
上記メンバデバイスの上記デバイス識別子に従って、モバイルネットワークマルチキャスト通信方式をサポートするメンバデバイスを決定するように構成されているプロセッサであって、上記プロセッサはさらに、上記グループ作成要求に従って、上記Ｍ２Ｍグループ識別子によって示されるＭ２Ｍグループを作成するように構成され、上記Ｍ２Ｍグループは、デバイスグループ識別子を含み、上記デバイスグループ識別子は、モバイルネットワークマルチキャストがサポートされることを示す情報を含み、上記プロセッサはさらに、上記モバイルネットワークマルチキャスト通信方式をサポートする上記メンバデバイスのためのデバイスグループを作成するように構成され、上記プロセッサはさらに、モバイルネットワークマルチキャストがサポートされることを示す上記情報に従って、上記デバイスグループに対応する作成予定の外部グループの外部グループ識別子を生成するように構成されている、プロセッサと、
外部グループ作成要求をモバイルネットワークサーバへ送信するように構成されている送信器であって、上記外部グループ作成要求は、上記外部グループ識別子と、上記モバイルネットワークマルチキャスト通信方式をサポートする上記メンバデバイスの外部デバイス識別子とを含み、上記外部グループ作成要求は、ある外部グループを作成するように命令するために使用され、上記外部グループは、識別子が上記外部グループ識別子であり、上記モバイルネットワークマルチキャスト通信方式をサポートする上記メンバデバイスの上記外部デバイス識別子を含む、送信器と
を備えるモバイルネットワークプラットフォーム。
（項目２８）
上記メンバデバイスの上記デバイス識別子に従って、上記モバイルネットワークマルチキャスト通信方式をサポートする上記メンバデバイスを決定するとき、上記プロセッサは、具体的には、
上記メンバデバイスの上記デバイス識別子に従って、上記メンバデバイスの登録情報を取得する手順と、
上記外部デバイス識別子を含む登録情報を有するメンバデバイスが、上記モバイルネットワークマルチキャスト通信方式をサポートする上記メンバデバイスであると決定する手順と
を実行するように構成されている、請求項２７に記載のモバイルネットワークプラットフォーム。
（項目２９）
上記モバイルネットワークマルチキャスト通信方式をサポートする上記メンバデバイスのための上記デバイスグループを作成する前に、上記プロセッサはさらに、
上記モバイルネットワークマルチキャスト通信方式をサポートする上記メンバデバイスの特性情報を取得する手順であって、上記特性情報は、上記モバイルネットワークマルチキャスト通信方式をサポートする上記メンバデバイスの履歴位置情報、および／または、上記モバイルネットワークマルチキャスト通信方式をサポートする上記メンバデバイスがマルチメディアブロードキャストマルチキャストサービスＭＢＭＳをサポートすることを示す情報を含む、手順と、
上記モバイルネットワークマルチキャスト通信方式をサポートする上記メンバデバイスの上記履歴位置情報、および／または、上記モバイルネットワークマルチキャスト通信方式をサポートする上記メンバデバイスが上記ＭＢＭＳをサポートすることを示す上記情報に従って、上記モバイルネットワークマルチキャスト通信方式をサポートする上記メンバデバイスのマルチキャスト型を決定する手順と
を実行し、
上記モバイルネットワークマルチキャスト通信方式をサポートする上記メンバデバイスのための上記デバイスグループを作成するとき、上記プロセッサは、具体的には、
上記モバイルネットワークマルチキャスト通信方式をサポートする上記メンバデバイスの上記マルチキャスト型に従って、上記モバイルネットワークマルチキャスト通信方式をサポートする上記メンバデバイスのための上記デバイスグループのデバイスサブグループを作成する手順を実行するように構成され、
モバイルネットワークマルチキャストがサポートされることを示す上記情報に従って、上記デバイスグループに対応する上記作成予定の外部グループの識別子を生成するとき、上記プロセッサは、具体的には、
モバイルネットワークマルチキャストがサポートされることを示す上記情報に従って、上記デバイスグループの上記デバイスサブグループに対応する作成予定の外部サブグループの識別子を生成する手順を実行するように構成されている、
請求項２８に記載のモバイルネットワークプラットフォーム。
（項目３０）
上記モバイルネットワークマルチキャスト通信方式をサポートする上記メンバデバイスの上記履歴位置情報、および／または、上記モバイルネットワークマルチキャスト通信方式をサポートする上記メンバデバイスが上記ＭＢＭＳをサポートすることを示す上記情報に従って、上記モバイルネットワークマルチキャスト通信方式をサポートする上記メンバデバイスの上記マルチキャスト型を決定するとき、上記プロセッサは具体的には、
上記特性情報が、上記ＭＢＭＳがサポートされることを示す上記情報を含むとき、上記モバイルネットワークマルチキャスト通信方式をサポートする上記メンバデバイスの上記マルチキャスト型がＭＢＭＳであると決定する、または、
上記特性情報が上記履歴位置情報を含むが、上記ＭＢＭＳがサポートされることを示す上記情報を含まないとき、上記履歴位置情報に従って、上記モバイルネットワークマルチキャスト通信方式をサポートする上記メンバデバイスによって、予め設定された時間範囲内にアクセスされる基地局を決定する手順と、
上記モバイルネットワークマルチキャスト通信方式をサポートする上記メンバデバイスによって上記予め設定された時間範囲内にアクセスされる上記基地局が同一の基地局であるかどうかを決定する手順と、
上記モバイルネットワークマルチキャスト通信方式をサポートする上記メンバデバイスによって上記予め設定された時間範囲内にアクセスされる上記基地局が同一の基地局であるとき、上記モバイルネットワークマルチキャスト通信方式をサポートする上記メンバデバイスの上記マルチキャスト型がＣＢＳであると決定する、または、
上記モバイルネットワークマルチキャスト通信方式をサポートする上記メンバデバイスによって上記予め設定された時間範囲内にアクセスされる上記基地局が異なる基地局であるとき、上記モバイルネットワークマルチキャスト通信方式をサポートする上記メンバデバイスの上記マルチキャスト型がＰＤＮであると決定する手順と
を実行するように構成されている、請求項２９に記載のモバイルネットワークプラットフォーム。
（項目３１）
グループ作成要求を受信するように構成されている受信ユニットであって、上記グループ作成要求は、マシン間通信Ｍ２Ｍグループ識別子と、作成予定のＭ２Ｍグループにおけるメンバデバイスのデバイス識別子とを保持する、受信ユニットと、
上記受信ユニットによって受信された、上記メンバデバイスの上記デバイス識別子に従って、モバイルネットワークマルチキャスト通信方式をサポートするメンバデバイスを決定するように構成されている第１決定ユニットと、
上記受信ユニットによって受信された上記グループ作成要求に従って、上記Ｍ２Ｍグループ識別子によって示されるＭ２Ｍグループを作成するように構成されている作成ユニットであって、上記Ｍ２Ｍグループはデバイスグループ識別子を含み、上記デバイスグループ識別子は、モバイルネットワークマルチキャストがサポートされることを示す情報を含み、上記作成ユニットはさらに、上記モバイルネットワークマルチキャスト通信方式をサポートする、上記決定ユニットによって決定される上記メンバデバイスのためのデバイスグループを作成するように構成されている、作成ユニットと、
モバイルネットワークマルチキャストがサポートされることを示す上記情報に従って、上記デバイスグループに対応する作成予定の外部グループの外部グループ識別子を生成するように構成されている生成ユニットと、
外部グループ作成要求をモバイルネットワークサーバへ送信するように構成されている送信ユニットであって、上記外部グループ作成要求は、上記外部グループ識別子と、上記モバイルネットワークマルチキャスト通信方式をサポートする上記メンバデバイスの外部デバイス識別子とを含み、上記外部グループ作成要求は、外部グループを作成するように命令するために使用され、上記外部グループは、識別子が上記外部グループ識別子であり、上記モバイルネットワークマルチキャスト通信方式をサポートする上記メンバデバイスの上記外部デバイス識別子を含む、送信ユニットと
を備えるモバイルネットワークプラットフォーム。
（項目３２）
上記第１決定ユニットは、具体的には、
上記メンバデバイスの上記デバイス識別子に従って、上記メンバデバイスの登録情報を取得し、
上記外部デバイス識別子を含む登録情報を有するメンバデバイスが、上記モバイルネットワークマルチキャスト通信方式をサポートする上記メンバデバイスを含むと決定する
ように構成されている、請求項３１に記載のモバイルネットワークプラットフォーム。
（項目３３）
上記モバイルネットワークプラットフォームはさらに、
上記モバイルネットワークマルチキャスト通信方式をサポートする上記メンバデバイスの特性情報を取得するように構成されている取得ユニットであって、上記特性情報は、上記モバイルネットワークマルチキャスト通信方式をサポートする上記メンバデバイスの履歴位置情報、および／または、上記モバイルネットワークマルチキャスト通信方式をサポートする上記メンバデバイスがマルチメディアブロードキャストマルチキャストサービスＭＢＭＳをサポートすることを示す情報を含む、取得ユニットと、
上記モバイルネットワークマルチキャスト通信方式をサポートする上記メンバデバイスの上記履歴位置情報、および／または、上記モバイルネットワークマルチキャスト通信方式をサポートする上記メンバデバイスが上記ＭＢＭＳをサポートすることを示す上記情報に従って、上記モバイルネットワークマルチキャスト通信方式をサポートする上記メンバデバイスのマルチキャスト型を決定するように構成されている第２決定ユニットとを備え、
上記作成ユニットは、具体的には、上記モバイルネットワークマルチキャスト通信方式をサポートする上記メンバデバイスの上記マルチキャスト型に従って、上記モバイルネットワークマルチキャスト通信方式をサポートする上記メンバデバイスのための上記デバイスグループのデバイスサブグループを作成するように構成され、
上記生成ユニットは、具体的には、モバイルネットワークマルチキャストがサポートされることを示す上記情報に従って、上記デバイスグループの上記デバイスサブグループに対応する作成予定の外部サブグループの識別子を生成するように構成されている、
請求項３２に記載のモバイルネットワークプラットフォーム。
（項目３４）
上記第２決定ユニットは、具体的には、
上記特性情報が、上記ＭＢＭＳがサポートされることを示す上記情報を含むとき、上記モバイルネットワークマルチキャスト通信方式をサポートする上記メンバデバイスの上記マルチキャスト型がＭＢＭＳであると決定する、または、
上記特性情報が上記履歴位置情報を含むが、上記ＭＢＭＳがサポートされることを示す上記情報を含まないとき、上記履歴位置情報に従って、上記モバイルネットワークマルチキャスト通信方式をサポートする上記メンバデバイスによって、予め設定された時間範囲内にアクセスされる基地局を決定することと、
上記モバイルネットワークマルチキャスト通信方式をサポートする上記メンバデバイスによって上記予め設定された時間範囲内にアクセスされる上記基地局が同一の基地局であるかどうかを決定することと、
上記モバイルネットワークマルチキャスト通信方式をサポートする上記メンバデバイスによって上記予め設定された時間範囲内にアクセスされる上記基地局が上記同一の基地局であるとき、上記モバイルネットワークマルチキャスト通信方式をサポートする上記メンバデバイスの上記マルチキャスト型がＣＢＳであると決定する、または、
上記モバイルネットワークマルチキャスト通信方式をサポートする上記メンバデバイスによって上記予め設定された時間範囲内にアクセスされる上記基地局が異なる基地局であるとき、上記モバイルネットワークマルチキャスト通信方式をサポートする上記メンバデバイスの上記マルチキャスト型がＰＤＮであると決定することと
を行うように構成されている、請求項３３に記載のモバイルネットワークプラットフォーム。
【国際調査報告】
2019500792.tif 000020
2019500792.tif 000021
2019500792.tif 000022
2019500792.tif 000023